(57)【特許請求の範囲】
【請求項１】
複数のアンテナ無線送信受信ユニット（ＷＴＲＵ）においてアップリンクサウンディング基準信号（ＳＲＳ）送信を実行する方法であって、
ＳＲＳ送信を実行するための、ＷＴＲＵ固有ＳＲＳサブフレームの、ＷＴＲＵ固有構成を受信するステップと、
所定の数のアンテナに対するＳＲＳを送信するためにトリガを基地局から受信するステップと、
前記構成されたＷＴＲＵ固有ＳＲＳサブフレームからの、少なくともトリガするサブフレームに、前記トリガするサブフレームの後の４サブフレームを加えた、第１のＷＴＲＵ固有サブフレームの中で前記所定の数のアンテナに対する前記ＳＲＳを送信するステップと
を備えることを特徴とする方法。
【請求項２】
前記トリガは、所定のＳＲＳ送信パラメータを前記ＷＴＲＵに与えるマルチビットインジケータであり得ることを特徴とする請求項１記載の方法。
【請求項３】
循環シフト基準値を受信するステップと、
少なくとも前記循環シフト基準値に基づいてアンテナに対する循環シフトを判定するステップと
をさらに備えることを特徴とする請求項１記載の方法。
【請求項４】
アンテナごとに判定される前記循環シフトは、同一のＷＴＲＵ固有サブフレームの中でＳＲＳを送信するアンテナに対する循環シフトの間の最大距離を与えることを特徴とする請求項３記載の方法。
【請求項５】
アンテナごとに判定される前記循環シフトは、同一のＷＴＲＵ固有サブフレームの中でＳＲＳを送信するアンテナに対する循環シフトの間の均等分布を与えることを特徴とする請求項３記載の方法。
【請求項６】
循環シフト多重化または異なる送信コム割当のうちの少なくとも１つは、前記所定のＷＴＲＵ固有サブフレームの中で複数のアンテナからの送信に使用されることを特徴とする請求項１記載の方法。
【請求項７】
循環シフト基準値を受信するステップと、
少なくとも前記循環シフト基準値に基づいてアンテナに対する循環シフトを判定するステップであって、アンテナごとに判定される前記循環シフトは、同一のＷＴＲＵ固有サブフレームの中でＳＲＳを送信するアンテナに対する循環シフトの間の最大距離を与える、ステップと
をさらに備えることを特徴とする請求項６記載の方法。
【請求項８】
前記所定のＷＴＲＵ固有サブフレームの中での複数のアンテナからのＳＲＳ送信は、並列に行われることを特徴とする請求項１記載の方法。
【請求項９】
アンテナの前記所定の数は、前記ＷＴＲＵで使用可能なアンテナの数未満であることを特徴とする請求項１記載の方法。
【請求項１０】
前記ＷＴＲＵ固有ＳＲＳサブフレームは、周期的ＳＲＳ送信と非周期的ＳＲＳ送信とで異なることを特徴とする請求項１記載の方法。
【請求項１１】
物理アップリンク共有チャネル（ＰＵＳＣＨ）とＳＲＳに対する前記ＷＴＲＵ固有構成との間のリソース割振オーバーラップを判定するステップと、
部分的オーバーラップを条件としてサブフレームの最後のシンボルの中でＰＵＳＣＨ送信を差し控えるステップと
をさらに備えることを特徴とする請求項１記載の方法。
【請求項１２】
複数のアンテナ無線送信受信ユニット（ＷＴＲＵ）であって、
ＳＲＳ送信を実行するための、ＷＴＲＵ固有ＳＲＳサブフレームの、ＷＴＲＵ固有構成を受信するように構成された受信機と、
所定の数のアンテナに対するＳＲＳを送信するためにトリガを基地局から受信するようにさらに構成された前記受信機と、
前記構成されたＷＴＲＵ固有ＳＲＳサブフレームからの、少なくともトリガするサブフレームに、前記トリガするサブフレームの後の４サブフレームを加えた、第１のＷＴＲＵ固有サブフレームの中で前記所定の数のアンテナに対する前記ＳＲＳを送信するように構成された送信機と
を備えたことを特徴とするＷＴＲＵ。
【請求項１３】
無線送信受信ユニット（ＷＴＲＵ）においてアップリンクサウンディング基準信号（ＳＲＳ）送信を実行する方法であって、
ＳＲＳ送信を実行するための、ＷＴＲＵ固有ＳＲＳサブフレームの、ＷＴＲＵ固有構成を受信するステップと、
ＳＲＳを送信するためにトリガを基地局から受信するステップと、
少なくともトリガするサブフレームに、前記トリガするサブフレームの後の４サブフレームを加えた、第１のＷＴＲＵ固有サブフレームの中で前記ＳＲＳを送信するステップと
を備えることを特徴とする方法。
【発明の詳細な説明】
【技術分野】
【０００１】
本願は、無線通信に関する。
【背景技術】
【０００２】
関連出願の相互参照
本願は、その内容が参照によって本明細書に組み込まれている、２０１０年４月２日に出願した米国特許仮出願第６１／３２０，５７６号明細書、２０１０年４月３０日に出願した米国特許仮出願第６１／３３０，１５８号明細書、および２０１０年１０月１日に出願した米国特許仮出願第６１／３８８，９９２号明細書の利益を主張するものである。
【０００３】
ＬＴＥ（Ｌｏｎｇ  Ｔｅｒｍ  Ｅｖｏｌｕｔｉｏｎ）Ｒｅｌｅａｓｅ  ８（Ｒ８）およびＲｅｌｅａｓｅ  ９（Ｒ９）について、無線送信受信ユニット（ＷＴＲＵ）は、ブロードキャストおよび無線リソース制御（ＲＲＣ）専用シグナリングの組合せを介して発展型ノードＢ（ｅＮＢ:ｅｖｏｌｖｅｄ  Ｎｏｄｅ  Ｂ）によってＷＴＲＵに半静的に供給されるスケジュールおよび送信パラメータに基づいて、サウンディング基準信号（ＳＲＳ：ｓｏｕｎｄｉｎｇ  ｒｅｆｅｒｅｎｃｅ  ｓｉｇｎａｌ）を周期的に送信する。セル固有ＳＲＳ構成は、ＳＲＳが所与のセルについてＷＴＲＵによって送信されることが許可されるサブフレームを定義する。ＷＴＲＵ固有ＳＲＳ構成は、特定のＷＴＲＵによって使用されるサブフレームおよび送信パラメータを定義する。これらの構成は、ＲＲＣシグナリングを介してＷＴＲＵに供給される。そのＷＴＲＵ固有サブフレーム内で、ＷＴＲＵは、単一のＳＲＳ送信を有する関心を持たれている周波数帯全体に渡ってまたはＳＲＳ送信のシーケンスが合同で関心を持たれている周波数帯をカバーする形で帯域のうちで周波数領域でのホッピングを有する部分に渡って、最後のシンボル内でＳＲＳを送信することができる。循環シフトおよび送信コム（ｔｒａｎｓｍｉｓｓｉｏｎ  ｃｏｍｂ）は、より上のレイヤのシグナリングによって構成可能である。ＬＴＥ  Ｒ８／９では、８つの異なる循環シフトの最大値および２つの異なる送信コムが可能である。送信コムは、周波数多重化方式であり、各コムは、関心を持たれている帯域上の１つおきの副搬送波を含む。異なる循環シフトによるＳＲＳ送信の多重化とは異なって、ＳＲＳ送信の周波数多重化は、同一の周波数帯をカバーするための送信を必要としない。
【発明の概要】
【発明が解決しようとする課題】
【０００４】
ＬＴＥ−Ａ（ＬＴＥ−Ａｄｖａｎｃｅｄ）（少なくともＬＴＥ  Ｒ１０（ＬＴＥ  Ｒｅｌｅａｓｅ  １０）を指す）は、不必要なＳＲＳ送信の数を減らし、複数のアンテナを有するＷＴＲＵのために必要な追加されたＳＲＳ送信をサポートするための十分なＳＲＳリソースを有しないという潜在的問題を軽減するために、非周期的ＳＲＳ送信を提供することができる。具体的に言うと、動的非周期的ＳＲＳを提供することができるが、シグナリングおよび他の態様は、識別されていない。非周期的ＳＲＳ送信について、ＷＴＲＵは、ＳＲＳをどのサブフレーム（１つまたは複数）でどのパラメータを用いて送信すべきかを知る必要がある可能性がある。循環シフトおよび送信コムなどのＬＴＥ  Ｒ８パラメータに加えて、ＷＴＲＵは、どのコンポーネントキャリア（ＣＣ）上でどのアンテナ（１つまたは複数）を用いて送信すべきかを知る必要もある可能性がある。ＷＴＲＵが、非周期的ＳＲＳをいつ送信すべきかを知るために、アップリンク（ＵＬ）グラント、ダウンリンク（ＤＬ）グラント、ＲＲＣシグナリング、媒体アクセス制御（ＭＡＣ）制御要素、およびグループベースまたは個々のベースのＰＤＣＣＨ（物理ダウンリンク制御チャネル）を含む複数のトリガする機構を使用することができる。ＵＬグラントまたはＤＬグラントの使用に関して、アクティブ化ビット（１つまたは複数）を使用することができると同時に、グラントのみを有することをトリガとすることができるが、詳細は提供されていない。ＳＲＳ送信リソース／パラメータを構成する機構は、ＲＲＣシグナリングを介する半静的構成ならびにトリガと共に含まれるＰＤＣＣＨベースの構成を含むことができるが、やはり、詳細は提供されていない。
【課題を解決するための手段】
【０００５】
アップリンクサウンディング基準信号（ＳＲＳ）構成および送信の方法および装置。この方法は、ＳＲＳを送信するために無線送信受信ユニット(ＷＴＲＵ）固有ＳＲＳサブフレームの構成を受信するステップと、基地局からのトリガの受信時に所与の個数のアンテナに関するＳＲＳを送信するステップとを含む。ＳＲＳ送信は、トリガするサブフレームから複数のＷＴＲＵ固有ＳＲＳサブフレームだけ後に始まるＷＴＲＵ固有ＳＲＳサブフレームの持続時間のそれぞれのサブフレームに発生することができる。複数のアンテナからの複数のＳＲＳ送信について、循環シフト多重化および異なる送信コムを使用することができる。アンテナの循環シフトを、循環シフト基準値から判定することができ、アンテナごとに判定される循環シフトは、同一のＷＴＲＵ固有サブフレーム内でＳＲＳを送信するアンテナの循環シフトの間の最大距離または均等分布を提供する。ＷＴＲＵ固有サブフレーム内の複数のアンテナからのＳＲＳ送信を、並列に行うことができ、アンテナの個数を、ＷＴＲＵで使用可能なアンテナの個数未満とすることができる。ＳＲＳ、物理アップリンク共有チャネル、および物理アップリンク制御チャネルの間の衝突を処理する方法も提示される。
【図面の簡単な説明】
【０００６】
より詳細な理解を、添付図面に関連する例によって与えられる次の説明から得ることができる。
【０００７】
【図１Ａ】１つまたは複数の開示される実施形態を実施できる例の通信システムを示すシステム図である。
【図１Ｂ】図１Ａに示された通信システム内で使用できる例のＷＴＲＵ（無線送信受信ユニット）を示すシステム図である。
【図１Ｃ】図１Ａに示された通信システム内で使用できる例の無線アクセスネットワークおよび例のコアネットワークを示すシステム図である。
【図２】例のＳＲＳ（サウンディング基準信号）構成および送信を示す流れ図である。
【図３】最大循環シフト分離を判定する例の手順を示す流れ図である。
【図４】ＳＲＳ（サウンディング基準信号）送信サブフレーム、循環シフト（ＣＳ）、および送信コム（ＴＣ）を示す図である。
【図５】ＳＲＳ送信サブフレーム、ＣＳ、およびＴＣを示す図である。
【図６】ＳＲＳ送信サブフレーム、ＣＳ、およびＴＣを示す図である。
【図７】ＳＲＳ送信サブフレーム、ＣＳ、およびＴＣを示す図である。
【図８】ＳＲＳ送信サブフレーム、ＣＳ、およびＴＣを示す図である。
【図９】ＳＲＳ送信とＰＵＳＣＨ（物理アップリンク共有チャネル）送信との間の衝突を処理する例の手順を示す流れ図である。
【図１０】ＳＲＳ送信とＰＵＣＣＨ（物理アップリンク制御チャネル）送信との間の衝突を処理する例の手順を示す流れ図である。
【発明を実施するための形態】
【０００８】
図１Ａは、１つまたは複数の開示される実施形態を実施できる例の通信システム１００の図である。通信システム１００を、音声、データ、ビデオ、メッセージング、ブロードキャスト、その他などのコンテンツを複数の無線ユーザに提供する多元接続システムとすることができる。通信システム１００は、複数の無線ユーザが、無線帯域幅を含むシステムリソースの共有を介してそのようなコンテンツにアクセスすることを可能にすることができる。たとえば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（シングルキャリアＦＤＭＡ）、および類似物などの１つまたは複数のチャネルアクセス方法を使用することができる。
【０００９】
図１Ａに示されているように、通信システム１００は、無線送信受信ユニット（ＷＴＲＵ）１０２ａ、１０２ｂ、１０２ｃ、１０２ｄ、無線アクセスネットワーク(ＲＡＮ）１０４、コアネットワーク１０６、公衆交換電話網（ＰＳＴＮ）１０８、インターネット１１０、および他のネットワーク１１２を含むことができるが、開示される実施形態が、任意の個数のＷＴＲＵ、基地局、ネットワーク、および／またはネットワーク要素を企図することを了解されたい。ＷＴＲＵ  １０２ａ、１０２ｂ、１０２ｃ、１０２ｄのそれぞれを、無線環境内で動作し、かつ／または通信するように構成された任意のタイプのデバイスとすることができる。たとえば、ＷＴＲＵ  １０２ａ、１０２ｂ、１０２ｃ、１０２ｄを、無線信号を送信し、かつ／または受信するように構成することができ、ＷＴＲＵ  １０２ａ、１０２ｂ、１０２ｃ、１０２ｄは、ユーザ機器（ＵＥ）、移動局、固定のまたは可動の加入者ユニット、ポケットベル、セルラ電話機、携帯情報端末（ＰＤＡ）、スマートホン、ラップトップ機、ネットブック、パーソナルコンピュータ、無線センサ、消費者エレクトロニクス、中継ノード、および類似物を含むことができる。
【００１０】
通信システム１００は、基地局１１４ａおよび基地局１１４ｂをも含むことができる。基地局１１４ａ、１１４ｂのそれぞれは、コアネットワーク１０６、インターネット１１０、および／またはネットワーク１１２などの１つまたは複数の通信ネットワークへのアクセスを容易にするためにＷＴＲＵ  １０２ａ、１０２ｂ、１０２ｃ、１０２ｄのうちの少なくとも１つと無線でインターフェースするように構成された任意のタイプのデバイスとすることができる。たとえば、基地局１１４ａ、１１４ｂを、無線基地局（ＢＴＳ）、ノード−Ｂ（Ｎｏｄｅ−Ｂ）、発展型ノードＢ（ｅＮｏｄｅ  Ｂ）、Ｈｏｍｅ  Ｎｏｄｅ  Ｂ、Ｈｏｍｅ  ｅＮｏｄｅ  Ｂ、サイトコントローラ、アクセスポイント（ＡＰ）、無線ルータ、中継ノード、および類似物とすることができる。基地局１１４ａ、１１４ｂは、それぞれ単一の要素として図示されているが、基地局１１４ａ、１１４ｂが、任意の個数の相互接続された基地局および／またはネットワーク要素を含むことができることを了解されたい。
【００１１】
基地局１１４ａを、ＲＡＮ  １０４の一部とすることができ、ＲＡＮ  １０４は、他の基地局および／または基地局制御装置（ＢＳＣ）、無線ネットワーク制御装置（ＲＮＣ）、リレーノード、その他などのネットワーク要素（図示せず）を含むこともできる。基地局１１４ａおよび／または基地局１１４ｂを、セル（図示せず）と称する場合もある特定の地理的領域内で無線信号を送信し、かつ／または受信するように構成することができる。セルを、さらに、セルセクタに分割することができる。たとえば、基地局１１４ａに関連するセルを、３つのセクタに分割することができる。したがって、一実施形態では、基地局１１４ａは、３つのトランシーバすなわち、セルのセクタごとに１つのトランシーバを含むことができる。別の実施形態では、基地局１１４ａは、ＭＩＭＯ（ｍｕｌｔｉｐｌｅ−ｉｎｐｕｔ  ｍｕｌｔｉｐｌｅ  ｏｕｔｐｕｔ）技術を使用することができ、したがって、セルのセクタごとに複数のトランシーバを利用することができる。
【００１２】
基地局１１４ａ、１１４ｂは、エアインターフェース１１６を介してＷＴＲＵ  １０２ａ、１０２ｂ、１０２ｃ、１０２ｄのうちの１つまたは複数と通信することができ、エアインターフェース１１６は、任意の適切な無線通信リンク（たとえば、ラジオ周波数（ＲＦ）、マイクロ波、赤外線（ＩＲ）、紫外線（ＵＶ）、可視光、その他）とすることができる。エアインターフェース１１６を、任意の適切な無線アクセス技術(ＲＡＴ：ｒａｄｉｏ  ａｃｃｅｓｓ  ｔｅｃｈｎｏｌｏｇｙ）を使用して確立することができる。
【００１３】
より具体的には、上で注記したように、通信システム１００は、多元接続システムとすることができ、ＣＤＭＡ、ＴＤＭＡ、ＦＤＭＡ、ＯＦＤＭＡ、ＳＣ−ＦＤＭＡ、および類似物など、１つまたは複数のチャネルアクセス方式を使用することができる。たとえば、ＲＡＮ  １０４内の基地局１１４ａおよびＷＴＲＵ  １０２ａ、１０２ｂ、１０２ｃは、ＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ）などの無線技術を実施することができ、ＵＴＲＡは、ＷＣＤＭＡ（ｗｉｄｅｂａｎｄ  ＣＤＭＡ）を使用してエアインターフェース１１６を確立することができる。ＷＣＤＭＡは、ＨＳＰＡ（Ｈｉｇｈ−Ｓｐｅｅｄ  Ｐａｃｋｅｔ  Ａｃｃｅｓｓ）および／またはＨＳＰＡ＋（Ｅｖｏｌｖｅｄ  ＨＳＰＡ）などの通信プロトコルを含むことができる。ＨＳＰＡは、高速ダウンリンクパケットアクセス（ＨＳＤＰＡ：Ｈｉｇｈ−Ｓｐｅｅｄ  Ｄｏｗｎｌｉｎｋ  Ｐａｃｋｅｔ  Ａｃｃｅｓｓ）および／または高速アップリンクパケットアクセス（ＨＳＵＰＡ：Ｈｉｇｈ−Ｓｐｅｅｄ  Ｕｐｌｉｎｋ  Ｐａｃｋｅｔ  Ａｃｃｅｓｓ）を含むことができる。
【００１４】
別の実施形態では、基地局１１４ａおよびＷＴＲＵ  １０２ａ、１０２ｂ、１０２ｃは、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実施することができ、Ｅ−ＵＴＲＡは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を使用してエアインターフェース１１６を確立することができる。
【００１５】
他の実施形態では、基地局１１４ａおよびＷＴＲＵ  １０２ａ、１０２ｂ、１０２ｃは、ＩＥＥＥ  ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）、および類似物などの無線技術を実施することができる。
【００１６】
図１Ａの基地局１１４ｂは、たとえば無線ルータ、Ｈｏｍｅ  Ｎｏｄｅ  Ｂ、Ｈｏｍｅ  ｅＮｏｄｅ  Ｂ、またはアクセスポイントとすることができ、仕事場、家庭、車両、キャンパス、および類似物など、局所化された区域内での無線接続性を容易にするために任意の適切なＲＡＴを利用することができる。一実施形態では、基地局１１４ｂおよびＷＴＲＵ  １０２ｃ、１０２ｄは、無線ローカルエリアネットワーク（ＷＬＡＮ）を確立するためにＩＥＥＥ  ８０２．１１などの無線技術を実施することができる。別の実施形態では、基地局１１４ｂおよびＷＴＲＵ  １０２ｃ、１０２ｄは、無線パーソナルエリアネットワーク(ＷＰＡＮ）を確立するためにＩＥＥＥ  ８０２．１５などの無線技術を実施することができる。別の実施形態では、基地局１１４ｂおよびＷＴＲＵ  １０２ｃ、１０２ｄは、ピコセルまたはフェムトセルを確立するためにセルラベースのＲＡＴ（たとえば、ＷＣＤＭＡ、ＣＤＭＡ２０００、ＧＳＭ、ＬＴＥ、ＬＴＥ−Ａ、その他）を利用することができる。図１Ａに示されているように、基地局１１４ｂは、インターネット１１０への直接接続を有することができる。したがって、基地局１１４ｂは、コアネットワーク１０６を介してインターネット１１０にアクセスすることを要求されないものとすることができる。
【００１７】
ＲＡＮ  １０４は、コアネットワーク１０６と通信しているものとすることができ、コアネットワーク１０６は、音声、データ、アプリケーション、および／またはＶｏＩＰ（ｖｏｉｃｅ  ｏｖｅｒ  ｉｎｔｅｒｎｅｔ  ｐｒｏｔｏｃｏｌ）のサービスをＷＴＲＵ  １０２ａ、１０２ｂ、１０２ｃ、１０２ｄのうちの１つまたは複数に提供するように構成された任意のタイプのネットワークとすることができる。たとえば、コアネットワーク１０６は、呼制御、請求サービス、モバイルロケーションベースのサービス、前払い呼、インターネット接続性、ビデオ分配、その他を提供し、かつ／またはユーザ認証などの高レベルセキュリティ機能を実行することができる。図１Ａには図示されていないが、ＲＡＮ  １０４および／またはコアネットワーク１０６が、ＲＡＮ  １０４と同一のＲＡＴまたは異なるＲＡＴを使用する他のＲＡＮと直接にまたは間接に通信していることができることを了解されたい。たとえば、Ｅ−ＵＴＲＡ無線技術を利用している可能性があるＲＡＮ  １０４に接続されることに加えて、コアネットワーク１０６は、ＧＳＭ無線技術を利用している別のＲＡＮ（図示せず）と通信していることもできる。
【００１８】
コアネットワーク１０６は、ＷＴＲＵ  １０２ａ、１０２ｂ、１０２ｃ、１０２ｄがＰＳＴＮ  １０８、インターネット１１０、および／または他のネットワーク１１２にアクセスするためのゲートウェイとして働くこともできる。ＰＳＴＮ  １０８は、基本電話サービス（ＰＯＴＳ）を提供する回線交換電話網を含むことができる。インターネット１１０は、伝送制御プロトコル（ＴＣＰ）／インターネットプロトコル（ＩＰ）インターネットプロトコルスイート内のＴＣＰ、ＵＤＰ（ユーザデータグラムプロトコル）、およびＩＰなどの共通の通信プロトコルを使用する相互接続されたコンピュータネットワークおよびデバイスの全世界のシステムを含むことができる。ネットワーク１１２は、他のサービスプロバイダによって所有され、かつ／または運営される有線または無線の通信ネットワークを含むことができる。たとえば、ネットワーク１１２は、ＲＡＮ  １０４と同一のＲＡＴまたは異なるＲＡＴを使用することができる１つまたは複数のＲＡＮに接続された別のコアネットワークを含むことができる。
【００１９】
通信システム１００内のＷＴＲＵ  １０２ａ、１０２ｂ、１０２ｃ、１０２ｄの一部またはすべては、マルチモード能力を含むことができる、すなわち、ＷＴＲＵ  １０２ａ、１０２ｂ、１０２ｃ、１０２ｄは、異なる無線リンクを介して異なる無線ネットワークと通信する複数のトランシーバを含むことができる。たとえば、図１Ａに示されたＷＴＲＵ  １０２ｃを、セルラベースの無線技術を使用できる基地局１１４ａおよびＩＥＥＥ  ８０２無線技術を使用できる基地局１１４ｂと通信するように構成することができる。
【００２０】
図１Ｂは、例のＷＴＲＵ  １０２のシステム図である。図１Ｂに示されているように、ＷＴＲＵ  １０２は、プロセッサ１１８、トランシーバ１２０、送信受信要素１２２、スピーカ／マイクロホン１２４、キーパッド１２６、ディスプレイ／タッチパッド１２８、ノンリムーバブルメモリ１０６、リムーバブルメモリ１３２、電源１３４、全地球測位システム（ＧＰＳ）チップセット１３６、および他の周辺機器１３８を含むことができる。ＷＴＲＵ  １０２が、実施形態と一貫したままでありながら前述の要素の任意の副組合せを含むことができることを了解されたい。
【００２１】
プロセッサ１１８を、汎用プロセッサ、特殊目的プロセッサ、従来のプロセッサ、ディジタル信号プロセッサ（ＤＳＰ）、複数のマイクロプロセッサ、ＤＳＰコアに関連する１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械、および類似物とすることができる。プロセッサ１１８は、信号符号化、データ処理、電力制御、入出力処理、および／またはＷＴＲＵ  １０２が無線環境内で動作することを可能にする任意の他の機能性を実行することができる。プロセッサ１１８を、トランシーバ１２０に結合することができ、トランシーバ１２０を、送信受信要素１２２に結合することができる。図１Ｂは、別々のコンポーネントとしてプロセッサ１１８およびトランシーバ１２０を示すが、プロセッサ１１８およびトランシーバ１２０を、電子パッケージまたはチップ内に一緒に一体化することができることを了解されたい。
【００２２】
エアインターフェース１１６を介して基地局（たとえば、基地局１１４ａ）へ信号を送信しまたはこれから信号を受信するように、送信受信要素１２２を構成することができる。たとえば、一実施形態では、送信受信要素１２２を、ＲＦ信号を送信し、かつ／または受信するように構成されたアンテナとすることができる。別の実施形態では、送信受信要素１２２を、たとえばＩＲ、ＵＶ、または可視光信号を送信し、かつ／または受信するように構成されたエミッタ／検出器とすることができる。別の実施形態では、送信受信要素１２２を、ＲＦ信号と光信号との両方を送信し、受信するように構成することができる。送信受信要素１２２を、無線信号の任意の組合せを送信し、かつ／または受信するように構成することができることを了解されたい。
【００２３】
さらに、送信受信要素１２２は、図１Ｂでは単一の要素として図示されているが、ＷＴＲＵ  １０２は、任意の個数の送信受信要素１２２を含むことができる。より具体的には、ＷＴＲＵ  １０２は、ＭＩＭＯ技術を使用することができる。したがって、一実施形態では、ＷＴＲＵ  １０２は、エアインターフェース１１６を介して無線信号を送信し、受信する複数の送信受信要素１２２（たとえば、複数のアンテナ）を含むことができる。
【００２４】
送信受信要素１２２によって送信される信号を変調し、送信受信要素１２２によって受信される信号を復調するように、トランシーバ１２０を構成することができる。上で注記したように、ＷＴＲＵ  １０２は、マルチモード能力を有することができる。したがって、トランシーバ１２０は、ＷＴＲＵ  １０２がたとえばＵＴＲＡおよびＩＥＥＥ  ８０２．１１などの複数のＲＡＴを介して通信することを可能にする複数のトランシーバを含むことができる。
【００２５】
ＷＴＲＵ  １０２のプロセッサ１１８は、スピーカ／マイクロホン１２４、キーパッド１２６、および／またはディスプレイ／タッチパッド１２８（たとえば、ＬＣＤ（液晶ディスプレイ）表示ユニットまたは有機発光ダイオード（ＯＬＥＤ）表示ユニット）に結合され、またはこれらからユーザ入力データを受け取ることができる。プロセッサ１１８は、ユーザデータをスピーカ／マイクロホン１２４、キーパッド１２６、および／またはディスプレイ／タッチパッド１２８に出力することもできる。さらに、プロセッサ１１８は、ノンリムーバブルメモリ１３０および／またはリムーバブルメモリ１３２などの任意のタイプの適切なメモリからの情報にアクセスし、そのメモリにデータを格納することができる。ノンリムーバブルメモリ１３０は、ランダムアクセスメモリ（ＲＡＭ）、読取り専用メモリ（ＲＯＭ）、ハードディスク、または任意の他のタイプのメモリストレージデバイスを含むことができる。リムーバブルメモリ１３２は、加入者識別モジュール（ＳＩＭ：ｓｕｂｓｃｒｉｂｅｒ  ｉｄｅｎｔｉｔｙ  ｍｏｄｕｌｅ）カード、メモリスティック、ＳＤ（ｓｅｃｕｒｅ  ｄｉｇｉｔａｌ）メモリカード、および類似物を含むことができる。他の実施形態では、プロセッサ１１８は、サーバ上またはホームコンピュータ（図示せず）上など、ＷＴＲＵ  １０２上に物理的に配置されていないメモリからの情報にアクセスし、そのメモリにデータを格納することができる。
【００２６】
プロセッサ１１８は、電源１３４から電力を受け取ることができ、ＷＴＲＵ  １０２内の他のコンポーネントに電力を分配し、かつ／または制御するように構成することができる。電源１３４は、ＷＴＲＵ  １０２に電力を供給する任意の適切なデバイスとすることができる。たとえば、電源１３４は、１つまたは複数の乾電池（たとえば、ＮｉＣｄ（ニッケル−カドミウム）、ＮｉＺｎ（ニッケル−亜鉛）、ＮｉＭＨ（ニッケル水素）、リチウムイオン（Ｌｉ−ｉｏｎ）、その他）、太陽電池、燃料電池、および類似物を含むことができる。
【００２７】
プロセッサ１１８を、ＧＰＳチップセット１３６に結合することもでき、ＧＰＳチップセット１３６を、ＷＴＲＵ  １０２の現在ロケーションに関するロケーション情報（たとえば、経度および緯度）を提供するように構成することができる。ＧＰＳチップセット１３６からの情報に加えてまたはその代わりに、ＷＴＲＵ  １０２は、基地局（たとえば、基地局１１４ａ、１１４ｂ）からエアインターフェース１１６を介してロケーション情報を受信し、かつ／または複数の近くの基地局から受信されつつある信号のタイミングに基づいてそのロケーションを判定することができる。ＷＴＲＵ  １０２が、実施形態と一貫したままでありながら任意の適切なロケーション判定方法によってロケーション情報を獲得できることを了解されたい。
【００２８】
プロセッサ１１８を、他の周辺機器１３８にさらに結合することができ、他の周辺機器１３８は、追加の特徴、機能性、および／または有線もしくは無線の接続性を提供する１つまたは複数のソフトウェアモジュールおよび／またはハードウェアモジュールを含むことができる。たとえば、周辺機器１３８は、加速度計、ｅコンパス、衛星トランシーバ、ディジタルカメラ（写真またはビデオ用）、ＵＳＢ（ｕｎｉｖｅｒｓａｌ  ｓｅｒｉａｌ  ｂｕｓ）ポート、振動デバイス、テレビジョントランシーバ、ハンズフリーヘッドセット、Ｂｌｕｅｔｏｏｔｈ（登録商標）モジュール、ＦＭ（周波数変調）ラジオユニット、ディジタル音楽プレイヤ、メディアプレイヤ、ビデオゲームプレイヤモジュール、インターネットブラウザ、および類似物を含むことができる。
【００２９】
図１Ｃは、一実施形態によるＲＡＮ  １０４およびコアネットワーク１０６のシステム図である。上で注記したように、ＲＡＮ  １０４は、エアインターフェース１１６を介してＷＴＲＵ  １０２ａ、１０２ｂ、１０２ｃと通信するのにＥ−ＵＴＲＡ無線技術を使用することができる。ＲＡＮ  １０４は、コアネットワーク１０６と通信していることもできる。
【００３０】
ＲＡＮ  １０４は、ｅＮｏｄｅ−Ｂ  １４０ａ、１４０ｂ、１４０ｃを含むことができるが、ＲＡＮ  １０４が、実施形態と一貫したままでありながら任意の個数のｅＮｏｄｅ−Ｂを含むことができることを了解されたい。ｅＮｏｄｅ−Ｂ  １４０ａ、１４０ｂ、１４０ｃは、それぞれ、エアインターフェース１１６を介してＷＴＲＵ  １０２ａ、１０２ｂ、１０２ｃと通信する１つまたは複数のトランシーバを含むことができる。一実施形態では、ｅＮｏｄｅ−Ｂ  １４０ａ、１４０ｂ、１４０ｃは、ＭＩＭＯ技術を実施することができる。したがって、たとえばｅＮｏｄｅ−Ｂ  １４０ａは、ＷＴＲＵ  １０２ａに無線信号を送信し、ＷＴＲＵ  １０２ａから無線信号を受信するのに、複数のアンテナを使用することができる。
【００３１】
ｅＮｏｄｅ−Ｂ  １４０ａ、１４０ｂ、１４０ｃのそれぞれを、特定のセル（図示せず）に関連付けることができ、無線リソース管理判断、ハンドオーバ判断、アップリンクおよび／またはダウンリンクでのユーザのスケジューリング、ならびに類似物を処理するように構成することができる。図１Ｃに示されているように、ｅＮｏｄｅ−Ｂ  １４０ａ、１４０ｂ、１４０ｃは、Ｘ２インターフェースを介してお互いと通信することができる。
【００３２】
図１Ｃに示されたコアネットワーク１０６は、ＭＭＥ（ｍｏｂｉｌｉｔｙ  ｍａｎａｇｅｍｅｎｔ  ｇａｔｅｗａｙ）１４２、サービングゲートウェイ１４４、およびＰＤＮ（ｐａｃｋｅｔ  ｄａｔａ  ｎｅｔｗｏｒｋ）ゲートウェイ１４６を含むことができる。前述の要素のそれぞれが、コアネットワーク１０６の一部として図示されているが、これらの要素の任意の１つが、コアネットワークオペレータ以外のエンティティによって所有され、かつ／または運営される場合があることを了解されたい。
【００３３】
ＭＭＥ  １４２は、Ｓ１インターフェースを介してＲＡＮ  １０４内のｅＮｏｄｅ−Ｂ  １４２ａ、１４２ｂ、１４２ｃのそれぞれに接続することができ、制御ノードとして働くことができる。たとえば、ＭＭＥ  １４２は、ＷＴＲＵ  １０２ａ、１０２ｂ、１０２ｃのユーザの認証、ベアラアクティブ化／非アクティブ化、ＷＴＲＵ  １０２ａ、１０２ｂ、１０２ｃの初期アタッチ中の特定のサービングゲートウェイの選択、および類似物の責任を負うことができる。ＭＭＥ  １４２は、ＲＡＮ  １０４とＧＳＭまたはＷＣＤＭＡなどの他の無線技術を使用する他のＲＡＮ（図示せず）との間の切替のための制御プレーン機能を提供することもできる。
【００３４】
サービングゲートウェイ１４４を、Ｓ１インターフェースを介してＲＡＮ  １０４内のｅＮｏｄｅ  Ｂ  １４０ａ、１４０ｂ、１４０ｃのそれぞれに接続することができる。サービングゲートウェイ１４４は、一般に、ＷＴＲＵ  １０２ａ、１０２ｂ、１０２ｃへ／からユーザデータパケットをルーティングし、転送することができる。サービングゲートウェイ１４４は、ｅＮｏｄｅ  Ｂ間ハンドオーバ中のユーザプレーンのアンカリング、ダウンリンクデータがＷＴＲＵ  １０２ａ、１０２ｂ、１０２ｃのために使用可能である時のページングのトリガ、ＷＴＲＵ  １０２ａ、１０２ｂ、１０２ｃのコンテンツの管理および格納、ならびに類似物など、他の機能を実行することもできる。
【００３５】
サービングゲートウェイ１４４を、ＰＤＮゲートウェイ１４６に接続することもでき、ＰＤＮゲートウェイ１４６は、ＷＴＲＵ  １０２ａ、１０２ｂ、１０２ｃとＩＰ対応デバイスとの間の通信を容易にするために、インターネット１１０などのパケット交換ネットワークへのアクセスをＷＴＲＵ  １０２ａ、１０２ｂ、１０２ｃに与えることができる。
【００３６】
コアネットワーク１０６は、他のネットワークとの通信を容易にすることができる。たとえば、コアネットワーク１０６は、ＷＴＲＵ  １０２ａ、１０２ｂ、１０２ｃと伝統的な陸線通信デバイスとの間の通信を容易にするために、ＰＳＴＮ  １０８などの回線交換ネットワークへのアクセスをＷＴＲＵ  １０２ａ、１０２ｂ、１０２ｃに与えることができる。たとえば、コアネットワーク１０６は、コアネットワーク１０６とＰＳＴＮ  １０８との間のインターフェースとして働くＩＰゲートウェイ（たとえば、ＩＭＳ（ＩＰ  ｍｕｌｔｉｍｅｄｉａ  ｓｕｂｓｙｓｔｅｍ）サーバ）を含むことができ、またはこれと通信することができる。さらに、コアネットワーク１０６は、ネットワーク１１２へのアクセスをＷＴＲＵ  １０２ａ、１０２ｂ、１０２ｃに与えることができ、このネットワーク１１２は、他のサービスプロバイダによって所有され、かつ／または運営される他の有線のまたは無線のネットワークを含むことができる。
【００３７】
ＬＴＥ  Ｒｅｌｅａｓｅ  ８およびＲｅｌｅａｓｅ  ９（ＬＴＥ  Ｒ８／９）では、セル固有ＳＲＳ（サウンディング基準信号）構成が、ＳＲＳが所与のセルについてＷＴＲＵによって送信されることが許可されるサブフレームを定義する。ＷＴＲＵ固有ＳＲＳ構成は、特定のＷＴＲＵによって使用されるサブフレームおよび送信パラメータを定義する。これらの構成は、ＲＲＣ（無線リソース制御）シグナリングを介してＷＴＲＵに供給される。セル固有サブフレーム構成は、０，１，２，…１５とい可能な整数値を有する構成番号の形でＷＴＲＵに供給される。この番号すなわちＳｕｂｆｒａｍｅＣｏｎｆｉｇは、より上のレイヤによって提供される。各構成番号は、サブフレーム単位の構成周期ＴSFCと、ＳＲＳ送信のサブフレーム単位の１つまたは複数のセル固有送信オフセットΔSFCのセットとに対応する。構成周期ＴSFCは、ＦＤＤ（周波数分割複信）について集合｛１，２，５，１０｝ｍｓまたはサブフレームから、ＴＤＤ（時分割複信）について集合｛５，１０｝ｍｓまたはサブフレームから選択される。送信オフセットΔSFCは、ＳＲＳのためにセル内で使用できる各構成周期内のサブフレーム（１つまたは複数）を識別する。ｓｒｓ−ＳｕｂｆｒａｍｅＣｏｎｆｉｇ、ＴSFC、およびΔSFCの間の関係は、ＦＤＤについて表１、ＴＤＤについて表２で与えられる。ＳＲＳサブフレームは、
【００３８】
【数１】
0005514954.tif 000002
【００３９】
を満足するサブフレームであり、ここで、ｎsは、フレーム内のスロット番号である。フレーム構造タイプ２について、ＳＲＳを、構成されたアップリンク（ＵＬ）サブフレームまたはアップリンクパイロットタイムスロット（ＵｐＰＴＳ）内でのみ送信することができる。
【００４０】
【表１】
0005514954.tif 000003
【００４１】
【表２】
0005514954.tif 000004
【００４２】
次のＳＲＳパラメータは、ＷＴＲＵ固有であり、より上のレイヤによって半静的に構成可能である。送信コムｋTC、開始物理リソース割当ｎRRC、持続時間：単一または無期限（ディスエーブルされるまで）、ＳＲＳ周期性ＴSRSおよびＳＲＳサブフレームオフセットＴoffsetに対応するＳＲＳ構成インデックスｓｒｓ−ＣｏｎｆｉｇＩｎｄｅｘまたはＩSRS、ＳＲＳ帯域幅ＢSRS、周波数ホッピング帯域幅ｂhop、および循環シフト
【００４３】
【数２】
0005514954.tif 000005
【００４４】
。
【００４５】
ＷＴＲＵ固有ＳＲＳ構成インデックスとＳＲＳ周期性ＴSRSおよびＳＲＳサブフレームオフセットＴoffsetとの間の対応は、それぞれＦＤＤおよびＴＤＤについて下の表３および表４で定義される。ＳＲＳ送信の周期性ＴSRSは、集合｛２，５（５はＦＤＤのみ），１０，２０，４０，８０，１６０，３２０｝ｍｓまたはサブフレームから選択される。ＴＤＤでの２ｍｓのＳＲＳ周期性ＴSRSについて、２つのＳＲＳリソースを、ＵＬサブフレーム（１つまたは複数）を含む半フレーム内で構成することができる。
【００４６】
ＴSRS＞２を有するＴＤＤおよびＦＤＤのＳＲＳ送信の瞬間は、（１０・ｎf＋ｋSRS−Ｔoffset）ｍｏｄ  ＴSRS＝０を満足するサブフレームであり、ここで、ｎfは、システムフレーム番号であり、ＦＤＤについて、ｋSRS＝｛０，１，…，９｝は、フレーム内のサブフレームインデックスであり、ＴＤＤについて、ｋSRSは、下の表５で定義される。ＴSRS＝２を有するＴＤＤのＳＲＳ送信の瞬間は、（ｋSRS−Ｔoffset）ｍｏｄ  ５＝０を満足するサブフレームである。
【００４７】
【表３】
0005514954.tif 000006
【００４８】
【表４】
0005514954.tif 000007
【００４９】
【表５】
0005514954.tif 000008
【００５０】
セル固有サブフレーム構成を、ブロードキャストシステム情報を介してシグナリングする（すべてのＷＴＲＵに）ことができる。実際にシグナリングされるのは、周期ＴSFCおよび周期内の送信オフセット（１つまたは複数）ΔSFCを提供するｓｒｓ−ＳｕｂｆｒａｍｅＣｏｎｆｉｇである。ＷＴＲＵ固有サブフレーム構成は、専用シグナリングを介して各個々のＷＴＲＵにシグナリングされる。実際にシグナリングされるのは、ＷＴＲＵ固有周期ＴSRSおよび１つまたは２つ（ＩSRS＝２を有するＴＤＤについてのみ）のセットのＷＴＲＵ固有サブフレームオフセットＴoffsetを提供するＳＲＳ構成インデックスＩSRSである。
【００５１】
ＬＴＥ  Ｒ８では、ＷＴＲＵは、許可されるＳＲＳサブフレーム内で１つのアンテナポートだけからのＳＲＳ送信をサポートでき、少数のＷＴＲＵが広帯域ＳＲＳ送信から利益を得るために大きいＳＩＮＲ（信号対干渉雑音比）を有して展開されると仮定されるマクロセル内の動作に向けてターゲティングすることができる。したがって、ＳＲＳオーバーヘッドは、総アップリンク（ＵＬ）オーバーヘッドの大きい部分ではない可能性がある。ＬＴＥ  Ｒ８では（単一のＵＬ送信アンテナを有するＷＴＲＵについて）、ＵＬ容量の１／１２以下（ｅｘｔｅｎｄｅｄ  ＣＰ（ｃｙｃｌｉｃ  ｐｒｅｆｉｘ）の場合に）が、ＳＲＳ送信オーバーヘッドに起因して失われる可能性がある。ほとんどの構成について、消失は、１／１２未満である。
【００５２】
しかし、ＬＴＥ−Ａｄｖａｎｃｅｄ（ＬＴＥ−Ａ）（少なくともＬＴＥ  Ｒｅｌｅａｓｅ  １０（ＬＴＥ  Ｒ１０）を指す）、４つまでのアンテナを有するＵＬ  ＭＩＭＯ（ｍｕｌｔｉｐｌｅ  ｉｎｐｕｔ  ｍｕｌｔｉｐｌｅ  ｏｕｔｐｕｔ）では、ＳＲＳオーバーヘッドが、４倍に増える可能性がある。さらに、１つのコンポーネントキャリア（ＣＣ）内の不連続リソース割当（ＲＡ）、複数のＣＣを伴うＣＡ（ｃａｒｒｉｅｒ  ａｇｇｒｅｇａｔｉｏｎ）、ＵＬ  ＣｏＭＰ（ｃｏｏｒｄｉｎａｔｅｄ  ｍｕｌｔｉｐｌｅ  ｔｒａｎｓｍｉｔ）、およびホットスポット／屋内環境での拡張された展開を用いるＬＴＥ−Ａでは、ＳＲＳオーバーヘッドが大幅に増える可能性がある。
【００５３】
ＳＲＳ容量を、事前定義のサウンディング帯域幅（ｓｏｕｎｄｉｎｇ  ｂａｎｄｗｉｄｔｈ）およびチャネルコヒーレンス時間を介して送信できる最大個数のサウンディング基準信号として定義することができる。追加のサウンディングリソースを考慮せずに複数のアンテナにサウンディング基準信号を割り当てるためのＬＴＥ  Ｒ８／９ルールに従うと、ＳＲＳ容量は、狭帯域および広帯域のサウンディングケースのいずれのＬＴＥ  Ｒ１０要件を満足するのにも十分ではない可能性がある。
【００５４】
本明細書で説明するのは、ＵＬ  ＳＲＳの構成および送信の方法および装置である。ＷＴＲＵが、アンテナポートごとに、いつ、どの時間／周波数／符号リソース割当を用いてＳＲＳを送信すべきかを知るようにするために、方法および手順を提供する。具体的には、複数のＵＬアンテナポートを用いて、時間領域（ＳＲＳサブフレーム）、周波数領域（送信コム「ＴＣ」）、および符号領域（循環シフト、ＣＳ）でＷＴＲＵに関するＵＬ  ＳＲＳ送信のリソースを割り当てる方法である。用語「アンテナ」および「アンテナポート」を、ＳＲＳ送信に関して交換可能に使用することができる。説明される方法または解決策のいくつかは、２セルの例、セル１およびセル２を示す。しかし、これらの解決策を、任意の個数のサービングセルに適用可能とすることができる。セル１を、サービングセルのうちの任意の１つとすることができ、セル２を、サービングセルのうちの任意のもう１つとすることができる。方法または解決策を、個別にまたは任意の組合せで使用することができる。使用できる適用可能な解決策、方法、および類似物は、スケジューリングされるＳＲＳが周期的ＳＲＳまたは非周期的ＳＲＳのどちらであるのかに依存するものとすることができる。
【００５５】
本明細書で説明するのは、ＳＲＳサブフレームのリソース割当の方法である。ＬＴＥ  Ｒ８／９では、Ｒ８／９  ＷＴＲＵは、ＦＤＤについて１ＳＲＳ周期性ＴSRSあたり１つのＳＲＳサブフレーム、ＴＤＤについて１ＳＲＳ周期性ＴSRSあたり１つまたは２つのＳＲＳサブフレームの、第２タイムスロットの最後のＯＦＭＤ（直交周波数分割多重）シンボル内でＳＲＳを送信することができる。ＬＴＥ  Ｒ１０の例の方法では、複数のアンテナを有するＷＴＲＵは、ＷＴＲＵ固有サブフレームではないサブフレームを含む１ＳＲＳ周期性ＴSRSあたり１つまたは複数のサブフレーム内でＳＲＳ送信を実行することができる。ＷＴＲＵは、所与のＳＲＳ周期性ＴSRS内で発生するセル固有サブフレームを判定でき、これらのサブフレームのいくつかをＳＲＳの送信に使用することができる。
【００５６】
ＬＴＥ  Ｒ８では、ＷＴＲＵは、１回または構成がディスエーブルされるまでＳＲＳ送信が使用するための、サブフレームのＷＴＲＵ固有構成を与えられることができる。ＬＴＥ  Ｒ１０の別の例の方法では、持続時間Ｄを与えられて、ＷＴＲＵが次のＤ個のＷＴＲＵ固有ＳＲＳサブフレームのそれぞれでＳＲＳを送信することができるように、追加の持続時間Ｄを与えることができる。これを、複数の送信ＳＲＳまたはマルチショットＳＲＳと呼ぶことができ、他の詳細は、本明細書の下で説明される。たとえば、マルチショットＳＲＳは、周波数ホッピングに役立つ可能性がある。複数のアンテナを有するＷＴＲＵについて、ＷＴＲＵは、Ｄ個のサブフレームのそれぞれで異なるアンテナ（または複数のアンテナ）についてＳＲＳを送信することができる。ＳＲＳ送信に関するアンテナ（またはアンテナポート）の最大個数を、より上のレイヤのシグナリングによって構成することができ、または、ＰＤＣＣＨ（物理ダウンリンク制御チャネル）内のＤＣＩ（ダウンリンク制御情報）フォーマットなどのレイヤ１（Ｌ１）シグナリングを介してシグナリングすることができる。
【００５７】
アクティブ化時間を、構成と共に含めることができる。あるいは、アクティブ化時間および／またはトリガを、より上のレイヤによる、（ＲＲＣシグナリングまたは媒体アクセス制御（ＭＡＣ）シグナリング）、またはＰＤＣＣＨ内でＤＣＩフォーマットを介するなどのレイヤ１（Ｌ１）シグナリングによるなど、別々に提供することができる。アクティブ化時間は、ＳＲＳの送信をいつ開始すべきかを示すことができる。トリガは、ＳＲＳ送信の要求を示し、このＳＲＳ送信は、トリガの結果として、トリガが受信された時に対する相対的な事前定義の時刻または構成された時刻に発生することができる。アクティブ化時間は、特定のサブフレームまたはシステムフレーム番号、システムフレーム番号内のサブフレーム、アクティブ化時間がその中で受信されたサブフレームに対する相対的なサブフレームオフセット、またはトリガが受信された時に対する相対的なサブフレームオフセットを指定することができる。
【００５８】
既存のＷＴＲＵ固有ＳＲＳ構成を変更することに対する代替案として、持続時間およびオプションでアクティブ化時間を含む新しいＳＲＳ構成を定義することができる。
【００５９】
ＬＴＥ  Ｒ１０に関する別の例の方法では、ＷＴＲＵは、基地局から表示、たとえば
【００６０】
【数３】
0005514954.tif 000009
【００６１】
を受信することができ、これは、ＷＴＲＵがそのすべてのアンテナに関するＳＲＳ送信に使用できるサブフレームの個数を定義する。この表示
【００６２】
【数４】
0005514954.tif 000010
【００６３】
を、より上のレイヤのシグナリングによって構成可能とすることができ、または、ＰＤＣＣＨ内でＤＣＩフォーマットを介してシグナリングすることができる。異なる
【００６４】
【数５】
0005514954.tif 000011
【００６５】
値を、周期的ＳＲＳと非周期的ＳＲＳとについて提供することができる。
【００６６】
【数６】
0005514954.tif 000012
【００６７】
ＷＴＲＵが有する送信アンテナの個数について、複数のアンテナポートを、１つのＳＲＳサブフレームにマッピングすることができる。たとえば、各サブフレームでどのアンテナ（１つまたは複数）が送信すべきかを、事前に定義されたルール（たとえば、アンテナ１、２、３、４の順で）に基づくものとすることができる。あるいは、基地局がどのアンテナがどれであるのかを知らない場合があるので、ルールがない場合がある。この場合には、ＷＴＲＵが、順序を選択でき、常に同一の順序を使用することができる。これに対する例外は、あるサブフレーム内のＳＲＳ送信が、より高い優先順位の送信に起因してスキップされる時である可能性がある。次の機会について計画されたアンテナに関するＳＲＳを、その機会に送信することができる（スキップされたアンテナではなく）。
【００６８】
例示のために、表示
【００６９】
【数７】
0005514954.tif 000013
【００７０】
の場合には、これは、ＷＴＲＵが１サブフレーム内のすべてのアンテナについてＳＲＳを送信できることを意味することができる。表示
【００７１】
【数８】
0005514954.tif 000014
【００７２】
の場合には、これは、ＷＴＲＵが２つのサブフレームにわたってそのアンテナについてＳＲＳを送信できることを意味することができる。２つのアンテナを有するＷＴＲＵについて、これは、異なるサブフレームに各アンテナに関するＳＲＳを送信することを意味することができる。４つのアンテナを有するＷＴＲＵについて、これは、あるサブフレームに２つのアンテナに関するＳＲＳを、異なるサブフレームに残りの２つのアンテナに関するＳＲＳを送信することを意味することができる。表示
【００７３】
【数９】
0005514954.tif 000015
【００７４】
の場合には、これは、ＷＴＲＵが４つのサブフレームにわたってそのアンテナについてＳＲＳを送信できることを意味することができる。４つのアンテナを有するＷＴＲＵについて、これは、４つのサブフレームにわたって４つのアンテナに関するＳＲＳを送信するすなわち、異なるサブフレームに各アンテナに関するＳＲＳを送信することを意味することができる。表示
【００７５】
【数１０】
0005514954.tif 000016
【００７６】
がＷＴＲＵ送信アンテナの個数より多い場合には、複数のＳＲＳサブフレームを１つのアンテナにマッピングすることができ、各サブフレームにどのアンテナで送信すべきかに関する事前定義のルールがあってもよい。たとえば、
【００７７】
【数１１】
0005514954.tif 000017
【００７８】
が、アンテナの個数の２倍であり、ＷＴＲＵが２つのアンテナを有する場合には、ルールを、アンテナ１で送信し、その後にアンテナ２、その後にアンテナ１、その後にアンテナ２で送信することとすることができる。
【００７９】
ＬＴＥ  Ｒ１０の別の例の方法では、ＳＲＳを送信するトリガを基地局から与えられて、ＷＴＲＵは、次のセル固有ＳＲＳサブフレーム、次のＷＴＲＵ固有サブフレーム、または「オンデマンド」（非同期とも呼ばれる）タイプＳＲＳ送信のためにＷＴＲＵに特に割り当てられたサブフレームの集合の次のサブフレームのいずれかにＳＲＳを送信することができる。トリガを、ＤＣＩフォーマットなどのＬ１シグナリングを介するものまたはより上のレイヤのシグナリング（たとえば、ＲＲＣメッセージ）を介するものとすることができる。より上のレイヤのシグナリングについて、アクティブ化時間を提供する必要がある場合がある。
【００８０】
ＷＴＲＵは、すべてのアンテナＮで同時に、Ｎ／２個のアンテナで順番に、またはＮ／４個のアンテナで順番に、（またはＮ／Ｘ個のアンテナ、ただし、Ｘの値は何らかの形で既知である）送信すべきかどうかを示す表示を、トリガと一緒にまたは別々に受信することもできる。あるいは、順番に送信すべきアンテナ（またはアンテナポート）の個数を、ＰＵＳＣＨ（物理アップリンク共有チャネル）に現在使用されているランクと等しくすることができる。ランクは、ＭＩＭＯ伝送のレイヤの数としても知られるが、アップリンク（ＵＬ）グラントＤＣＩ、たとえば非周期的ＳＲＳ送信をトリガするのに使用されているＵＬグラントＤＣＩ内でシグナリングされる情報から導出することができる。
【００８１】
図２に、トリガに応答するＳＲＳ送信の例の流れ図２００を示す。ＷＴＲＵは、基地局からトリガを受信することができる（２１０）。その後、ＷＴＲＵは、構成に従って事前定義のサブフレーム内でＳＲＳを送信することができる（２２０）。ＳＲＳを送信するトリガは、送信に何個のサブフレームを使用すべきかの表示と一所に来ることができる（または、ＷＴＲＵは、この表示を別々に受信することができる）。Ｎ個のアンテナを有するＷＴＲＵは、同時送信が示される場合に、次のＳＲＳ送信機会にＮ個すべてのアンテナでＳＲＳを送信することができる。使用すべきサブフレームの個数が２である場合には、ＷＴＲＵは、次のＳＲＳ送信機会にＮ／２個のアンテナ（たとえば、Ｎ＝４についてアンテナ１および２）、２番目の次のＳＲＳ送信機会に他方のＮ／２個のアンテナ（たとえば、Ｎ＝４についてアンテナ３および４）で送信することができる。これは、偶数で２以上のＮに適用可能とすることができる。使用すべきサブフレームの個数が４である場合には、ＷＴＲＵは、次の４つのＳＲＳ送信機会のそれぞれで１つのアンテナで送信し、４つの送信アンテナのそれぞれを順番に通ってサイクルすることができる。これは、４の倍数と等しいＮに適用可能とすることができる。次のＳＲＳ送信機会は、次のセル固有ＳＲＳサブフレーム、オンデマンド／非周期的タイプＳＲＳ送信に使用すべき新しいＳＲＳ構成内の次のサブフレーム、または次のＷＴＲＵ固有ＳＲＳサブフレームとすることができる。この方法を、４つを超えるアンテナに拡張することができる。
【００８２】
ＬＴＥ  Ｒ１０の別の例の方法では、ＷＴＲＵが、たとえばより高い優先順位を有する別の送信との衝突に起因して、特定のアンテナの計画されたＳＲＳ送信をスキップする場合に、そのＷＴＲＵは、このＷＴＲＵの次のＳＲＳ機会に、その送信について予定されたアンテナに関するＳＲＳを送信することができる（すなわち、スキップされた機会に属するアンテナに関するＳＲＳを送信するのではなく）。
【００８３】
ＬＴＥ  Ｒ８では、ＷＴＲＵは、１ＳＲＳサブフレームごとに、第２タイムスロットの最後のＯＦＭＤシンボル（すなわち、通常のＣＰモードで１４番目のＯＦＤＭシンボル）内でＳＲＳを送信することができる。ＬＴＥ  Ｒ１０の別の例の方法では、Ｒ１０  ＷＴＲＵは、１ＳＲＳサブフレームごとに、両方のタイムスロットの最後のＯＦＤＭシンボル（すなわち、通常のＣＰモードの７番目および１４番目のＯＦＤＭシンボル）を使用することができる。
【００８４】
例示のみのために、ＷＴＲＵが、複数アンテナＳＲＳ送信に使用すべきサブフレームの個数を指定されて、ＷＴＲＵ固有サブフレームの間でセル固有サブフレームをどのように使用できるのかの例を説明する。所与のＷＴＲＵ固有ＳＲＳ周期に、ＷＴＲＵは、その周期内のセル固有サブフレームのすべてを判定することができる。たとえば、ｓｒｓ−ＳｕｂｆｒａｍｅＣｏｎｆｉｇ＝７について、表１から、セル固有サブフレームは、ＴSFC＝５およびΔSFC＝｛０，１｝によって指定され、これは、サブフレーム｛０，１，５，６，１０，１１，１５，１６，２０，２１，…｝に対応する。ＩSRS＝７について、表３から、ＴSRS＝１０およびＴoffset＝０であり、これは、ＷＴＲＵ固有サブフレーム｛０，１０，２０，３０，…｝に対応する。最初のＷＴＲＵ固有周期内のセル固有サブフレームは、｛０，１，５，６｝であり、次のＷＴＲＵ固有周期内には、セル固有サブフレームは、｛１０，１１，１５，１６｝である。これらを、ＷＴＲＵ許容可能ＳＲＳサブフレームと称する。
【００８５】
ＷＴＲＵは、所定のルールによるＳＲＳ送信に、ＷＴＲＵ許容可能ＳＲＳサブフレームのどれを使用すべきかを判定することができる。たとえば、あるルールは、集合から最初の（または最後の）
【００８６】
【数１２】
0005514954.tif 000018
【００８７】
個の要素を選択することができる。別のルールは、集合から最初の（または最後の）
【００８８】
【数１３】
0005514954.tif 000019
【００８９】
個の偶数（または奇数）要素を選択することができる。別のルールは、集合内で均等に分布する
【００９０】
【数１４】
0005514954.tif 000020
個の要素を選択することができる。別のルールは、前のルールのある組合せを使用することができる。別のルールは、所定のパターンに従って集合から
【００９１】
【数１５】
0005514954.tif 000021
【００９２】
個の要素を選択することができる。所定のパターンを、より上のレイヤのシグナリングによって構成可能とするか、Ｌ１シグナリング、たとえばＰＤＣＣＨ内でＤＣＩフォーマットを介してシグナリングすることができる。
【００９３】
ｓｒｓ−ＣｏｎｆｉｇＩｎｄｅｘ  ＩSRS（ＳＲＳ周期性ＴSRSおよびＳＲＳサブフレームオフセットＴoffsetを提供する）および／または
【００９４】
【数１６】
0005514954.tif 000022
【００９５】
が、周期的ＳＲＳ送信および非周期的ＳＲＳ送信について別々に提供される場合には、ＷＴＲＵは、ＳＲＳ送信の性質（周期的または非周期的）に従って、適当なパラメータを使用することができる。
【００９６】
【数１７】
0005514954.tif 000023
【００９７】
（すなわち、ＳＲＳサブフレームの個数がアンテナの個数以下である）場合には、選択された
【００９８】
【数１８】
0005514954.tif 000024
【００９９】
個のサブフレームのそれぞれで、ＷＴＲＵは、適当なアンテナ（１つまたは複数）上でＳＲＳを送信することができる。
【０１００】
【数１９】
0005514954.tif 000025
【０１０１】
が、ＷＴＲＵのアンテナポートの総数として定義されるものとすると、ｎAntすなわちそこから１つのＳＲＳサブフレーム内にＳＲＳを同時に送信できるアンテナポートの個数を、
【０１０２】
【数２０】
0005514954.tif 000026
【０１０３】
として判定することができる。１つのＳＲＳサブフレーム内の両方のタイムスロットにＳＲＳ送信がある場合には、
【０１０４】
【数２１】
0005514954.tif 000027
【０１０５】
である。
【０１０６】
【数２２】
0005514954.tif 000028
【０１０７】
である場合には、複数のＳＲＳサブフレームを、所定のルールに応じて１つのアンテナポートにマッピングすることができる。たとえば、連続した１対１マッピング、すなわち、第１サブフレーム対第１アンテナポートなど、およびその後のサイクルスルーによる、１つのＳＲＳ周期性ＴSRS内の所与のアンテナポートに関する後続の時の最終的なＳＲＳの送信。
【０１０８】
本明細書で説明するのは、循環シフト（ＣＳ）および送信コム（ＴＣ）のリソース割当の例の方法である。例の方法では、ＷＴＲＵは、単一のアンテナポートのＣＳおよびＴＣの対から複数のアンテナポートのＣＳおよびＴＣの対を暗黙のうちに判定することができる。
【０１０９】
【数２３】
0005514954.tif 000029
【０１１０】
個のアンテナを有するＷＴＲＵ（ただし、
【０１１１】
【数２４】
0005514954.tif 000030
【０１１２】
）は、アンテナのうちの１つについてＷＴＲＵが受信するＣＳおよび／またはＴＣからアンテナのうちの
【０１１３】
【数２５】
0005514954.tif 000031
【０１１４】
−１個のＣＳおよび／またはＴＣを導出することができる。ＷＴＲＵが、それが物理的に有する個数より少数とすることができるｎAnt個の複数のアンテナでＳＲＳを同時に送信する時には、ＷＴＲＵは、その代わりに、アンテナのうちの１つについてＷＴＲＵが受信するＣＳおよび／またはＴＣからアンテナのうちのｎAnt−１個のＣＳおよび／またはＴＣを導出することができる。その上でＳＲＳを同時に送信すべきアンテナの個数を、与えられるか構成されるものとすることができる。循環シフトを、ＮCS個の循環シフトの集合内のＣＳを識別する整数および整数識別子に関して定義できる実際のＣＳという２つの値によって定義できることに留意されたい。整数識別子がｎSRSであり、実際の循環シフトがαSRSである場合には、この２つの間の関係を、αSRS＝２ΠｘｎSRS／ＮCSと定義することができる。用語循環シフトまたはＣＳは、本明細書では、識別子または実際の循環シフトを表すのに使用される場合がある。どちらが意図されているのかは、文脈に基づいて当業者に明瞭である。
【０１１５】
別の例の方法では、アンテナ（またはアンテナポート）に割り当てられる循環シフトを、事前定義のルールに基づくものにすることができる。事前定義のルールは、アンテナ（またはアンテナポート）の循環シフトの間の最大の距離を達成するために各アンテナ（またはアンテナポート）に循環シフトを割り当てることができる。たとえば、循環シフトの集合｛０，１，２，３，４，５，６，７｝および
【０１１６】
【数２６】
0005514954.tif 000032
【０１１７】
について、アンテナポート１についてＣＳ＝２である場合には、アンテナポート２についてＣＳ＝６である。最大の分離を、ルールＣＳm＝（ＣＳref＋ｍ×Y）ｍｏｄ（ＮCS），ｍ＝０，…，
【０１１８】
【数２７】
0005514954.tif 000033
【０１１９】
−１を用いて達成することができ、ここで、ＣＳrefは、ＷＴＲＵがそれについて基地局からＣＳを受信する基準アンテナ（またはアンテナポート）の循環シフトであり、ＮCSは、所与のＣＳ集合内の循環シフトの総数であり、ＣＳmは、各アンテナ（アンテナポート）ｍの循環シフトであり、Yは、最大分離を達成するために、
【０１２０】
【数２８】
0005514954.tif 000034
【０１２１】
と定義することができる。ＷＴＲＵが、そのアンテナの総数より少数のアンテナで同時にＳＲＳを送信する時には、これらのアンテナの循環シフトの間の最大分離は、アンテナの総数を送信に使用されるアンテナの個数に置換することによって達成することができる、すなわち、
【０１２２】
【数２９】
0005514954.tif 000035
【０１２３】
を、その上でＳＲＳが同時に送信されるアンテナの個数ｎAntに置換することができる。循環シフトの間の最大分離は、直交性を最大にし、干渉を減らすことができる。上記を、図３に示された流れ図３００に関してさらに示すことができる。ＷＴＲＵは、所与のアンテナ／アンテナポートのＣＳを受信することができる（３１０）。集合内の循環シフトの総数を、シグナリングし、与え、または構成することができる（３３０）。アンテナの総数またはその上でＳＲＳを同時に送信すべきアンテナの個数を、事前に決定し、与え、または構成することができる（３４０）。その後、ＷＴＲＵは、受信されたＣＳ、循環シフトの総数、およびアンテナの個数に基づいて、循環シフト集合内のＣＳの間の最大分離を判定することができる（３５０）。その後、ＷＴＲＵは、最大のまたは最適の循環シフト分離に基づいて循環シフトをアンテナに割り当てることができる（３６０）。
【０１２４】
別の事前定義のルールは、集合／グループ内の現在の要素の次の要素を割り当てることができる。たとえば、循環シフトの集合｛０，１，２，３，４，５，６，７｝および
【０１２５】
【数３０】
0005514954.tif 000036
【０１２６】
を与えられて、アンテナポート１についてＣＳ＝２である場合には、アンテナポート２についてＣＳ＝３である。別の事前定義のルールは、所定のパターンを使用することができ、この所定のパターンを、より上のレイヤのシグナリングによって構成可能とするか、Ｌ１シグナリング、たとえばＰＤＣＣＨ内でＤＣＩフォーマットを介してシグナリングすることができる。
【０１２７】
別の例の方法では、送信コムを、まず所与の循環シフトに割り当てることができ、次に、すべてのアンテナポートに関する次の循環シフトすなわち新しい循環シフトを、すべての送信コムが所与の所与の循環シフトについて使用された後に使用することができる。あるいは、循環シフトを、まず所与の送信コムに割り当てることができる。
【０１２８】
別の例の方法では、複数のアンテナポートのＣＳおよび／またはＴＣを、１サブフレームごとにまたは１つのＳＲＳサブフレーム内の２つのスロットが使用される場合には１スロットごとに、所定のルール／パターンを用いてサイクルしまたはホップすることができる。ホップおよび所定のルール／パターンのアクティブ化は、より上のレイヤのシグナリングによって構成可能とするか、Ｌ１シグナリング、たとえばＰＤＣＣＨ内でＤＣＩフォーマットを介してシグナリングすることができる。
【０１２９】
別の例の方法では、ＣＳの１つの集合を、周期的ＳＲＳに割り当てることができ、第２の集合を、非周期的ＳＲＳに割り当てることができる。これを、ＴＣについて実施することもできる。ＣＳおよびＴＣを割り当てる方法を、ルールによって事前に決定することができる。たとえば、あるルールは、すべてのＣＳおよび／またはＴＣから、周期的ＳＲＳについて集合にするために最初のｎ個を選択し、非周期的ＳＲＳについて残りを選択することを述べることができる。例示のみのために、周期的ＳＲＳについてＣＳ＝０，１，２，３およびＴＣ＝０、非周期的ＳＲＳについてＣＳ＝４，５，６，７およびＴＣ＝１である。別のルールは、すべてのＣＳおよび／またはＴＣから、周期的ＳＲＳについて偶数、非周期的ＳＲＳについて奇数を選択することを述べることができる。別のルールは、上記の組み合わせとすることができる。別のルールは、周期的ＳＲＳと非周期的ＳＲＳとの両方について別々に所定のパターンに従って集合から要素を選択することができる。所定のパターンを、より上のレイヤのシグナリングによって構成可能とするか、Ｌ１シグナリング、たとえばＰＤＣＣＨ内でＤＣＩフォーマットを介してシグナリングすることができる。
【０１３０】
次は、本明細書で上で説明した例の方法に従ってサブフレーム、循環シフト、および送信コムを割り当てる例示的な例である。非周期的トリガの例では、ＳＲＳインジケータ／要求を、非周期的ＳＲＳ送信をトリガするのに使用することができ、たとえば、ＵＬグラントと共に含めることができる。パラメータ
【０１３１】
【数３１】
0005514954.tif 000037
【０１３２】
を、ＳＲＳインジケータ／要求と組み合わせることができる。例を、表６に示し、表６では、２ビットを使用して、ＳＲＳ送信のトリガと、何個のサブフレームをＳＲＳ送信に使用すべきかの表示とを行うことができる。
【０１３３】
【表６】
0005514954.tif 000038
【０１３４】
次は、ＳＲＳサブフレームのリソース割当の例である。これらの例では、複数のアンテナポートに関するＳＲＳ送信は、ＷＴＲＵ固有ＳＲＳ周期性ＴSRS内の複数のサブフレーム（または１つのサブフレーム）にわたって拡散され、ＳＲＳは、１つのＳＲＳ送信サブフレームの最後のＯＦＤＭシンボル（１つまたは複数）（通常のＣＰモードで１４番目のＯＦＤＭシンボルまたは７番目および１４番目）内で送信される。ＳＲＳ送信の瞬間を入手するために、複数のアンテナポートのＳＲＳサブフレームオフセットＴoffset-R10が、次のように、単一のアンテナポートに関するより上のレイヤのシグナリングによって構成されたＳＲＳサブフレームオフセットＴoffsetから判定される。
【０１３５】
まず、ＷＴＲＵ固有サブフレームはＳＲＳ送信について許可されるセル固有サブフレーム内でなければならないので、上の表（ＦＤＤについて表１および表３）から、所与のＷＴＲＵ固有ＳＲＳ周期性ＴSRS内のセル固有送信オフセット
【０１３６】
【数３２】
0005514954.tif 000039
【０１３７】
を計算する。ＳＲＳ周期性ＴSRS内のセル構成周期の個数が、
【０１３８】
【数３３】
0005514954.tif 000040
【０１３９】
として計算され、ここで、ＴSFCは、表１の構成周期と定義され、ＴSFC≦ＴSRSである。次に、ＷＴＲＵ固有ＳＲＳ周期性ＴSRSの可能な送信オフセットは、
【０１４０】
【数３４】
0005514954.tif 000041
【０１４１】
であり、ここで、ｉ＊ＴSFC＋ΔSFCは、集合ΔSFCのすべての要素がｉ＊ＴSFCによって加算されることを表す。例１では、ｓｒｓＳｕｂｆｒａｍｅＣｏｎｆｉｇｕｒａｔｉｏｎ＝０（すなわち、表１でＴSFC＝１、ΔSFC＝｛０｝）であり、ＩSRS＝７（すなわち、表３からＴSRS＝１０、Ｔoffset＝０）であり、
【０１４２】
【数３５】
0005514954.tif 000042
【０１４３】
であり、例２では、ｓｒｓＳｕｂｆｒａｍｅＣｏｎｆｉｇｕｒａｔｉｏｎ＝７（すなわち、表１でＴSFC＝５、ΔSFC＝｛０，１｝）であり、ＩSRS＝７（すなわち、表３からＴSRS＝１０、Ｔoffset＝０）であり、
【０１４４】
【数３６】
0005514954.tif 000043
【０１４５】
について
【０１４６】
【数３７】
0005514954.tif 000044
【０１４７】
である。
【０１４８】
次に、所定のルールに基づいて、
【０１４９】
【数３８】
0005514954.tif 000045
【０１５０】
から、ｉ＝０，１，…，
【０１５１】
【数３９】
0005514954.tif 000046
【０１５２】
についてｄsubframe-offset（ｉ）を選択する。所定のルールの例は、本明細書で下で説明する。あるルールは、
【０１５３】
【数４０】
0005514954.tif 000047
【０１５４】
の集合から最初の
【０１５５】
【数４１】
0005514954.tif 000048
【０１５６】
個の要素を選択することができ、たとえば、
【０１５７】
【数４２】
0005514954.tif 000049
【０１５８】
および
【０１５９】
【数４３】
0005514954.tif 000050
【０１６０】
について、ｄsubframe-offset（０）＝０、ｄsubframe-offset（１）＝１である。別のルールは、
【０１６１】
【数４４】
0005514954.tif 000051
【０１６２】
から
【０１６３】
【数４５】
0005514954.tif 000052
【０１６４】
個の偶数要素を選択することができ、たとえば、
【０１６５】
【数４６】
0005514954.tif 000053
【０１６６】
および
【０１６７】
【数４７】
0005514954.tif 000054
【０１６８】
について、ｄsubframe-offset（０）＝０、ｄsubframe-offset（１）＝５である。別のルールは、
【０１６９】
【数４８】
0005514954.tif 000055
【０１７０】
から
【０１７１】
【数４９】
0005514954.tif 000056
【０１７２】
個の奇数要素を選択することができ、たとえば、
【０１７３】
【数５０】
0005514954.tif 000057
【０１７４】
および
【０１７５】
【数５１】
0005514954.tif 000058
【０１７６】
について、ｄsubframe-offset（０）＝１、ｄsubframe-offset（１）＝６である。別のルールは、
【０１７７】
【数５２】
0005514954.tif 000059
【０１７８】
内で均等に分散する
【０１７９】
【数５３】
0005514954.tif 000060
【０１８０】
個の要素を選択することができ、たとえば、
【０１８１】
【数５４】
0005514954.tif 000061
【０１８２】
および
【０１８３】
【数５５】
0005514954.tif 000062
【０１８４】
について、ｄsubframe-offset（０）＝０、ｄsubframe-offset（１）＝５である。
【０１８５】
次に、ＵＥ固有ＳＲＳ周期性ＴSRS内のＳＲＳ送信サブフレームＴoffset-R10を計算し、Ｔoffset-R10（ｉ）＝（Ｔoffset＋ｄsubframe_offset（ｉ））ｍｏｄ  ＴSRSであり、ここで、ｉ＝０，１，…，
【０１８６】
【数５６】
0005514954.tif 000063
【０１８７】
である。
【０１８８】
本明細書で説明するのは、ＣＳおよびＴＣの割当の例である。第１の例示的な例は、まずＣＳ、その後にＴＣを割り当てる。この方法では、ｎAntからの同時ＳＲＳ送信の送信コムを、すべての循環シフトが使い果たされるまで、単一のアンテナポートについてより上のレイヤのシグナリングによって半静的に構成されたｋTCと同一に保つことができる。ｎAntからの同時ＳＲＳ送信の実際の循環シフトαSRS-R10は、
【０１８９】
【数５７】
0005514954.tif 000064
【０１９０】
すなわち基準循環シフト識別子から暗黙のうちに決定され、この基準循環シフト識別子は、単一のアンテナポートについてより上のレイヤのシグナリングによって半静的に構成することができる。
【０１９１】
循環シフトの均等な分布を達成する形でＣＳを割り当てる例は、次の通りである。ＣＳオフセットの間のデルタ
【０１９２】
【数５８】
0005514954.tif 000065
【０１９３】
を計算することができ、ここで、ＮCSは、循環シフトの総数、たとえば、ＮCS＝８、｛０，１，…，７｝、または拡張されたＣＳについて１２である。次に、ｎAntの実際の循環シフトαSRS-R10は、次のように計算される。
【０１９４】
【数５９】
0005514954.tif 000066
【０１９５】
【数６０】
0005514954.tif 000067
【０１９６】
ここで、ｉ＝０，１，２，…，（ｎAnt−１）である。この判定は、本明細書で上で図３に示したように、循環シフトに最大の間隔をおくことをもたらす。
【０１９７】
別の例は、所定の集合から所定のルール／パターンに基づいてＣＳオフセットを選択すること、たとえば、周期的ＳＲＳについて偶数循環シフト（たとえば、０、２、４、６）、非周期的ＳＲＳについて奇数循環シフト（たとえば、１、３、５、７）を割り当てることである。
【０１９８】
次は、複数のアンテナでのＳＲＳ送信についてＷＴＲＵ固有サブフレームの間のサブフレームを使用することとのＣＳ割当の組合せを示す例である。例示のために、次のＷＴＲＵ固有パラメータおよび例の値が使用される。
【０１９９】
【数６１】
0005514954.tif 000068
【０２００】
は、送信コムの総数であり、ｋTC-R10は、送信コムの集合内の使用すべき送信コムを識別し、
【０２０１】
【数６２】
0005514954.tif 000069
【０２０２】
は、ＳＲＳ送信に使用すべき基準循環シフトである。
【０２０３】
【数６３】
0005514954.tif 000070
【０２０４】
について、ｋTC-R10∈｛０，１｝（または、拡張されたＴＣについて、
【０２０５】
【数６４】
0005514954.tif 000071
【０２０６】
であり、ｋTC-R10∈｛０，１，２，３｝である）、Ｎcs＝８について、
【０２０７】
【数６５】
0005514954.tif 000072
【０２０８】
であり、この例では、別のＴＣが必要であり、
【０２０９】
【数６６】
0005514954.tif 000073
【０２１０】
である場合を除いて、表３からのＴSRS＝１０およびＴoffset＝０に対応するＩSRS＝７と、表１からのΔSFC＝０に対応するｓｒｓ−ＳｕｂｆｒａｍｅＣｏｎｆｉｇ＝０と、ｋTC-R10＝０とを使用する。
【０２１１】
次の例全体を通じて、複数のアンテナポートへの循環シフトの割当は、上で注記した均等分布法を使用することができる。ＷＴＲＵ固有サブフレームの間で使用すべきサブフレームの選択は、本明細書で説明されるものなどの所定のルールまたは別のルールに基づくものとすることができる。すべての図が、２つまたは３つのＳＲＳ周期性を表すことに留意されたい。１つのＳＲＳ周期性ＴSRSだけが、「ワンショット」動的非周期的ＳＲＳに必要である。
【０２１２】
一例では、すべてのアンテナポートについて使用される同一のサブフレームおよび同一のＴＣを使用する循環シフトによるＳＲＳ多重化を、２アンテナの場合について説明する。この場合に、送信は、ＷＴＲＵ固有サブフレーム内のみである。
【０２１３】
【数６７】
0005514954.tif 000074
【０２１４】
および
【０２１５】
【数６８】
0005514954.tif 000075
【０２１６】
について、ｎAnt＝２である。上で注記した均等分布ルールを使用すると、（ＣＳ，ＴＣ）対は、図４に示されているように、アンテナポート０（Ａ０）について（２，０）であり、アンテナポート１（Ａ１）について（６，０）である。
【０２１７】
２アンテナの例について、ＳＲＳ多重化および容量増加を、時分割多重化（ＴＤＭ）を使用することによって達成することができ、ＴＤＭでは、異なるサブフレームがＳＲＳ送信に使用されると同時に、同一のＴＣおよびＣＳが使用される。
【０２１８】
【数６９】
0005514954.tif 000076
【０２１９】
および
【０２２０】
【数７０】
0005514954.tif 000077
【０２２１】
について、ｎAnt＝１である。時間における均等分離などの事前定義のルールに基づいて、Ｔoffset-R10（０）＝０およびＴoffset-R10（１）＝５である。上で注記した均等分布ルールを使用すると、各アンテナポートの（ＣＳ，ＴＣ）対は、図５に示されているように（２，０）である。
【０２２２】
別の例では、すべてのアンテナについて同一のサブフレームおよび同一のＴＣを使用するＣＳによるＳＲＳ多重化を、４アンテナの場合について説明する。
【０２２３】
【数７１】
0005514954.tif 000078
【０２２４】
および
【０２２５】
【数７２】
0005514954.tif 000079
【０２２６】
について、ｎAnt＝４である。上の均等分布ルールを使用すると、アンテナポートの（ＣＳ，ＴＣ）対は、図６に示されているように、アンテナポート０（Ａ０）について（２，０）であり、アンテナポート１（Ａ１）について（４，０）であり、アンテナポート２（Ａ２）について（６，０）であり、アンテナポート３（Ａ３）について（０，０）である。
【０２２７】
別の例では、４アンテナの場合の、同一のＴＣを使用しながらのＴＤＭおよびＣＳによるＳＲＳ多重化を説明する。
【０２２８】
【数７３】
0005514954.tif 000080
【０２２９】
および
【０２３０】
【数７４】
0005514954.tif 000081
【０２３１】
について、ｎAnt＝２である。時間における均等分離などの事前定義のルールに基づいて、Ｔoffset-R10（０）＝０およびＴoffset-R10（１）＝５である。上で注記した均等分布ルールおよびｎAnt＝２を使用すると、アンテナポートの（ＣＳ，ＴＣ）対は、図７に示されているように、アンテナポート０および２（Ａ０およびＡ２）について（２，０）であり、アンテナポート１および３（Ａ１およびＡ３）について（６，０）である。
【０２３２】
別の例では、すべてのアンテナについて同一のＣＳおよび同一のＴＣを使用するＴＤＭによるＳＲＳ多重化を、４アンテナの場合について説明する。
【０２３３】
【数７５】
0005514954.tif 000082
【０２３４】
および
【０２３５】
【数７６】
0005514954.tif 000083
【０２３６】
について、ｎAnt＝１である。これは、１サブフレーム内で１つのアンテナ上でＳＲＳを送信することに対応する。事前定義のルールを使用することは、Ｔoffset-R10（０）＝０、Ｔoffset-R10（１）＝２、Ｔoffset-R10（２）＝４、およびＴoffset-R10（３）＝６をもたらすことができる。上で注記した均等分布ルールおよびｎAnt＝１を使用すると、アンテナポートの（ＣＳ，ＴＣ）対は、図８に示されているように、すべて（２，０）である。
【０２３７】
本明細書で説明するのは、まずＴＣ、その後にＣＳを割り当てる例示的な例である。この方法では、すべての送信アンテナポートの送信コムが、単一のアンテナポートについてより上のレイヤのシグナリングによって構成されたまたはルールによって事前に決定された送信コムＫTCから暗黙のうちに判定される。たとえば、
【０２３８】
【数７７】
0005514954.tif 000084
【０２３９】
と定義される送信コムの総数が２であり、ｋTC-R10∈｛０，１｝である場合には、ルールを、ｋTC-R10（０）＝ｋTCおよびｋTC-R10（１）＝（ｋTC＋１）ｍｏｄ  ２とすることができる。
【０２４０】
複数のアンテナポートのＳＲＳサブフレームオフセットＴoffset-R10を、上で説明したものと同一の形で、単一のアンテナポートについてより上のレイヤのシグナリングによって構成されたＴoffsetから判定することができる。
【０２４１】
各アンテナポートにＣＳおよびＴＣの直交リソースの対を割り当てるために、ＴＣは、すべてのＴＣが使い果たされるまで、所与のＣＳのために割り当てられる。図４および７に関連する例について、（ＣＳ，ＴＣ）対は、アンテナ０について（２，０）になり、アンテナ１について（２，１）になる。図６に関連する例について、（ＣＳ，ＴＣ）対は、アンテナ０（Ａ０）について（２，０）になり、アンテナ１（Ａ１）について（２，１）になり、アンテナ２（Ａ２）について（６，０）になり、アンテナ３（Ａ３）について（６，１）になる。
【０２４２】
本明細書で説明するのは、非周期的ＳＲＳ送信のトリガとして異なるタイプのＵＬグラントを使用する方法である。半永続スケジューリングの場合の解決策では、ＷＴＲＵは、明示的ＵＬグラントと暗黙のＵＬグラントとの両方を受信する可能性がある。ＷＴＲＵは、追加のシグナリング（たとえば、追加のトリガビット（１つまたは複数）がグラントと共に提供されることを必要とせずに、これらのグラントのうちの１つまたは複数を非周期的ＳＲＳトリガとして解釈することができる。
【０２４３】
ＷＴＲＵは、たとえばＲＲＣシグナリングを介して、基地局によって提供される構成に基づいて、非周期的ＳＲＳトリガとして解釈すべきＵＬグラントタイプ（１つまたは複数）を判定することができる。あるいは、これを、どのＵＬグラントタイプ（１つまたは複数）が非周期的ＳＲＳトリガとして解釈されるべきかに関して事前に定義することができる。たとえば、ネットワークは、新しいＲＲＣメッセージを送信するか既存ＲＲＣメッセージ内にフィールドを追加して、新しい送信を伴うＵＬグラントおよび／または再送信だけを伴うＵＬグラント、および／またはハイブリッド自動再送要求（ＡＲＱ）インジケータチャネル（ＰＨＩＣＨ）否定応答（ＮＡＣＫ）を介する暗黙のＵＬグラントが、非周期的ＳＲＳトリガとして解釈されるべきかどうかを示す命令を定義することができる。その後、ＷＴＲＵは、ＵＬグラントを受信する時に、それ相応に行動する。
【０２４４】
新しいフィールド、たとえばＵＬ−Ｇｒａｎｔ−Ｔｙｐｅを、ＬＴＥ  Ｒ１０拡張としてＳｏｕｎｄｉｎｇＲＳ−ＵＬ−ＣｏｎｆｉｇＤｅｄｉｃａｔｅｄ情報要素（ＩＥ）に追加して、非周期的ＳＲＳに関してＵＬグラントのどのタイプが非周期的ＳＲＳをトリガするのかを示すことができる。たとえば、新しいフィールドは、新しい送信を伴うＵＬグラント、再送信だけを伴うＵＬグラント、およびＰＨＩＣＨ  ＮＡＣＫを介するＵＬグラントのうちのどれが、非周期的ＳＲＳをトリガするのかを示すことができる。あるいは、新しいＩＥが非周期的ＳＲＳについて定義される場合に、新しいフィールドをそのＩＥに追加することができる。
【０２４５】
第１の解決策の例では、新しいデータグラントが、非周期的ＳＲＳをトリガすることができる。ＷＴＲＵは、符号語のうちの少なくとも１つについて送信すべき新しいデータがある場合、たとえばＮＤＩ（ｎｅｗ  ｄａｔａ  ｉｎｄｉｃａｔｏｒ）ビットのうちの少なくとも１つが新しいデータを示す時に、ＵＬグラントを有するＰＤＣＣＨを非周期的ＳＲＳトリガとして解釈することができる。ＰＤＣＣＨ  ＵＬグラントが、すべての符号語について再送信を示す時には、ＷＴＲＵは、ＵＬグラントを有するＰＤＣＣＨを、非周期的ＳＲＳトリガであるものと解釈しない。ＷＴＲＵは、ＰＨＩＣＨ  ＮＡＣＫによる暗黙のリソース割当を、非周期的ＳＲＳのトリガとして解釈しない。
【０２４６】
第１の解決策の別の例では、明示的再送信要求は、非周期的ＳＲＳをトリガすることができる。ＷＴＲＵは、ＵＬグラントが再送信だけを示す（すべての符号語について）場合に、ＵＬグラントを有するＰＤＣＣＨを非周期的ＳＲＳトリガとして解釈することができる。この場合に、すべてのＮＤＩビットは、再送信を示すことができる（新しいデータなし）。基地局は、不必要な再送信の小さいペナルティを伴って非周期的ＳＲＳを「強制する」ために、この形でＮＤＩビットをセットすることを選択することができる。この例では、すべてに関する再送信を示すＵＬグラントを、非周期的ＳＲＳをトリガする唯一のＵＬグラントとすることができる。あるいは、ＷＴＲＵは、新しいデータを有するＰＤＣＣＨ  ＵＬグラント（１つまたは複数の符号語に関する）を、非周期的ＳＲＳトリガとして解釈することもできる。別の代替案では、ＷＴＲＵは、ＰＨＩＣＨ  ＮＡＣＫを介する暗黙のＵＬグラントを非周期的ＳＲＳトリガとして解釈することもできる。
【０２４７】
第１の解決策の別の例では、ＰＨＩＣＨ  ＮＡＣＫは、非周期的ＳＲＳをトリガすることができる。ＷＴＲＵは、暗黙のＰＨＩＣＨ  ＮＡＣＫグラントを非周期的ＳＲＳトリガとして解釈することだけができる。あるいは、ＷＴＲＵは、新しいデータを有するＰＤＣＣＨ  ＵＬグラント（１つまたは複数の符号語について）を非周期的ＳＲＳトリガとして解釈することもできる。別の代替案では、ＷＴＲＵは、すべての符号語について再送信を示すＰＤＣＣＨ  ＵＬグラントを、非周期的ＳＲＳトリガとして解釈することもできる。
【０２４８】
第１の解決策の別の例では、すべてのＵＬグラントが、非周期的ＳＲＳをトリガすることができる。ＷＴＲＵは、新しいデータを有するＰＤＣＣＨ  ＵＬグラントを（１つまたは複数の符号語について）、非周期的ＳＲＳトリガとして解釈することができる。ＷＴＲＵは、すべての符号語について再送信を示すＰＤＣＣＨ  ＵＬグラントを非周期的ＳＲＳトリガとして解釈することもできる。ＷＴＲＵは、暗黙のＰＨＩＣＨ  ＮＡＣＫグラントを非周期的ＳＲＳトリガとして解釈することもできる。
【０２４９】
第２の解決策では、半永続スケジューリング（ＳＰＳ）の場合に、ネットワークは、ＷＴＲＵに第１送信グラントおよび周期的割当を送信することができる。その点の後に、ＷＴＲＵは、さらなる明示的ＵＬグラントを受信しない場合がある。グラントは、ＳＰＳ割当およびＰＨＩＣＨ  ＮＡＣＫによる暗黙とすることができる。これらのＵＬグラントの解釈は、次の通りとすることができる。ＳＰＳの場合に、ＷＴＲＵは、第１送信グラント、ＳＰＳスケジュールに基づく後続の暗黙のＵＬグラント、および各ＰＨＩＣＨ  ＮＡＣＫのいくつかの組合せを非周期的ＳＲＳトリガとして解釈することができる。ＳＰＳの場合の別の例では、ＷＴＲＵは、第１送信グラントだけを非周期的ＳＲＳトリガとして解釈することができる。ＳＰＳの場合の別の例では、ＷＴＲＵは、第１送信グラントおよびＳＰＳスケジュールに基づく各後続の暗黙のＵＬグラントを非周期的ＳＲＳトリガとして解釈することができる。ＳＰＳの場合の別の例では、ＷＴＲＵは、第１送信グラントおよび各ＰＨＩＣＨ  ＮＡＣＫを非周期的ＳＲＳトリガとして解釈することができる。ＳＰＳの場合の別の例では、ＷＴＲＵは、第１送信グラント、ＳＰＳスケジュールに基づく各後続の暗黙のＵＬグラント、および各ＰＨＩＣＨ  ＮＡＣＫを非周期的ＳＲＳトリガとして解釈することができる。
【０２５０】
第３の解決策では、明示的トリガが初期ＵＬグラントに含まれ、その明示的トリガがＳＲＳを要求した場合に、ＷＴＲＵは、後続のＵＬグラント（ＰＤＣＣＨおよび／またはＰＨＩＣＨ  ＮＡＣＫを介する）を、非周期的ＳＲＳトリガであると解釈することができる。
【０２５１】
本明細書で説明するのは、データがない（ダミーグラント）場合にＳＲＳをスケジューリングする方法である。ＵＬで送信すべきＰＵＳＣＨ（物理アップリンク共有チャネル）データがない場合に非周期的ＳＲＳをスケジューリングすることが必要である場合がある。これは、たとえば、最後のＳＲＳ送信以降に長い時間があり、基地局がリソースを効率的に割り当てるためにサウンディング測定（ｓｏｕｎｄｉｎｇ  ｍｅａｓｕｒｅｍｅｎｔ）を望む可能性がある場合に有用である可能性がある。ＳＲＳからの測定値を有することは、基地局がよりよい判断を行うのを助けることができる。
【０２５２】
第１の解決策では、基地局は、ＤＣＩ（ダウンリンク制御情報）フォーマット、たとえばＵＬ  ＰＵＳＣＨグラントメッセージを、ＳＲＳのみを示すコードポイントと共に送信することができる。たとえば、各符号語（ＣＷ）のＭＣＳ（ｍｏｄｕｌａｔｉｏｎ  ａｎｄ  ｃｏｄｉｎｇ  ｓｅｔ）インデックスに、予約済みの値（たとえば、２９から３１まで）をセットすることができ、各ＣＷのＮＤＩはトグルされ、新しい送信を示す。ＬＴＥ  Ｒ８／９では、ＭＣＳが新しい送信についてシグナリングされる必要があるので、これは無効な組合せである。この組合せをＬＴＥ  Ｒ１０で指定して、ＣＷがディスエーブルされることを示すことができる。ＷＴＲＵが、両方の符号語がディスエーブルされることを示すようにセットされたフィールド（１つまたは複数）を有するＵＬグラントを受信する場合に、ＷＴＲＵは、それをＳＲＳトリガとして解釈することができる。
【０２５３】
ＷＴＲＵは、ＵＬグラントの既存の内容を使用して、他の構成情報を入手することができる。たとえば、ＷＴＲＵは、その上でＳＲＳを送信すべきコンポーネントキャリア（ＣＣ）を、ＵＬグラントがどのＣＣに関するのかをＷＴＲＵが判定するのと同一の形でＵＬグラントから判定することができる。あるいは、その上で送信すべきＣＣを、すべてのＵＬ  ＣＣ、すべてのアクティブＵＬ  ＣＣとして固定することができ、または、ＵＬ  ＣＣを、より上のレイヤのシグナリングによるなど、ある他の形で指定することができる。ＷＴＲＵは、その目的がＵＬグラントでの元々の目的から変更されている可能性があるＤＣＩフォーマット内のビットから追加の構成データを入手することができる。
【０２５４】
別の解決策では、少なくとも複数のアンテナに対処するために、ＬＴＥ  Ｒ１０のＵＬグラントＤＣＩフォーマットを、ＬＴＥ  Ｒ８／９  ＵＬグラントフォーマット（ＤＣＩフォーマット０）の変更された版にする必要がある場合がある。グラントが２つの符号語のそれぞれの新しいデータまたは再送信されるデータのどちらに関するのかを示すための２つのＮＤＩビットがあるものとすることができる。データがない場合にＳＲＳトリガとしてＵＬグラントを使用する場合には、ＷＴＲＵは、どのアンテナでＳＲＳを送信すべきかを示すために２つのＮＤＩビットを解釈することができる。
【０２５５】
本明細書で説明するのは、複数のアンテナを処理する方法である。ＬＴＥ  Ｒ１０では、ＷＴＲＵは、４つまでのアンテナをサポートすることができる。解決策の第１のセットは、アンテナ固有構成およびＳＲＳトリガを使用することができる。第１の解決策では、ＷＴＲＵは、たとえばＲＲＣシグナリングによって、基地局からアンテナ固有サブフレームおよび送信パラメータ構成を受信することができる。これらのアンテナ固有構成（１つまたは複数）は、定義および内容において、現在ＬＴＥ  Ｒ８周期的ＳＲＳについて定義されているＷＴＲＵ固有ＳＲＳ構成に類似するものとすることができる。
【０２５６】
ＬＴＥ  Ｒ８／９  ＷＴＲＵ固有サブフレーム構成は、ＳＲＳ構成インデックスをサブフレーム内の周期およびサブフレームオフセットにマッピングするテーブルからなる。第１の解決策の一例では、同一のまたは類似するテーブルを使用するまたはＬＴＥ  Ｒ１０とすることができる。その後、ＷＴＲＵは、単一のＷＴＲＵ固有値ではなく、アンテナごとのテーブルへのインデックスを受信することができる。このインデックスを使用して、ＷＴＲＵは、各アンテナに関するＳＲＳサブフレーム割当を知る。
【０２５７】
ＬＴＥ  Ｒ８／９  ＷＴＲＵ固有パラメータは、専用ＲＲＣシグナリングを介して受信される、表７に示されたＩＥを使用してＷＴＲＵに供給される。
【０２５８】
【表７】
0005514954.tif 000085
【０２５９】
第１の解決策の別の例では、ＬＴＥ  Ｒ１０のアンテナ固有構成が最大の柔軟性を提供するために、ＷＴＲＵは、そのアンテナのそれぞれについてこのＩＥ内の適用可能なパラメータのそれぞれの別々の値を受信することができる。値は、アンテナのそれぞれについて同一または異なるものとすることができる。パラメータｓｒｓ−ＣｏｎｆｉｇＩｎｄｅｘには、同一サブフレーム内のこれらのアンテナに関するＳＲＳ送信を構成するために１つまたは複数のアンテナについて同一の値をセットすることができる（同時送信が許可され、必要な場合には構成されると仮定して）。
【０２６０】
このＩＥのｄｕｒａｔｉｏｎパラメータは、非周期的ＳＲＳではなく周期的ＳＲＳのためのものであり、したがって、単一または無期限のＢＯＯＬＥＡＮ値を有する。非周期的ＳＲＳについて、ワンショット非周期的送信だけが許可される場合には、この値を除去することができる。マルチショット非周期的送信が許可される場合には、ｄｕｒａｔｉｏｎを使用して、送信の回数、たとえば、ワンショットについて１、２回送信について２、Ｎｓ回の送信についてＮｓ、または送信の許容される回数のそれぞれを表す値を示すことができる。ｄｕｒａｔｉｏｎは、非アクティブ化まで連続を示す値を含むこともできる。
【０２６１】
本明細書でＳｏｕｎｄｉｎｇＲＳ−ＵＬ−ＣｏｎｆｉｇＤｅｄｉｃａｔｅｄ−ｒ１０と呼ばれる、アンテナ固有非周期的ＳＲＳ構成の例を、表８に示す。この例は、ＷＴＲＵのアンテナのそれぞれのパラメータの別々のセットからなることができる。ＬＴＥ  Ｒ８から変更されたパラメータの定義は、下で例の後で与える。
【０２６２】
【表８】
0005514954.tif 000086
【０２６３】
本明細書でＳｏｕｎｄｉｎｇＲＳ−ＵＬ−ＣｏｎｆｉｇＤｅｄｉｃａｔｅｄ−ｒ１０と呼ばれる、アンテナ固有非周期的ＳＲＳ構成のＩＥの別の例を、表９に示す。この例は、すべてのアンテナについて同一である共通パラメータのセットからなるものとすることができる。アンテナごとに異なる可能性があるパラメータについて、ＩＥは、ＷＴＲＵのアンテナのそれぞれの別々のパラメータを含むことができる。この例では、サブフレーム構成インデックス、循環シフト、および送信コムだけが、アンテナのそれぞれについて異なる可能性がある。ＬＴＥ  Ｒ８から変更されたパラメータの定義は、例の後で与える。
【０２６４】
【表９】
0005514954.tif 000087
【０２６５】
本明細書でＳｏｕｎｄｉｎｇＲＳ−ＵＬ−ＣｏｎｆｉｇＤｅｄｉｃａｔｅｄ−ｒ１０と呼ばれる、アンテナ固有非周期的ＳＲＳ構成のＩＥの別の例を、表１０に示す。この例は、すべてのアンテナについて同一である共通パラメータのセットからなるものとすることができる。アンテナごとに異なる可能性があるパラメータについて、ＩＥは、ＷＴＲＵのアンテナのそれぞれの別々のパラメータを含むことができる。この例では、循環シフトおよび送信コムだけが、アンテナのそれぞれについて異なる可能性がある。ＬＴＥ  Ｒ８から変更されたパラメータの定義は、例の後で与える。
【０２６６】
【表１０】
0005514954.tif 000088
【０２６７】
表１１に示されたパラメータフィールドの説明を、上の例に適用することができる。
【０２６８】
【表１１】
0005514954.tif 000089
【０２６９】
ＬＴＥ  Ｒ８では、ＩＥ  ＳｏｕｎｄｉｎｇＲＳ−ＵＬ−ＣｏｎｆｉｇＤｅｄｉｃａｔｅｄを、ＲａｄｉｏＲｅｓｏｕｒｃｅＣｏｎｆｉｇＤｅｄｉｃａｔｅｄ構造体のＩＥ  ＰｈｙｓｉｃａｌＣｏｎｆｉｇＤｅｄｉｃａｔｅｄに含めることができる。ＲａｄｉｏＲｅｓｏｕｒｃｅＣｏｎｆｉｇＤｅｄｉｃａｔｅｄは、ＲＲＣＣｏｎｎｅｃｔｉｏｎＳｅｔｕｐメッセージ、ＲＲＣＣｏｎｎｅｃｔｉｏｎＲｅｃｏｎｆｉｇｕｒａｔｉｏｎメッセージ、およびＲＲＣＲｅｅｓｔａｂｌｉｓｈｍｅｎｔＲｅｑｕｅｓｔメッセージによって要求される。
【０２７０】
本明細書でＳｏｕｎｄｉｎｇＲＳ−ＵＬ−ＣｏｎｆｉｇＤｅｄｉｃａｔｅｄ−ｒ１０と呼ばれる新しい構造体をＩＥ  ＰｈｙｓｉｃａｌＣｏｎｆｉｇＤｅｄｉｃａｔｅｄ（上のＬＴＥ  Ｒ８のケースと同様にＲＲＣダウンリンク構成メッセージに含めることができる）に含めることによって、ＬＴＥ  Ｒ１０  ＷＴＲＵアンテナ固有構成を、ＲＲＣ構成メッセージに含めることができる。ＩＥ  ＰｈｙｓｉｃａｌＣｏｎｆｉｇＤｅｄｉｃａｔｅｄに対する変更を、表１２に示されたものとすることができる。
【０２７１】
【表１２】
0005514954.tif 000090
【０２７２】
別の例では、アンテナ固有構成は、あるアンテナのパラメータと、その後に、他のアンテナのいずれかまたはすべてのパラメータがあるアンテナのパラメータと異なる場合にそれらのパラメータとを含むことができる。
【０２７３】
周波数ホッピングが非周期的ＳＲＳに使用されない場合には、関連するパラメータをＩＥから除外することができる。
【０２７４】
第２の解決策では、ＷＴＲＵは、アンテナ固有サブフレームおよび送信パラメータ構成を基地局から受信することができる。トリガを与えられて、ＷＴＲＵは、ＳＲＳ送信がそのために構成されるアンテナのそれぞれについて、次のアンテナ固有サブフレームにＳＲＳを送信することができる。アンテナ固有サブフレームを、異なるアンテナについて同一または異なるものとすることができる。ある種のパラメータが異なるアンテナについて同一である時には、これらのパラメータを、１回シグナリングし（すなわち、すべてのアンテナに共通）、その後、すべてのアンテナについて使用する必要がある可能性がある。
【０２７５】
第２の解決策の例では、ＷＴＲＵを、Ｎａ個のアンテナでのＳＲＳの送信のために構成することができる。各アンテナのサブフレーム構成が、サブフレーム周期性ＴSRS（ｉ）およびサブフレームオフセットＴoffset（ｉ）がアンテナｉ＝０，１，…Ｎａ−１ごとに提供されるという点でＬＴＥ  Ｒ８  ＳＲＳに似た形でＬＴＥ  Ｒ１０  ＳＲＳについて定義されるものとする。周波数分割複信（ＦＤＤ）の場合に、サブフレーム「ｎ」にＳＲＳトリガを与えられて、ＷＴＲＵは、ｉ＝０，１，…Ｎａ−１であるアンテナｉごとに、ｋSRS（ｉ）≧ｎ＋１であり、アンテナ固有ＳＲＳサブフレームオフセットおよびＳＲＳ周期性構成パラメータ（１０・ｎf＋ｋSRS（ｉ）−Ｔoffset（ｉ））ｍｏｄ  ＴSRS（ｉ）＝０をも満足するようになっているサブフレーム「ｋSRS（ｉ）」にＳＲＳを送信することができる。
【０２７６】
ＴSRS（ｉ）およびＴoffset（ｉ）がすべてのアンテナについて同一である場合には、そのＳＲＳ送信のすべてが、同一サブフレームに発生することができる。Ｎａ個のアンテナがあり、そのオフセットのすべてが異なる場合には、トリガは、Ｎａ個の別々のサブフレームでのＳＲＳ送信をもたらす可能性がある。
【０２７７】
第３の解決策では、ＷＴＲＵは、アンテナ固有サブフレームおよび送信パラメータ構成を基地局から受信することができる。トリガを与えられて、ＷＴＲＵは、ＳＲＳ送信がそのために構成されるアンテナのそれぞれのトリガするサブフレームから少なくとも４サブフレームにある次のアンテナ固有サブフレームにＳＲＳを送信することができる。アンテナ固有サブフレームを、異なるアンテナについて同一または異なるものとすることができる。ある種のパラメータが異なるアンテナについて同一である時には、これらのパラメータを、１回シグナリングし（すなわち、すべてのアンテナに共通）、その後、すべてのアンテナについて使用することができる。
【０２７８】
第３の解決策の例では、ＷＴＲＵを、Ｎａ個のアンテナでのＳＲＳの送信のために構成することができる。各アンテナのサブフレーム構成が、サブフレーム周期性ＴSRS（ｉ）およびサブフレームオフセットＴoffset（ｉ）がアンテナｉ＝０，１，…Ｎａ−１ごとに提供されるという点でＬＴＥ  Ｒ８  ＳＲＳに似た形でＬＴＥ  Ｒ１０  ＳＲＳについて定義されるものとする。ＦＤＤの場合に、サブフレーム「ｎ」にＳＲＳトリガを与えられて、ＷＴＲＵは、ｋSRS（ｉ）≧ｎ＋４であり、アンテナ固有ＳＲＳサブフレームオフセットおよびＳＲＳ周期性構成パラメータ（１０・ｎf＋ｋSRS（ｉ）−Ｔoffset（ｉ））ｍｏｄ  ＴSRS（ｉ）＝０をも満足するようになっているサブフレーム「ｋSRS（ｉ）」にアンテナｉごとにＳＲＳを送信することができ、ここで、ｉ＝０，１，…Ｎａ−１である。
【０２７９】
ＴSRS（ｉ）およびＴoffset（ｉ）がすべてのアンテナについて同一である場合には、そのＳＲＳ送信のすべてが、同一サブフレームに発生する。Ｎａ個のアンテナがあり、そのオフセットのすべてが異なる場合には、トリガは、Ｎａ個の別々のサブフレームでのＳＲＳ送信をもたらす。
【０２８０】
第４の解決策では、ＷＴＲＵは、非周期的ＳＲＳについてすべてのアンテナに使用すべきＷＴＲＵ固有サブフレームを基地局から受信することができる。これらのサブフレームを、周期的ＳＲＳに使用されるサブフレームと同一または異なるものとすることができる。循環シフトおよび送信コムなどの送信パラメータを、異なるアンテナについて同一または異なるものとすることができる。１サブフレーム内の複数のアンテナからの同時送信の場合に、循環シフト多重化および／または異なる送信コム割当によって、直交性を達成することができる。トリガを与えられて、ＷＴＲＵは、定義されたアンテナ指定方法および定義されたトリガ対送信サブフレーム関係に基づいて、どのアンテナ（１つまたは複数）でどのサブフレームにＳＲＳを送信すべきかを判定することができる。
【０２８１】
第４の解決策の例では、ＵＬグラントまたは他のＤＣＩフォーマットなどのトリガは、どのアンテナ（１つまたは複数）でＳＲＳを送信すべきかを明示的に指定することができる。この場合に、ＷＴＲＵは、定義されたトリガ対送信サブフレーム関係を満足する次のサブフレームに指定されたアンテナ（１つまたは複数）に関するＳＲＳを送信することができる。あるいは、ＲＲＣシグナリングを介するなど、より上のレイヤの構成が、どのアンテナ（１つまたは複数）でＳＲＳを送信すべきかをトリガごとに定義することができる。
【０２８２】
たとえば、サブフレームｎにトリガを与えられて、ＷＴＲＵは、１）次のサブフレーム（ｎ＋１）、２）次のセル固有サブフレーム（たとえば、ｋSRS＞＝ｎ＋１であり、セル固有ＳＲＳサブフレームオフセットおよびＳＲＳ周期性構成パラメータ
【０２８３】
【数７８】
0005514954.tif 000091
【０２８４】
をも満足するサブフレーム「ｋSRS」）、３）次のＷＴＲＵ固有サブフレーム（たとえば、ＦＤＤについて、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するサブフレーム「ｋSRS」）、４）トリガするサブフレームから少なくとも４サブフレーム後の次のセル固有サブフレーム（たとえば、ｋSRS＞＝ｎ＋４であり、セル固有ＳＲＳサブフレームオフセットおよびＳＲＳ周期性構成パラメータ
【０２８５】
【数７９】
0005514954.tif 000092
【０２８６】
をも満足するサブフレーム「ｋSRS」）、または５）トリガするサブフレームから少なくとも４サブフレーム後の次のＷＴＲＵ固有サブフレーム（たとえば、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するサブフレーム「ｋSRS」）のうちの１つに指定されたアンテナ（１つまたは複数）に関するＳＲＳを送信することができる。
【０２８７】
第４の解決策の別の例では、ＵＬグラントもしくは他のＤＣＩフォーマットまたはより上のレイヤのシグナリングなどのトリガは、ＳＲＳの送信をＳＲＳ送信について構成されたアンテナを通ってサイクルさせることができることを指定することができる。この場合に、ＷＴＲＵは、アンテナを通ってサイクルして、所望のトリガ対送信サブフレーム関係を満足する次のサブフレームに、構成されたアンテナに関するＳＲＳを送信することができる。
【０２８８】
サブフレームｎにトリガを与えられて、ＷＴＲＵは、下で説明する方法のうちの１つに従うシーケンスで、Ｎａ個の構成されたアンテナ（１つまたは複数）のそれぞれに関するＳＲＳを送信することができる。例の方法では、ＷＴＲＵは、次のセル固有サブフレーム（たとえば、ｋSRS＞＝ｎ＋１であり、セル固有ＳＲＳサブフレームオフセットおよびＳＲＳ周期性構成パラメータ
【０２８９】
【数８０】
0005514954.tif 000093
【０２９０】
をも満足するサブフレーム「ｋSRS」）に第１の構成されたアンテナに関するＳＲＳを送信することができる。ＷＴＲＵは、次のセル固有サブフレームのそれぞれに、各追加の構成されたアンテナに関するＳＲＳを送信することができる。
【０２９１】
別の例の方法では、ＷＴＲＵは、次のＷＴＲＵ固有サブフレーム（たとえば、ＦＤＤについて、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するサブフレーム「ｋSRS」）に、最初の構成されたアンテナに関するＳＲＳを送信することができる。ＷＴＲＵは、次のＷＴＲＵ固有サブフレームのそれぞれに、各追加の構成されたアンテナに関するＳＲＳを送信することができる。
【０２９２】
別の例の方法では、ＷＴＲＵは、次のセル固有サブフレーム（たとえば、ｋSRS＞＝ｎ＋４であり、セル固有ＳＲＳサブフレームオフセットおよびＳＲＳ周期性構成パラメータ
【０２９３】
【数８１】
0005514954.tif 000094
【０２９４】
をも満足するサブフレーム「ｋSRS」）に、最初の構成されたアンテナに関するＳＲＳを送信することができる。ＷＴＲＵは、次のセル固有サブフレームのそれぞれに、各追加の構成されたアンテナに関するＳＲＳを送信することができる。
【０２９５】
別の例の方法では、ＷＴＲＵは、次のＷＴＲＵ固有サブフレーム（たとえば、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するサブフレーム「ｋSRS」）に、最初の構成されたアンテナに関するＳＲＳを送信することができる。ＷＴＲＵは、次のＷＴＲＵ固有サブフレームのそれぞれに、各追加の構成されたアンテナに関するＳＲＳを送信することができる。
【０２９６】
ＷＴＲＵが順番にアンテナに関するＳＲＳを送信することに対する代替案として、ＷＴＲＵがＳＲＳを送信するアンテナを、たとえば周波数ホッピングパラメータに基づく、事前定義のパターンに従うものとすることができる（ＬＴＥ  Ｒ８に似て）。
【０２９７】
すべてのセル固有サブフレームまたはＷＴＲＵ固有サブフレームに送信することに対する代替案として、ＷＴＲＵは、Ｎ個おきのセル固有サブフレームまたはＷＴＲＵ固有サブフレームにＳＲＳを送信することができる。
【０２９８】
本明細書で説明するのは、複数のアンテナでのＳＲＳ送信に使用できる直列送信方式および並列送信方式である。この方式は、１）すべてのＳＲＳ送信が同一サブフレーム内にある並列送信、２）すべてのＳＲＳ送信が、順番にまたはたとえば周波数ホッピングパラメータに基づく事前定義のパラメータに従ってなど、異なるサブフレーム内にある直列送信、または３）経路損などの所与の判断基準に基づく並列送信または直列送信のいずれかを含むことができる。並列送信または直列送信の選択を、ネットワーク（すなわち、基地局）またはＷＴＲＵによって決定することができる。
【０２９９】
本明細書で説明するのは、送信方式を判定しまたは切り替える方法である。第１の解決策では、基地局が、何をすべきかを判断し、ＷＴＲＵに知らせることができる。ネットワークは、ＳＲＳ送信方式（直列または並列）を判定し、どの送信方式を使用すべきかをＷＴＲＵに知らせる表示をＷＴＲＵに送信することができる。基地局からの表示の受信時に、ＷＴＲＵは、そのＳＲＳ送信方式を、要求された通りに直列または並列にセットし、それ相応に、ＷＴＲＵがＳＲＳを送信する次のサブフレームで送信することができる。あるいは、メッセージが、変更を行う時刻を明示的に識別することができ、この場合には、ＷＴＲＵは、明示的に定義された時刻を使用することができる。基地局からの表示を、ＵＬグラントなどのＤＣＩフォーマットに含めることができる。表示を、非周期的ＳＲＳのトリガに含めることができる。表示を、基地局からのＲＲＣメッセージなどの、より上のレイヤのシグナリングに含めることができる。
【０３００】
第２の解決策では、ＷＴＲＵは、送信方式に関する判断を行うことができ、ＷＴＲＵまたは基地局は、送信方式の選択を制御することができる。１つの変形形態では、ＷＴＲＵは、その好ましいＳＲＳ送信方式（直列または並列）を判定し、それがどの送信方式を好むのかをネットワークに知らせる表示をネットワークに送信する。好ましい方式の表示を、好ましい方式（すなわち、直列または並列）の明示的表示または好ましい方式を暗示するＷＴＲＵステータスの他の表示（１つまたは複数）（電力ヘッドルーム、最大電力に達することのアラート、および類似物）とすることができる。ＷＴＲＵからの表示に応答して、基地局は、並列方式から直列方式に変更するなど、異なる送信方式を使用するためにＷＴＲＵに表示を送信することができる。基地局からの表示を、ＵＬグラントなどのＤＣＩフォーマット、非周期的ＳＲＳのトリガ、または基地局からのＲＲＣメッセージなどのより上のレイヤのシグナリングに含めることができる。
【０３０１】
基地局からの表示の受信時に、ＷＴＲＵは、そのＳＲＳ送信方式を、要求された通りに直列または並列にセットし、それ相応に、たとえばＷＴＲＵがＳＲＳを送信する次のサブフレームで送信することができる。あるいは、基地局からのメッセージ／表示が、変更を行う時刻を明示的に識別することができ、この場合には、ＷＴＲＵは、明示的に定義された時刻を使用することができる。
【０３０２】
新しい好ましい方式がある長さの時間またはある回数のＳＲＳ送信の間に好ましい方式のままになった後に、ＷＴＲＵが、その新しい好ましい方式について基地局に知らせるように、しきい値化を使用することができる。
【０３０３】
第２の解決策の別の変形形態では、ＷＴＲＵは、その好ましいＳＲＳ送信方式（直列または並列）を判定することができる。好ましい送信方式を、現在のＳＲＳ送信方式を使用するまたはＳＲＳ並列送信方式を使用するＳＲＳ送信に必要な電力のＷＴＲＵの判定に基づくものとすることができる。基本的な前提は、ＷＴＲＵに並列に送信させることが好ましいことと、並列動作が、ＷＴＲＵの定格に基づいて許容される電力を超える電力を要求する場合に限って直列に切り替えることとである。
【０３０４】
ＷＴＲＵは、並列送信がサポート可能であるかどうかを判定することができる。そうでない場合には、ＷＴＲＵは、ネットワーク（たとえば、基地局）に通知する。ＷＴＲＵが既に直列送信モードである場合には、ＷＴＲＵは、並列送信モードに戻ることができるかどうかを調べるためにテストし続けることができ、戻ることができると判定する時にはネットワークに通知することができる。
【０３０５】
基地局と相互運用する複数の手法がある。ＷＴＲＵは、切り替えることをアナウンスし、事前定義の時刻に切り替えることができる。あるいは、ＷＴＲＵは、切り替えることをアナウンスし、切り替える前に基地局からの肯定応答を待つことができる。あるいは、ＷＴＲＵは、切替を推奨することをアナウンスし、メッセージを基地局に送信することができる。基地局は、切替を確認する応答を送信することができる（または、送信しなくてもよい）。ＷＴＲＵは、切り替えるために基地局からのメッセージを待ち、メッセージを得る場合には、指定された時刻に切り替えることができる。指定された時刻は、暗黙、たとえば、メッセージの後の固定された定義された時刻とすることができる。あるいは、指定された時刻を、基地局からＷＴＲＵへのメッセージ内で明示的に定義することができる。
【０３０６】
本明細書で説明するのは、並列送信方式および直列送信方式に関する上記の選択手法または切替手法を使用できる例である。一例では、ＳＲＳ並列送信方式を使用している間に、ＷＴＲＵは、そのすべてのアンテナの並列での（すなわち、１サブフレームの１シンボルでの）送信が最大電力を超えることをもたらす（最大電力を超えることを避けるために電力削減技法を使用する前に）か否かを判定することができる。ＷＴＲＵが、最大電力を超えると判定する場合に、ＷＴＲＵは、その状況についてネットワークに知らせるためにネットワークに表示を送信することができる。この表示を、ＲＲＣメッセージ、ＭＡＣ制御要素、または物理層シグナリングに含めることができ、単一のビット、ヘッドルーム値、または他の表示とすることができる。基地局は、その後、直列送信に切り替えるためにＷＴＲＵに表示を送信することができる。
【０３０７】
別の例では、ＳＲＳ直列送信方式を使用している間に、ＷＴＲＵは、そのすべてのアンテナの並列での（すなわち、１サブフレームの１シンボルでの）送信が最大電力を超えることをもたらす（最大電力を超えることを避けるために電力削減技法を使用する前に）か否かを判定することができる。ＷＴＲＵが、最大電力を超えないと判定する場合に、ＷＴＲＵは、その状況についてネットワークに知らせるためにネットワークに表示を送信することができる。この表示を、ＲＲＣメッセージ、ＭＡＣ制御要素、または物理層シグナリングに含めることができ、単一のビット、ヘッドルーム値、または他の表示とすることができる。基地局は、その後、並列送信に切り替えるためにＷＴＲＵに表示を送信することができる。
【０３０８】
別の例では、ＳＲＳ並列送信方式を使用している間に、ＷＴＲＵは、そのすべてのアンテナの並列での（すなわち、１サブフレームの１シンボルでの）送信が最大電力を超えることをもたらす（最大電力を超えることを避けるために電力削減技法を使用する前に）か否かを判定することができる。ＷＴＲＵが、最大電力を超えると判定する場合に、ＷＴＲＵは、ＷＴＲＵがＳＲＳ直列送信方式に切り替えることをネットワークに知らせるためにネットワークに表示を送信することができる。この表示を、ＲＲＣメッセージ、ＭＡＣ制御要素、または物理層シグナリングに含めることができ、単一のビット、ヘッドルーム値、または他の表示とすることができる。ＷＴＲＵは、その後、４サブフレーム後など、変更表示を基地局に送信した後の所定の時刻に、そのＳＲＳ送信方式を直列にセットし、直列送信を使用し始めることができる。
【０３０９】
別の例では、ＳＲＳ直列送信方式を使用している間に、ＷＴＲＵは、そのすべてのアンテナの並列での（すなわち、１サブフレームの１シンボルでの）送信が最大電力を超えることをもたらす（最大電力を超えることを避けるために電力削減技法を使用する前に）か否かを判定することができる。ＷＴＲＵが、最大電力を超えないと判定する場合に、ＷＴＲＵは、ＷＴＲＵがＳＲＳ並列送信方式に切り替えることをネットワークに知らせるためにネットワークに表示を送信することができる。この表示を、ＲＲＣメッセージ、ＭＡＣ制御要素、または物理層シグナリングに含めることができ、単一のビット、ヘッドルーム値、または他の表示とすることができる。ＷＴＲＵは、その後、４サブフレーム後など、変更表示を基地局に送信した後の所定の時刻に、そのＳＲＳ送信方式を並列にセットし、並列送信を使用し始めることができる。
【０３１０】
どの場合でも、新しい好ましい方式がある長さの時間またはある回数のＳＲＳ送信の間に好ましい方式のままになった後に、ＷＴＲＵが、その新しい好ましい方式について基地局に知らせることができるように、しきい値化を使用することができる。
【０３１１】
本明細書で説明するのは、ＳＲＳ送信方式を使用する方法である。例の構成方法では、ＳＲＳ並列送信方式およびＳＲＳ直列送信方式に使用できるサブフレームを、同一のサブフレームとすることができる、すなわち、ＷＴＲＵは、直列送信方式と並列送信方式との両方に使用すべき構成を基地局から受信することができる。たとえば、ＷＴＲＵは、直列送信方式と並列送信方式との両方に使用すべきサブフレーム周期性ＴSRSおよびサブフレームオフセットＴoffsetを提供する、ＳＲＳ構成テーブル（たとえば、ＬＴＥ  Ｒ８  ＷＴＲＵ固有ＳＲＳに使用されるものと同一のテーブルまたは類似するテーブル）へのＳＲＳ構成インデックスを受信することができる。
【０３１２】
ＷＴＲＵは、あるアンテナの循環シフトおよび／または送信コムを基地局から受信することができる。ＷＴＲＵは、アンテナごとに別々の循環シフトおよび送信コムを受信することができ、または、ＷＴＲＵは、第１のアンテナの循環シフトおよび／もしくは送信コムから各追加のアンテナの循環シフトおよび／もしくは送信コムを導出することができる。導出は、本明細書で前に提供した方法のうちの１つに従うものとすることができる。
【０３１３】
ＷＴＲＵは、ＳｏｕｎｄｉｎｇＲＳ−ＵＬ−ＣｏｎｆｉｇＤｅｄｉｃａｔｅｄで定義されるものなどの追加の送信パラメータを基地局から受信することができる。周波数ホッピングパラメータなどのＳＲＳ送信パラメータは、異なるアンテナについて同一または異なるものとすることができる。非周期的ＳＲＳについて、単一または無限を意味する持続時間を、不要とすることができ、または、ＳＲＳを送信すべきサブフレームの個数を意味する持続時間に置換することができる（マルチショットについて）。
【０３１４】
第２の構成方法では、並列ＳＲＳ送信方式が使用される時に、送信サブフレームおよびアンテナの送信パラメータを与えられて、トリガの受信時にまたは送信がアクティブ化されている間に、ＷＴＲＵは、本明細書で説明されるものなどのトリガまたはアクティブ化対送信ルールに従って、適当なサブフレーム（１つまたは複数）に構成されたパラメータを使用してそのすべてのアンテナで同時に送信することができる。
【０３１５】
直列ＳＲＳ送信方式が使用される時に、送信サブフレームおよびアンテナの送信パラメータを与えられて、トリガの受信時または送信がアクティブ化されている間に、ＷＴＲＵは、本明細書で説明するものなどのトリガまたはアクティブ化対送信ルールに従って、サブフレームのそれぞれに１つのアンテナで送信することができる。特定のアンテナでのＳＲＳ送信ごとに、ＷＴＲＵは、そのアンテナの構成されたパラメータを使用することができる。あるいは、特定のアンテナでのＳＲＳ送信ごとに、ＷＴＲＵは、第１アンテナの構成されたパラメータを使用することができる。
【０３１６】
本明細書で説明するのは、並列送信方式を使用する方法である。トリガが単一の送信をもたらす場合の並列ＳＲＳ送信方式について、サブフレームｎにトリガを与えられて、ＷＴＲＵは、次のルールのうちの１つに基づいて、後続サブフレームのうちの１つで同時にそのすべてのアンテナに関するＳＲＳを送信することができる。あるルールによれば、ＷＴＲＵは、次のサブフレーム（ｎ＋１）に送信することができる。別のルールによれば、ＷＴＲＵは、次のセル固有サブフレーム（たとえば、ｋSRS＞＝ｎ＋１であり、セル固有ＳＲＳサブフレームオフセットおよびＳＲＳ周期性構成パラメータ
【０３１７】
【数８２】
0005514954.tif 000095
【０３１８】
をも満足するサブフレーム「ｋSRS」）に送信することができる。
【０３１９】
別のルールによれば、ＷＴＲＵは、次のＷＴＲＵ固有サブフレーム（たとえば、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するサブフレーム「ｋSRS」）に送信することができる。非周期的ＳＲＳに関するこれらのＷＴＲＵ固有サブフレームを、周期的ＳＲＳ送信について構成されたＷＴＲＵ固有サブフレームと同一または異なるものとすることができる。
【０３２０】
別のルールによれば、ＷＴＲＵは、トリガするサブフレームから少なくとも４サブフレーム後の次のセル固有サブフレーム（たとえば、ｋSRS＞＝ｎ＋４であり、セル固有ＳＲＳサブフレームオフセットおよびＳＲＳ周期性構成パラメータ
【０３２１】
【数８３】
0005514954.tif 000096
【０３２２】
をも満足するサブフレーム「ｋSRS」）に送信することができる。
【０３２３】
別のルールによれば、ＷＴＲＵは、トリガするサブフレームから少なくとも４サブフレーム後の次のＷＴＲＵ固有サブフレーム（たとえば、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するサブフレーム「ｋSRS」）に送信することができる。非周期的ＳＲＳに関するこれらのＷＴＲＵ固有サブフレームを、周期的ＳＲＳ送信について構成されたＷＴＲＵ固有サブフレームと同一または異なるものとすることができる。
【０３２４】
トリガが複数の送信をもたらすことができる（すなわち、マルチショットＳＲＳ送信）場合の並列ＳＲＳ送信方式について、送信のＮｓ個のサブフレームの持続時間およびサブフレームｎでのトリガを与えられて、ＷＴＲＵは、次のルールのうちの１つに従ってＮｓ個のサブフレームに同時にそのアンテナのすべてに関するＳＲＳを送信することができる。あるルールによれば、ＷＴＲＵは、開始サブフレームがサブフレームｎ＋１である、次のＮｓ個のサブフレームのそれぞれで送信することができる。別のルールによれば、ＷＴＲＵは、たとえば、各サブフレーム「ｋSRS」が、ｋSRS＞＝ｎ＋１であり、セル固有ＳＲＳサブフレームオフセットおよびＳＲＳ周期性構成パラメータ
【０３２５】
【数８４】
0005514954.tif 000097
【０３２６】
をも満足するようになっている、次のＮｓ個のセル固有サブフレームのそれぞれで送信することができる。
【０３２７】
別のルールによれば、ＷＴＲＵは、たとえば、ＦＤＤについて、各サブフレーム「ｋSRS」が、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、次のＮｓ個のＷＴＲＵ固有サブフレームのそれぞれで送信することができる。これらのＷＴＲＵ固有サブフレームを、周期的ＳＲＳ送信について構成されたＷＴＲＵ固有サブフレームと同一または異なるものとすることができる。
【０３２８】
別のルールによれば、ＷＴＲＵは、たとえば、ＦＤＤについて、各サブフレーム「ｋSRS」が、ｋSRS＞＝ｎ＋４であり、セル固有ＳＲＳサブフレームオフセットおよびＳＲＳ周期性構成パラメータ
【０３２９】
【数８５】
0005514954.tif 000098
【０３３０】
をも満足するようになっている、トリガするサブフレームから少なくとも４サブフレーム後の次のＮｓ個のセル固有サブフレームのそれぞれで送信することができる。
【０３３１】
別のルールによれば、ＷＴＲＵは、たとえば、ＦＤＤについて、各サブフレーム「ｋSRS」が、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、トリガするサブフレームから少なくとも４サブフレーム後の次のＮｓ個のＷＴＲＵ固有サブフレームのそれぞれで送信することができる。これらのＷＴＲＵ固有サブフレームを、周期的ＳＲＳ送信について構成されたＷＴＲＵ固有サブフレームと同一または異なるものとすることができる。
【０３３２】
Ｎｓ＝１の値を使用して、１サブフレームの持続時間を示すことができる。この場合に、トリガは、単一の送信の場合と同一である、１サブフレームでのすべてのアンテナでのＳＲＳ送信をもたらす。Ｎｓの事前定義の値を使用して、連続送信または周期的送信を示すことができる。
【０３３３】
すべてのサブフレーム、セル固有サブフレーム、またはＷＴＲＵ固有サブフレームでの送信に対する代替案として、ＷＴＲＵは、Ｎ個おきのサブフレーム、セル固有サブフレーム、またはＷＴＲＵ固有サブフレームでＳＲＳを送信することができる。
【０３３４】
アクティブ化／非アクティブ化が使用される時の並列ＳＲＳ送信方式について、サブフレームｎにトリガ（アクティブ化）を与えられて、ＷＴＲＵは、次のルールのうちの１つに従って、同時にそのすべてのアンテナに関するＳＲＳを送信することができる。あるルールによれば、ＷＴＲＵは、非アクティブ化まで、サブフレームｎ＋１から始まる次のサブフレームのそれぞれに送信することができる。別のルールによれば、ＷＴＲＵは、たとえば、各サブフレーム「ｋSRS」が、ｋSRS＞＝ｎ＋１であり、セル固有ＳＲＳサブフレームオフセットおよびＳＲＳ周期性構成パラメータ
【０３３５】
【数８６】
0005514954.tif 000099
【０３３６】
をも満足するようになっている、次のセル固有サブフレームのそれぞれで非アクティブ化まで送信することができる。
【０３３７】
別のルールによれば、ＷＴＲＵは、たとえば、ＦＤＤについて、各サブフレーム「ｋSRS」が、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、次のＷＴＲＵ固有サブフレームのそれぞれで非アクティブ化まで送信することができる。これらのＷＴＲＵ固有サブフレームを、周期的ＳＲＳ送信について構成されたＷＴＲＵ固有サブフレームと同一または異なるものとすることができる。
【０３３８】
別のルールによれば、ＷＴＲＵは、たとえば、ＦＤＤについて、各サブフレーム「ｋSRS」が、ｋSRS＞＝ｎ＋４であり、セル固有ＳＲＳサブフレームオフセットおよびＳＲＳ周期性構成パラメータ
【０３３９】
【数８７】
0005514954.tif 000100
【０３４０】
をも満足するようになっている、トリガするサブフレームから少なくとも４サブフレーム後の次のセル固有サブフレームのそれぞれで非アクティブ化まで送信することができる。
【０３４１】
別のルールによれば、ＷＴＲＵは、たとえば、ＦＤＤについて、各サブフレーム「ｋSRS」が、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、トリガするサブフレームから少なくとも４サブフレーム後の次のＷＴＲＵ固有サブフレームのそれぞれで非アクティブ化まで送信することができる。これらのＷＴＲＵ固有サブフレームを、周期的ＳＲＳ送信について構成されたＷＴＲＵ固有サブフレームと同一または異なるものとすることができる。
【０３４２】
すべてのサブフレーム、セル固有サブフレーム、またはＷＴＲＵ固有サブフレームでの送信に対する代替案として、ＷＴＲＵは、Ｎ個おきのサブフレーム、セル固有サブフレーム、またはＷＴＲＵ固有サブフレームでＳＲＳを送信することができる。
【０３４３】
本明細書で説明するのは、直列送信方式を使用する方法である。一時に１つのアンテナを使用する直列ＳＲＳ送信方式について、サブフレームｎにトリガを与えられて、ＷＴＲＵは、次のルールのうちの１つに基づいてその送信アンテナのうちの１つに関するＳＲＳを送信することができる。あるルールによれば、ＷＴＲＵは、次のサブフレーム（ｎ＋１）に送信することができる。別のルールによれば、ＷＴＲＵは、次のセル固有サブフレーム（たとえば、ｋSRS＞＝ｎ＋１であり、セル固有ＳＲＳサブフレームオフセットおよびＳＲＳ周期性構成パラメータ
【０３４４】
【数８８】
0005514954.tif 000101
【０３４５】
をも満足するようになっているサブフレーム「ｋSRS」）に送信することができる。
【０３４６】
別のルールによれば、ＷＴＲＵは、次のＷＴＲＵ固有サブフレーム（たとえば、ＦＤＤについて、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっているサブフレーム「ｋSRS」）に送信することができる。これらの非周期的ＳＲＳに関するＷＴＲＵ固有サブフレームを、周期的ＳＲＳ送信について構成されたＷＴＲＵ固有サブフレームと同一または異なるものとすることができる。
【０３４７】
別のルールによれば、ＷＴＲＵは、トリガするサブフレームから少なくとも４サブフレーム後の次のセル固有サブフレーム（たとえば、ｋSRS＞＝ｎ＋４であり、セル固有ＳＲＳサブフレームオフセットおよびＳＲＳ周期性構成パラメータ
【０３４８】
【数８９】
0005514954.tif 000102
【０３４９】
をも満足するようになっているサブフレーム「ｋSRS」）に送信することができる。
【０３５０】
別のルールによれば、ＷＴＲＵは、トリガするサブフレームから少なくとも４サブフレーム後の次のＷＴＲＵ固有サブフレーム（たとえば、ＦＤＤについて、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっているサブフレーム「ｋSRS」）に送信することができる。これらの非周期的ＳＲＳに関するＷＴＲＵ固有サブフレームを、周期的ＳＲＳ送信について構成されたＷＴＲＵ固有サブフレームと同一または異なるものとすることができる。
【０３５１】
異なるアンテナに関するＳＲＳを、どのアンテナが所与のサブフレームでのＳＲＳ送信に使用されつつあるのかに関してＷＴＲＵおよび基地局に曖昧でなくなるように、順番に（１トリガあたり１つのアンテナでの１つの送信）送信することができる。
【０３５２】
ＷＴＲＵが順番にアンテナに関するＳＲＳを送信することに対する代替案として、ＷＴＲＵがＳＲＳを送信できるアンテナを、事前定義のパターンに従うものとすることができる。たとえば、このパターンを、周波数ホッピングパラメータに基づくものとすることができる（ＬＴＥ  Ｒ８におけるものなど）。
【０３５３】
単一の送信ですべてのアンテナが順番の直列ＳＲＳ送信方式について、サブフレームｎにトリガを与えられて、ＷＴＲＵは、次のルールのうちの１つに従って一時に１つずつ（１サブフレームあたり１つ）、そのＮａ個のアンテナに関するＳＲＳを順番に送信することができる。ＷＴＲＵは、開始サブフレームがサブフレームｎ＋１である次のＮａ個のサブフレームのそれぞれで、Ｎａ個のアンテナのうちの１つ（それらを順番にサイクルして）に関するＳＲＳを送信することができる。別のルールによれば、ＷＴＲＵは、たとえば、各サブフレーム「ｋSRS」が、ｋSRS＞＝ｎ＋１であり、セル固有ＳＲＳサブフレームオフセットおよびＳＲＳ周期性構成パラメータ
【０３５４】
【数９０】
0005514954.tif 000103
【０３５５】
をも満足するようになっている、次のＮａ個のセル固有サブフレームのそれぞれで、Ｎａ個のアンテナのうちの１つ（それらを順番にサイクルして）に関するＳＲＳを送信することができる。
【０３５６】
別のルールによれば、ＷＴＲＵは、たとえば、ＦＤＤについて、各サブフレーム「ｋSRS」が、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、次のＮａ個のＷＴＲＵ固有サブフレームのそれぞれで、Ｎａ個のアンテナのうちの１つ（それらを順番にサイクルして）に関するＳＲＳを送信することができる。これらのＷＴＲＵ固有サブフレームを、周期的ＳＲＳ送信について構成されたＷＴＲＵ固有サブフレームと同一または異なるものとすることができる。
【０３５７】
別のルールによれば、ＷＴＲＵは、たとえば、各サブフレーム「ｋSRS」が、ｋSRS＞＝ｎ＋４であり、セル固有ＳＲＳサブフレームオフセットおよびＳＲＳ周期性構成パラメータ
【０３５８】
【数９１】
0005514954.tif 000104
【０３５９】
をも満足するようになっている、トリガするサブフレームから少なくとも４サブフレーム後の次のＮａ個のセル固有サブフレームのそれぞれで、Ｎａ個のアンテナのうちの１つ（それらを順番にサイクルして）に関するＳＲＳを送信することができる。
【０３６０】
別のルールによれば、ＷＴＲＵは、たとえば、ＦＤＤについて、各サブフレーム「ｋSRS」が、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、トリガするサブフレームから少なくとも４サブフレーム後の次のＮａ個のＷＴＲＵ固有サブフレームのそれぞれで、Ｎａ個のアンテナのうちの１つ（それらを順番にサイクルして）に関するＳＲＳを送信することができる。これらのＷＴＲＵ固有サブフレームを、周期的ＳＲＳ送信について構成されたＷＴＲＵ固有サブフレームと同一または異なるものとすることができる。
【０３６１】
ＷＴＲＵが順番にアンテナに関するＳＲＳを送信することに対する代替案として、ＷＴＲＵがＳＲＳを送信するアンテナを、事前定義のパターンに従うものとすることができる。たとえば、このパターンを、周波数ホッピングパラメータに基づくものとすることができる（ＬＴＥ  Ｒ８に関するものなど）。
【０３６２】
すべてのサブフレーム、セル固有サブフレーム、またはＷＴＲＵ固有サブフレームでの送信に対する代替案として、ＷＴＲＵは、Ｎ個おきのサブフレーム、セル固有サブフレーム、またはＷＴＲＵ固有サブフレームでＳＲＳを送信することができる。
【０３６３】
複数の送信ですべてのアンテナが順番の直列ＳＲＳ送信方式および送信に関するＮｓサブフレームの持続時間について、サブフレームｎにトリガを与えられて、ＷＴＲＵは、非周期的ＳＲＳ送信に関する次のルールのうちの１つに従って一時に１つずつ（１サブフレームあたり１つ）、そのＮａ個のアンテナに関するＳＲＳを順番に送信することができる。ＷＴＲＵは、開始サブフレームがサブフレームｎ＋１である次のＮｓ個のサブフレームのそれぞれで、Ｎａ個のアンテナのうちの１つ（それらを順番にサイクルして）に関するＳＲＳを送信することができる。別のルールによれば、ＷＴＲＵは、たとえば、各サブフレーム「ｋSRS」が、ｋSRS＞＝ｎ＋１であり、セル固有ＳＲＳサブフレームオフセットおよびＳＲＳ周期性構成パラメータ
【０３６４】
【数９２】
0005514954.tif 000105
【０３６５】
をも満足するようになっている、次のＮｓ個のセル固有サブフレームのそれぞれで、Ｎａ個のアンテナのうちの１つ（それらを順番にサイクルして）に関するＳＲＳを送信することができる。
【０３６６】
別のルールによれば、ＷＴＲＵは、たとえば、ＦＤＤについて、各サブフレーム「ｋSRS」が、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、次のＮｓ個のＷＴＲＵ固有サブフレームのそれぞれで、Ｎａ個のアンテナのうちの１つ（それらを順番にサイクルして）に関するＳＲＳを送信することができる。これらのＷＴＲＵ固有サブフレームを、周期的ＳＲＳ送信について構成されたＷＴＲＵ固有サブフレームと同一または異なるものとすることができる。
【０３６７】
別のルールによれば、ＷＴＲＵは、たとえば、各サブフレーム「ｋSRS」が、ｋSRS＞＝ｎ＋４であり、セル固有ＳＲＳサブフレームオフセットおよびＳＲＳ周期性構成パラメータ
【０３６８】
【数９３】
0005514954.tif 000106
【０３６９】
をも満足するようになっている、トリガするサブフレームから少なくとも４サブフレーム後の次のＮｓ個のセル固有サブフレームのそれぞれで、Ｎａ個のアンテナのうちの１つ（それらを順番にサイクルして）に関するＳＲＳを送信することができる。
【０３７０】
別のルールによれば、ＷＴＲＵは、たとえば、ＦＤＤについて、各サブフレーム「ｋSRS」が、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、トリガするサブフレームから少なくとも４サブフレーム後の次のＮｓ個のＷＴＲＵ固有サブフレームのそれぞれで、Ｎａ個のアンテナのうちの１つ（それらを順番にサイクルして）に関するＳＲＳを送信することができる。これらのＷＴＲＵ固有サブフレームを、周期的ＳＲＳ送信について構成されたＷＴＲＵ固有サブフレームと同一または異なるものとすることができる。
【０３７１】
Ｎｓ＝１の値を使用して、１サブフレームの持続時間を示すことができる。この場合に、トリガは、単一の送信の場合と同一である、１サブフレームでの１つのアンテナでのＳＲＳ送信をもたらす。Ｎｓの事前定義の値を使用して、連続送信または周期的送信を示すことができる。
【０３７２】
ＷＴＲＵが順番にアンテナに関するＳＲＳを送信することに対する代替案として、ＷＴＲＵがＳＲＳを送信できるアンテナを、事前定義のパターンに従うものとすることができる。たとえば、周波数ホッピングパラメータに基づく（ＬＴＥ  Ｒ８におけるものなど）。
【０３７３】
すべてのサブフレーム、セル固有サブフレーム、またはＷＴＲＵ固有サブフレームでの送信に対する代替案として、ＷＴＲＵは、Ｎ個おきのサブフレーム、セル固有サブフレーム、またはＷＴＲＵ固有サブフレームでＳＲＳを送信することができる。
【０３７４】
複数の送信ですべてのアンテナが順番の直列ＳＲＳ送信方式および送信に関するＮｓサブフレームの持続時間についての別の解決策では、サブフレームｎにトリガを与えられて、ＷＴＲＵは、次のルールのうちの１つに従って一時に１つずつ（１サブフレームあたり１つ）、そのＮａ個のアンテナに関するＳＲＳを順番に送信することができる。ＷＴＲＵは、開始サブフレームがサブフレームｎ＋１である次のＮａ×Ｎｓ個のサブフレームのそれぞれで、Ｎａ個のアンテナのうちの１つ（それらを順番にサイクルして）に関するＳＲＳを送信することができる。別のルールによれば、ＷＴＲＵは、たとえば、各サブフレーム「ｋSRS」が、ｋSRS＞＝ｎ＋１であり、セル固有ＳＲＳサブフレームオフセットおよびＳＲＳ周期性構成パラメータ
【０３７５】
【数９４】
0005514954.tif 000107
【０３７６】
をも満足するようになっている、次のＮａ×Ｎｓ個のセル固有サブフレームのそれぞれで、Ｎａ個のアンテナのうちの１つ（それらを順番にサイクルして）に関するＳＲＳを送信することができる。
【０３７７】
ＷＴＲＵは、たとえば、ＦＤＤについて、各サブフレーム「ｋSRS」が、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、次のＮａ×Ｎｓ個のＷＴＲＵ固有サブフレームのそれぞれで、Ｎａ個のアンテナのうちの１つ（それらを順番にサイクルして）に関するＳＲＳを送信することができる。これらのＷＴＲＵ固有サブフレームを、周期的ＳＲＳ送信について構成されたＷＴＲＵ固有サブフレームと同一または異なるものとすることができる。
【０３７８】
ＷＴＲＵは、たとえば、各サブフレーム「ｋSRS」が、ｋSRS＞＝ｎ＋４であり、セル固有ＳＲＳサブフレームオフセットおよびＳＲＳ周期性構成パラメータ
【０３７９】
【数９５】
0005514954.tif 000108
【０３８０】
をも満足するようになっている、トリガするサブフレームから少なくとも４サブフレーム後の次のＮａ×Ｎｓ個のセル固有サブフレームのそれぞれで、Ｎａ個のアンテナのうちの１つ（それらを順番にサイクルして）に関するＳＲＳを送信することができる。
【０３８１】
ＷＴＲＵは、たとえば、ＦＤＤについて、各サブフレーム「ｋSRS」が、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、トリガするサブフレームから少なくとも４サブフレーム後の次のＮａ×Ｎｓ個のＷＴＲＵ固有サブフレームのそれぞれで、Ｎａ個のアンテナのうちの１つ（それらを順番にサイクルして）に関するＳＲＳを送信することができる。これらのＷＴＲＵ固有サブフレームを、周期的ＳＲＳ送信について構成されたＷＴＲＵ固有サブフレームと同一または異なるものとすることができる。
【０３８２】
Ｎｓ＝１の値を使用して、１サブフレームの持続時間を示すことができる。この場合に、トリガは、Ｎａ×１＝ＮａサブフレームでのＳＲＳ送信をもたらす。Ｎｓの事前定義の値を使用して、連続送信または周期的送信を示すことができる。
【０３８３】
ＷＴＲＵが順番にアンテナに関するＳＲＳを送信することに対する代替案として、ＷＴＲＵがＳＲＳを送信できるアンテナを、事前定義のパターンに従うものとすることができる。たとえば、このパターンを、周波数ホッピングパラメータに基づくものとすることができる（ＬＴＥ  Ｒ８におけるものなど）。
【０３８４】
すべてのサブフレーム、セル固有サブフレーム、またはＷＴＲＵ固有サブフレームでの送信に対する代替案として、ＷＴＲＵは、Ｎ個おきのサブフレーム、セル固有サブフレーム、またはＷＴＲＵ固有サブフレームでＳＲＳを送信することができる。
【０３８５】
アクティブ化／非アクティブ化が使用される時の直列ＳＲＳ送信方式について、サブフレームｎにトリガ（アクティブ化）を与えられて、ＷＴＲＵは、次のルールのうちの１つに従って、一時に１つずつ（１サブフレームあたり１つ）、そのＮａ個のアンテナに関するＳＲＳを送信することができる。ＷＴＲＵは、非アクティブ化まで、サブフレームｎ＋１から始まる次のサブフレームのそれぞれで、Ｎａ個のアンテナのうちの１つ（それらを順番にサイクルして）に関するＳＲＳを送信することができる。別のルールによれば、ＷＴＲＵは、非アクティブ化まで、たとえば、各サブフレーム「ｋSRS」が、ｋSRS＞＝ｎ＋１であり、セル固有ＳＲＳサブフレームオフセットおよびＳＲＳ周期性構成パラメータ
【０３８６】
【数９６】
0005514954.tif 000109
【０３８７】
をも満足するようになっている、次のセル固有サブフレームのそれぞれでＮａ個のアンテナのうちの１つ（それらを順番にサイクルして）に関するＳＲＳを送信することができる。
【０３８８】
別のルールによれば、ＷＴＲＵは、たとえば、ＦＤＤについて、各サブフレーム「ｋSRS」が、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、次のＷＴＲＵ固有サブフレームのそれぞれでＮａ個のアンテナのうちの１つ（それらを順番にサイクルして）に関するＳＲＳを送信することができる。これらのＷＴＲＵ固有サブフレームを、非アクティブ化まで、周期的ＳＲＳ送信について構成されたＷＴＲＵ固有サブフレームと同一または異なるものとすることができる。
【０３８９】
別のルールによれば、ＷＴＲＵは、非アクティブ化まで、たとえば、各サブフレーム「ｋSRS」が、ｋSRS＞＝ｎ＋４であり、セル固有ＳＲＳサブフレームオフセットおよびＳＲＳ周期性構成パラメータ
【０３９０】
【数９７】
0005514954.tif 000110
【０３９１】
をも満足するようになっている、トリガするサブフレームから少なくとも４サブフレーム後の次のセル固有サブフレームのそれぞれでＮａ個のアンテナのうちの１つ（それらを順番にサイクルして）に関するＳＲＳを送信することができる。
【０３９２】
別のルールによれば、ＷＴＲＵは、たとえば、ＦＤＤについて、各サブフレーム「ｋSRS」が、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっている、トリガするサブフレームから少なくとも４サブフレーム後の次のＷＴＲＵ固有サブフレームのそれぞれでＮａ個のアンテナのうちの１つ（それらを順番にサイクルして）に関するＳＲＳを送信することができる。これらのＷＴＲＵ固有サブフレームを、周期的ＳＲＳ送信について構成されたＷＴＲＵ固有サブフレームと同一または異なるものとすることができる。
【０３９３】
ＷＴＲＵが順番にアンテナに関するＳＲＳを送信することに対する代替案として、ＷＴＲＵがＳＲＳを送信できるアンテナを、事前定義のパターンに従うものとすることができる。たとえば、このパターンを、周波数ホッピングパラメータに基づくものとすることができる（ＬＴＥ  Ｒ８におけるものなど）。
【０３９４】
すべてのサブフレーム、セル固有サブフレーム、またはＷＴＲＵ固有サブフレームでの送信に対する代替案として、ＷＴＲＵは、Ｎ個おきのサブフレーム、セル固有サブフレーム、またはＷＴＲＵ固有サブフレームでＳＲＳを送信することができる。
【０３９５】
本明細書で説明するのは、使用可能であるアンテナより少数のアンテナでのＳＲＳ送信の方法である。Ｎａ個のアンテナを有するＷＴＲＵを考慮すると、ＷＴＲＵは、ＳＲＳを送信する時にそのＮａ個のアンテナより少数を使用する構成または表示を基地局から受信することができる。複数の送信アンテナを有するＬＴＥ−Ａ  ＷＴＲＵは、２つの動作モードすなわち、ＭＡＰＭ（Ｍｕｌｔｉｐｌｅ  Ａｎｔｅｎｎａ  Ｐｏｒｔ  ＭｏｄｅおよびＳＡＰＭ（Ｓｉｎｇｌｅ  Ａｎｔｅｎｎａ  Ｐｏｒｔ  Ｍｏｄｅ）を有することができ、動作のデフォルトモードをＳＡＰＭとすることができる。
【０３９６】
ＭＡＰＭについて、ＳＲＳを送信する時にＮａより少数のアンテナを使用すべきか否かを、物理層またはより上のレイヤのシグナリングを介して基地局によってＷＴＲＵにシグナリングすることができる。あるいは、ＳＲＳに関するＮａより少数のアンテナの使用を、事前に定義することができる。たとえば、ＳＲＳに関して使用すべきアンテナの最大個数が２であることを定義することができる。
【０３９７】
ＭＡＰＭで動作する時に、ＷＴＲＵは、Ｎａより少数のアンテナの使用、たとえばＮｂ個のアンテナの使用（ただし、Ｎｂ＜Ｎａ）を、本明細書で説明するものなどの複数のアンテナを用いてＳＲＳに関して定義されるルールに従って、しかしＮａ個ではなくＮｂ個のアンテナを使用して動作することを意味すると解釈することができる。
【０３９８】
ＳＡＰＭについて、ＷＴＲＵは、ＬＴＥ  Ｒ８仕様に従ってＳＲＳを送信することができる。ＷＴＲＵが、ＭＡＰＭに関してＳＲＳに関して構成されたパラメータを有する場合に、ＳＡＰＭに切り替える時に、再構成されない場合に、ＷＴＲＵは、ＳＡＰＭでのＳＲＳ送信のそのＷＴＲＵ固有パラメータとしてアンテナ１の構成されたパラメータを使用することができる。
【０３９９】
本明細書で説明するのは、単一のトリガから生じる複数のＳＲＳ送信（マルチショット送信）を処理する方法である。複数のサブフレームでのＳＲＳ送信は、改善された測定性能または異なるアンテナに有用である可能性がある。複数のサブフレームでのＳＲＳ送信は、周波数ホッピングをサポートするのにも有用である可能性がある。トリガが複数のＳＲＳ送信をもたらす可能性があることを考慮すると、連続するサブフレームでの送信を考慮することができる。しかし、これは、すべてのサブフレームが、セル内のＷＴＲＵがＳＲＳに使用されるシンボル内でデータを送信することを許可されないサブフレームであるセル固有サブフレームでない限り、連続するサブフレームでの送信が、ＳＲＳを送信するＷＴＲＵとデータを送信するＷＴＲＵとの間の過剰な干渉を引き起こす可能性があるという点で、問題を提示する。すべてのサブフレームがセル固有サブフレームである場合には、データの最後のシンボルは、セル内で送信するすべてのＷＴＲＵによって破壊され、これは、低下した性能または低下した容量をもたらす可能性がある。説明される方法は、部分的に、干渉の可能性およびすべてのサブフレーム内の最後のシンボルを破壊する必要を減らすマルチショットＳＲＳ送信の手段を提供する。
【０４００】
本明細書で説明するのは、トリガに応答する複数および／または単一の送信の使用を管理する解決策である。一例では、トリガは、Ｎｓ個のＳＲＳ送信を指令することができる（Ｎｓは、１以上とすることができる）。別の例では、ネットワークは、１とＮｍａｘとの間でＮｓの値を選択し、この値を割り当てることができる。この値を、基地局によってＷＴＲＵにシグナリングされる、システムパラメータ、セル固有パラメータ、またはＷＴＲＵ固有パラメータとすることができる。非周期的ＳＲＳトリガは、Ｎｓの値を含むことができる。これは、追加の情報をサポートするためにより多くのビットを必要とする可能性がある。あるいは、Ｎｓの値を、より上のレイヤのシグナリングによって供給することができる。
【０４０１】
別の解決策では、Ｎｓが、１つのＳＲＳトリガの結果として発生すべきＳＲＳ送信の回数であるものとする。トリガを与えられて、ＷＴＲＵは、次のセル固有サブフレームおよびその後に次のＮｓ−１個のセル固有サブフレームのそれぞれで、ＳＲＳを送信することができる。たとえば、ＦＤＤについて、サブフレーム「ｎ」にＳＲＳトリガを与えられて、ＷＴＲＵは、ｋSRS＞＝ｎ＋１であり、セル固有ＳＲＳサブフレームオフセットおよびＳＲＳ周期性構成パラメータ
【０４０２】
【数９８】
0005514954.tif 000111
【０４０３】
をも満足するようになっているサブフレーム「ｋSRS」にＳＲＳ（開始）を送信することができる。この最初のＳＲＳ送信には、セル固有ＳＲＳサブフレームオフセットおよびＳＲＳ周期性構成パラメータ
【０４０４】
【数９９】
0005514954.tif 000112
【０４０５】
を満足する次のＮｓ−１個のサブフレーム（サブフレームｋSRSの後の）のそれぞれでのＳＲＳ送信が続く。すべてのセル固有サブフレームでの送信に対する代替案として、ＷＴＲＵは、Ｎ個おきのセル固有サブフレームにＳＲＳを送信することができる。
【０４０６】
固定された回数のＳＲＳ送信をもたらすトリガではなく、ＳＲＳアクティブ化／非アクティブ化を使用できる場合には、アクティブ化に応答して、ＷＴＲＵは、次のセル固有サブフレームおよびその後に非アクティブ化まで次のセル固有サブフレームのそれぞれで、ＳＲＳを送信することができる。非アクティブ化の時には、ＷＴＲＵは、ＳＲＳの送信を停止することができる。アクティブ化を、あるタイプのトリガとみなすことができることに留意されたい。たとえば、ＦＤＤについて、サブフレーム「ｎ」にＳＲＳアクティブ化を与えられて、ＷＴＲＵは、ｋSRS＞＝ｎ＋１であり、セル固有ＳＲＳサブフレームオフセットおよびＳＲＳ周期性構成パラメータ
【０４０７】
【数１００】
0005514954.tif 000113
【０４０８】
をも満足するようになっているサブフレーム「ｋSRS」にＳＲＳ（開始）を送信することができる。この最初のＳＲＳ送信には、セル固有ＳＲＳサブフレームオフセットおよびＳＲＳ周期性構成パラメータ
【０４０９】
【数１０１】
0005514954.tif 000114
【０４１０】
を満足する次のサブフレーム（サブフレームｋSRSの後の）のそれぞれでのＳＲＳ送信が続く。非アクティブ化の時には、ＷＴＲＵは、ＳＲＳの送信を停止することができる。すべてのセル固有サブフレームでの送信に対する代替案として、ＷＴＲＵは、Ｎ個おきのセル固有サブフレームにＳＲＳを送信することができる。
【０４１１】
上の解決策を、複数のアンテナの場合に拡張することができる。複数のアンテナの場合について、トリガを与えられて、ＷＴＲＵは、次のセル固有サブフレームおよびその後に次のＮｓ−１個のセル固有サブフレームのそれぞれにＳＲＳを送信することができる。ＳＲＳを、同一サブフレームにすべてのアンテナについて送信することができる。この場合に、循環シフト多重化および／または異なるコム割当によって、直交性を達成することができる。あるいは、送信がＮｓ個のサブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信するアンテナを、事前定義のパターンに従うものとすることができる。たとえば、このパターンを、周波数ホッピングパラメータに基づくものとすることができる（ＬＴＥ  Ｒ８におけるものなど）。すべてのセル固有サブフレームでの送信に対する代替案として、ＷＴＲＵは、Ｎ個おきのセル固有サブフレームにＳＲＳを送信することができる。
【０４１２】
複数のアンテナの場合について、ＳＲＳアクティブ化／非アクティブ化を使用できる場合には、ＷＴＲＵは、次のセル固有サブフレームおよびその後に非アクティブ化まで次のセル固有サブフレームのそれぞれで、ＳＲＳを送信することができる。ＳＲＳを、同一サブフレームにすべてのアンテナについて送信することができる。この場合に、循環シフト多重化および／または異なるコム割当によって、直交性を達成することができる。あるいは、送信が、非アクティブ化までセル固有サブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信できるアンテナを、事前定義のパターンに従うものとすることができる。たとえば、このパターンを、周波数ホッピングパラメータに基づくものとすることができる（ＬＴＥ  Ｒ８におけるものなど）。すべてのセル固有サブフレームでの送信に対する代替案として、ＷＴＲＵは、Ｎ個おきのセル固有サブフレームにＳＲＳを送信することができる。
【０４１３】
複数の送信を処理する別の解決策では、Ｎｓが、１つのＳＲＳトリガの結果として発生すべきＳＲＳ送信の回数であるものとする。サブフレームｎにトリガを与えられて、ＷＴＲＵは、トリガするサブフレームｎから少なくとも４サブフレーム後（すなわち、ｎ＋４またはそれより後）の次のセル固有サブフレームおよびその後に次のＮｓ−１個のセル固有サブフレームのそれぞれで、ＳＲＳを送信することができる。たとえば、ＦＤＤについて、サブフレーム「ｎ」にＳＲＳトリガを与えられて、ＷＴＲＵは、ｋSRS＞＝ｎ＋４であり、セル固有ＳＲＳサブフレームオフセットおよびＳＲＳ周期性構成パラメータ
【０４１４】
【数１０２】
0005514954.tif 000115
【０４１５】
をも満足するようになっているサブフレーム「ｋSRS」にＳＲＳ（開始）を送信することができる。この最初のＳＲＳ送信には、セル固有ＳＲＳサブフレームオフセットおよびＳＲＳ周期性構成パラメータ
【０４１６】
【数１０３】
0005514954.tif 000116
【０４１７】
を満足する次のＮｓ−１個のサブフレーム（サブフレームｋSRSの後の）のそれぞれでのＳＲＳ送信が続く。すべてのセル固有サブフレームでの送信に対する代替案として、ＷＴＲＵは、Ｎ個おきのセル固有サブフレームにＳＲＳを送信することができる。
【０４１８】
固定された回数のＳＲＳ送信をもたらすトリガではなく、ＳＲＳアクティブ化／非アクティブ化を使用できる場合には、アクティブ化に応答して、ＷＴＲＵは、トリガするサブフレームｎから少なくとも４サブフレーム後（すなわち、ｎ＋４またはそれより後）の次のセル固有サブフレームおよびその後に非アクティブ化まで次のセル固有サブフレームのそれぞれで、ＳＲＳを送信することができる。非アクティブ化の時には、ＷＴＲＵは、ＳＲＳの送信を停止することができる。アクティブ化／非アクティブ化を、あるタイプのトリガとみなすことができる。たとえば、ＦＤＤについて、サブフレーム「ｎ」にＳＲＳアクティブ化を与えられて、ＷＴＲＵは、ｋSRS＞＝ｎ＋４であり、セル固有ＳＲＳサブフレームオフセットおよびＳＲＳ周期性構成パラメータ
【０４１９】
【数１０４】
0005514954.tif 000117
【０４２０】
をも満足するようになっているサブフレーム「ｋSRS」にＳＲＳ（開始）を送信することができる。この最初のＳＲＳ送信には、セル固有ＳＲＳサブフレームオフセットおよびＳＲＳ周期性構成パラメータ
【０４２１】
【数１０５】
0005514954.tif 000118
【０４２２】
を満足する次のサブフレーム（サブフレームｋSRSの後の）のそれぞれでのＳＲＳ送信が続くことができる。非アクティブ化の時には、ＷＴＲＵは、ＳＲＳの送信を停止することができる。すべてのセル固有サブフレームでの送信に対する代替案として、ＷＴＲＵは、Ｎ個おきのセル固有サブフレームにＳＲＳを送信することができる。
【０４２３】
上の２つの例を、複数のアンテナの場合に拡張することができる。サブフレームｎにトリガを与えられて、ＷＴＲＵは、トリガするサブフレームｎから少なくとも４サブフレーム後（すなわち、ｎ＋４またはそれより後）の次のセル固有サブフレームおよびその後に次のＮｓ−１個のセル固有サブフレームのそれぞれにＳＲＳを送信することができる。ＳＲＳを、同一サブフレームにすべてのアンテナについて送信することができる。この場合に、循環シフト多重化および／または異なるコム割当によって、直交性を達成することができる。あるいは、送信がＮｓ個のサブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信するアンテナを、事前定義のパターンに従うものとすることができる。たとえば、このパターンを、周波数ホッピングパラメータに基づくものとすることができる（ＬＴＥ  Ｒ８におけるものなど）。すべてのセル固有サブフレームでの送信に対する代替案として、ＷＴＲＵは、Ｎ個おきのセル固有サブフレームにＳＲＳを送信することができる。
【０４２４】
アクティブ化／非アクティブ化のケースを複数のアンテナの場合に拡張することができる。サブフレームｎにトリガ（アクティブ化）を与えられて、ＷＴＲＵは、トリガするサブフレームｎから少なくとも４サブフレーム後（すなわち、ｎ＋４またはそれより後）の次のセル固有サブフレームおよびその後に非アクティブ化まで次のセル固有サブフレームのそれぞれにＳＲＳを送信することができる。ＳＲＳを、同一サブフレームにすべてのアンテナについて送信することができる。この場合に、循環シフト多重化および／または異なるコム割当によって、直交性を達成することができる。あるいは、送信が非アクティブ化までセル固有サブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信するアンテナを、事前定義のパターンに従うものとすることができる。たとえば、このパターンを、周波数ホッピングパラメータに基づくものとすることができる（ＬＴＥ  Ｒ８におけるものなど）。すべてのセル固有サブフレームでの送信に対する代替案として、ＷＴＲＵは、Ｎ個おきのセル固有サブフレームにＳＲＳを送信することができる。
【０４２５】
複数の送信を処理する別の解決策では、Ｎｓが、１つのＳＲＳトリガの結果として発生すべきＳＲＳ送信の回数であるものとする。トリガを与えられて、ＷＴＲＵは、次のＷＴＲＵ固有サブフレームおよびその後に次のＮｓ−１個のＷＴＲＵ固有サブフレームのそれぞれで、ＳＲＳを送信することができる。たとえば、ＦＤＤについて、サブフレーム「ｎ」にＳＲＳトリガを与えられて、ＷＴＲＵは、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっているサブフレーム「ｋSRS」にＳＲＳ（開始）を送信することができる。この最初のＳＲＳ送信には、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０を満足する次のＮｓ−１個のサブフレーム（サブフレームｋSRSの後の）のそれぞれでのＳＲＳ送信を続けることができる。すべてのＷＴＲＵ固有サブフレームでの送信に対する代替案として、ＷＴＲＵは、Ｎ個おきのＷＴＲＵ固有サブフレームにＳＲＳを送信することができる。
【０４２６】
固定された回数のＳＲＳ送信をもたらすトリガではなく、ＳＲＳアクティブ化／非アクティブ化を使用できる場合には、アクティブ化に応答して、ＷＴＲＵは、次のＷＴＲＵ固有サブフレームおよびその後に非アクティブ化まで次のＷＴＲＵ固有サブフレームのそれぞれで、ＳＲＳを送信することができる。非アクティブ化の時には、ＷＴＲＵは、ＳＲＳの送信を停止する。アクティブ化を、あるタイプのトリガとみなすことができる。たとえば、ＦＤＤについて、サブフレーム「ｎ」にＳＲＳアクティブ化を与えられて、ＷＴＲＵは、ｋSRS＞＝ｎ＋１であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっているサブフレーム「ｋSRS」にＳＲＳ（開始）を送信することができる。この最初のＳＲＳ送信には、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０を満足する次のサブフレーム（サブフレームｋSRSの後の）のそれぞれでのＳＲＳ送信が続く。非アクティブ化の時には、ＷＴＲＵは、ＳＲＳの送信を停止することができる。すべてのＷＴＲＵ固有サブフレームでの送信に対する代替案として、ＷＴＲＵは、Ｎ個おきのＷＴＲＵ固有サブフレームにＳＲＳを送信することができる。
【０４２７】
２つの先行する解決策では、ＷＴＲＵ固有サブフレームを、ＬＴＥ  Ｒ８の周期的ＳＲＳについて定義されたものと同一とすることができ、または、非周期的ＳＲＳについてネットワークによってＷＴＲＵに提供される新しい構成によって定義することができる。上で与えた解決策について、新しい非周期的ＳＲＳ構成が使用される場合には、周期性およびオフセットパラメータを、周期的ＳＲＳについて提供されるように提供することができると仮定する。
【０４２８】
上の解決策を、複数のアンテナの場合に拡張することができる。複数のアンテナの場合について、トリガを与えられて、ＷＴＲＵは、次のＷＴＲＵ固有サブフレームおよびその後に次のＮｓ−１個のＷＴＲＵ固有サブフレームのそれぞれにＳＲＳを送信することができる。ＳＲＳを、同一サブフレームにすべてのアンテナについて送信することができる。この場合に、循環シフト多重化および／または異なるコム割当によって、直交性を達成することができる。あるいは、送信がＮｓ個のサブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信するアンテナを、事前定義のパターンに従うものとすることができる。たとえば、このパターンを、周波数ホッピングパラメータに基づくものとすることができる（ＬＴＥ  Ｒ８／９におけるものなど）。すべてのＷＴＲＵ固有サブフレームでの送信に対する代替案として、ＷＴＲＵは、Ｎ個おきのＷＴＲＵ固有サブフレームにＳＲＳを送信することができる。
【０４２９】
複数のアンテナの場合について、ＳＲＳアクティブ化／非アクティブ化を使用できる場合には、ＷＴＲＵは、次のＷＴＲＵ固有サブフレームおよびその後に非アクティブ化まで次のＷＴＲＵ固有サブフレームのそれぞれで、ＳＲＳを送信することができる。ＳＲＳを、同一サブフレームにすべてのアンテナについて送信することができる。この場合に、循環シフト多重化および／または異なるコム割当によって、直交性を達成することができる。あるいは、送信が、非アクティブ化までＷＴＲＵ固有サブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信できるアンテナを、事前定義のパターンに従うものとすることができる。たとえば、このパターンを、周波数ホッピングパラメータに基づくものとすることができる（ＬＴＥ  Ｒ８におけるものなど）。すべてのＷＴＲＵ固有サブフレームでの送信に対する代替案として、ＷＴＲＵは、Ｎ個おきのＷＴＲＵ固有サブフレームにＳＲＳを送信することができる。
【０４３０】
上の解決策を、各アンテナがそれ自体のアンテナ固有サブフレーム構成を有することができる複数のアンテナの場合に拡張することができる。この場合には、トリガを与えられて、ＷＴＲＵは、アンテナ（ＳＲＳに関して構成された）ごとに、そのアンテナに関する次のアンテナ固有サブフレームおよびその後にそのアンテナに関する次のＮｓ−１個のアンテナ固有サブフレームのそれぞれにＳＲＳを送信することができる。サブフレームパラメータが、すべてのアンテナについて同一である場合には、ＳＲＳを、同一サブフレームにすべてのアンテナについて送信することができる。この場合に、循環シフト多重化および／または異なるコム割当によって、直交性を達成することができる。すべてのアンテナ固有サブフレームでの送信に対する代替案として、ＷＴＲＵは、Ｎ個おきのアンテナ固有サブフレームにＳＲＳを送信することができる。
【０４３１】
アクティブ化／非アクティブ化解決策を、各アンテナがそれ自体のアンテナ固有サブフレーム構成を有する複数のアンテナの場合に拡張することができる。この場合には、トリガ（アクティブ化）を与えられて、ＷＴＲＵは、アンテナ（ＳＲＳに関して構成された）ごとに、そのアンテナに関する次のアンテナ固有サブフレームおよびその後に非アクティブ化までそのアンテナに関する次のアンテナ固有サブフレームのそれぞれにＳＲＳを送信することができる。サブフレームパラメータが、すべてのアンテナについて同一である場合には、ＳＲＳを、同一サブフレームにすべてのアンテナについて送信することができる。この場合に、循環シフト多重化および／または異なるコム割当によって、直交性を達成することができる。すべてのアンテナ固有サブフレームでの送信に対する代替案として、ＷＴＲＵは、Ｎ個おきのアンテナ固有サブフレームにＳＲＳを送信することができる。
【０４３２】
複数の送信を処理する別の解決策では、Ｎｓが、１つのＳＲＳトリガの結果として発生すべきＳＲＳ送信の回数であるものとする。サブフレームｎにトリガを与えられて、ＷＴＲＵは、トリガするサブフレームｎから少なくとも４サブフレーム後（すなわち、ｎ＋４またはそれより後）の次のＷＴＲＵ固有サブフレームおよびその後に次のＮｓ−１個のＷＴＲＵ固有サブフレームのそれぞれで、ＳＲＳを送信することができる。たとえば、ＦＤＤについて、サブフレーム「ｎ」にＳＲＳトリガを与えられて、ＷＴＲＵは、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっているサブフレーム「ｋSRS」にＳＲＳ（開始）を送信することができる。この最初のＳＲＳ送信には、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０を満足する次のＮｓ−１個のサブフレーム（サブフレームｋSRSの後の）のそれぞれでのＳＲＳ送信を続けることができる。すべてのＷＴＲＵ固有サブフレームでの送信に対する代替案として、ＷＴＲＵは、Ｎ個おきのＷＴＲＵ固有サブフレームにＳＲＳを送信することができる。
【０４３３】
固定された回数のＳＲＳ送信をもたらすトリガではなく、ＳＲＳアクティブ化／非アクティブ化を使用できる場合には、アクティブ化に応答して、ＷＴＲＵは、トリガするサブフレームｎから少なくとも４サブフレーム後（すなわち、ｎ＋４またはそれより後）の次のＷＴＲＵ固有サブフレームおよびその後に非アクティブ化まで次のＷＴＲＵ固有サブフレームのそれぞれで、ＳＲＳを送信することができる。非アクティブ化の時には、ＷＴＲＵは、ＳＲＳの送信を停止することができる。アクティブ化を、あるタイプのトリガとみなすことができる。たとえば、ＦＤＤについて、サブフレーム「ｎ」にＳＲＳアクティブ化を与えられて、ＷＴＲＵは、ｋSRS＞＝ｎ＋４であり、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０をも満足するようになっているサブフレーム「ｋSRS」にＳＲＳ（開始）を送信することができる。この最初のＳＲＳ送信には、ＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０を満足する次のサブフレーム（サブフレームｋSRSの後の）のそれぞれでのＳＲＳ送信が続くことができる。非アクティブ化の時には、ＷＴＲＵは、ＳＲＳの送信を停止することができる。すべてのＷＴＲＵ固有サブフレームでの送信に対する代替案として、ＷＴＲＵは、Ｎ個おきのＷＴＲＵ固有サブフレームにＳＲＳを送信することができる。
【０４３４】
上の２つの解決策では、ＷＴＲＵ固有サブフレームを、ＬＴＥ  Ｒ８の周期的ＳＲＳについて定義されたものと同一とすることができ、または、非周期的ＳＲＳについてネットワークによってＷＴＲＵに提供される別の構成によって定義することができる。
【０４３５】
上で提示した解決策について、新しい非周期的ＳＲＳ構成が使用される場合には、周期性およびオフセットパラメータを、周期的ＳＲＳについて提供されるように提供することができると仮定する。
【０４３６】
上の解決策を、複数のアンテナの場合に拡張することができる。複数のアンテナの場合について、サブフレームｎにトリガを与えられて、ＷＴＲＵは、トリガするサブフレームｎから少なくとも４サブフレーム後（すなわち、ｎ＋４またはそれより後）の次のＷＴＲＵ固有サブフレームおよびその後に次のＮｓ−１個のＷＴＲＵ固有サブフレームのそれぞれにＳＲＳを送信することができる。ＳＲＳを、同一サブフレームにすべてのアンテナについて送信することができる。この場合に、循環シフト多重化および／または異なるコム割当によって、直交性を達成することができる。あるいは、送信がＮｓ個のサブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信するアンテナを、事前定義のパターンに従うものとすることができる。たとえば、このパターンを、周波数ホッピングパラメータに基づくものとすることができる（ＬＴＥ  Ｒ８におけるものなど）。すべてのＷＴＲＵ固有サブフレームでの送信に対する代替案として、ＷＴＲＵは、Ｎ個おきのＷＴＲＵ固有サブフレームにＳＲＳを送信することができる。
【０４３７】
複数のアンテナの場合について、ＳＲＳアクティブ化／非アクティブ化を使用できる場合には、サブフレームｎにトリガ（アクティブ化）を与えられて、ＷＴＲＵは、トリガするサブフレームｎから少なくとも４サブフレーム後（すなわち、ｎ＋４またはそれより後）の次のＷＴＲＵ固有サブフレームおよびその後に非アクティブ化まで次のＷＴＲＵ固有サブフレームのそれぞれで、ＳＲＳを送信することができる。ＳＲＳを、同一サブフレームにすべてのアンテナについて送信することができる。この場合に、循環シフト多重化および／または異なるコム割当によって、直交性を達成することができる。あるいは、送信が、非アクティブ化までＷＴＲＵ固有サブフレームのそれぞれで構成されたアンテナの間で交番する（それを通ってサイクルする）ように、ＳＲＳを、異なる構成されたアンテナについて送信することができる。ＷＴＲＵが順番にアンテナに関するＳＲＳを送信することに対する代替案として、ＷＴＲＵがＳＲＳを送信できるアンテナを、事前定義のパターンに従うものとすることができる。たとえば、このパターンを、周波数ホッピングパラメータに基づくものとすることができる（ＬＴＥ  Ｒ８におけるものなど）。すべてのＷＴＲＵ固有サブフレームでの送信に対する代替案として、ＷＴＲＵは、Ｎ個おきのＷＴＲＵ固有サブフレームにＳＲＳを送信することができる。
【０４３８】
上の解決策を、各アンテナがアンテナ固有サブフレーム構成を有することができる複数のアンテナの場合に拡張することができる。この場合には、トリガを与えられて、ＷＴＲＵは、アンテナ（ＳＲＳに関して構成された）ごとに、そのアンテナに関するトリガするサブフレームｎから少なくとも４サブフレーム後（すなわち、ｎ＋４またはそれより後）の次のアンテナ固有サブフレームおよびその後にそのアンテナに関する次のＮｓ−１個のアンテナ固有サブフレームのそれぞれにＳＲＳを送信することができる。サブフレームパラメータが、すべてのアンテナについて同一である場合には、ＳＲＳを、同一サブフレームにすべてのアンテナについて送信することができる。この場合に、循環シフト多重化および／または異なるコム割当によって、直交性を達成することができる。すべてのアンテナ固有サブフレームでの送信に対する代替案として、ＷＴＲＵは、Ｎ個おきのアンテナ固有サブフレームにＳＲＳを送信することができる。
【０４３９】
アクティブ化／非アクティブ化解決策を、各アンテナがそれ自体のアンテナ固有サブフレーム構成を有する複数のアンテナの場合に拡張することができる。この場合には、トリガ（すなわち、アクティブ化）を与えられて、ＷＴＲＵは、アンテナ（ＳＲＳに関して構成された）ごとに、そのアンテナに関するトリガするサブフレームｎから少なくとも４サブフレーム後（すなわち、ｎ＋４またはそれより後）の次のアンテナ固有サブフレームおよびその後に非アクティブ化までそのアンテナに関する次のアンテナ固有サブフレームのそれぞれにＳＲＳを送信することができる。サブフレームパラメータが、すべてのアンテナについて同一である場合には、ＳＲＳを、同一サブフレームにすべてのアンテナについて送信することができる。この場合に、循環シフト多重化および／または異なるコム割当によって、直交性を達成することができる。すべてのアンテナ固有サブフレームでの送信に対する代替案として、ＷＴＲＵは、Ｎ個おきのアンテナ固有サブフレームにＳＲＳを送信することができる。
【０４４０】
複数の送信を処理する別の解決策では、１つのＳＲＳトリガの結果として発生すべきＳＲＳ送信の回数Ｎｓを、非周期的ＳＲＳをサポートするＷＴＲＵによって使用される変更されたＷＴＲＵ固有構成の一部としてネットワークによって供給される構成パラメータとすることができる。あるいは、Ｎｓを、トリガと共に供給することができる。たとえば、ＳＲＳをトリガするＤＣＩフォーマット（たとえば、ＵＬグラント）の一部として。
【０４４１】
複数の送信を処理する別の解決策では、ＳＲＳ送信がアクティブ化された後に、ＳＲＳ送信が、非アクティブ化されるまで継続するように、アクティブ化／非アクティブ化を使用することができる。アクティブ化／非アクティブ化の異なる方法を、下で定義する。アクティブ化を、あるタイプのトリガとみなすことができる。
【０４４２】
１つの例の方法では、アクティブ化を、ＷＴＲＵによってアクティブ化／非アクティブ化であるものと理解することのできる特殊なＤＣＩフォーマット（たとえば、特殊なＵＬグラント）を使用するトグル機構とすることができる。たとえば、このＤＣＩフォーマット（たとえば、ＵＬグラント）を受信できる時には必ず、ＤＣＩフォーマットは、ＷＴＲＵによって、非周期的ＳＲＳがインアクティブである場合にそれをアクティブ化し、非周期的ＳＲＳがアクティブである場合にそれを非アクティブ化することを意味すると理解される。
【０４４３】
別の例の方法では、アクティブ化を、アクティブ化または非アクティブ化を示す１つの明示的ビットとすることができる。このビットを、特殊なまたは変更されたＵＬグラントなど、ＤＣＩフォーマット内とすることができる。たとえば、単一のビットを、アクティブ化／非アクティブ化に使用することができる。このビットの一方の状態は、アクティブ化を表すことができ、他方の状態は、非アクティブ化を表すことができる。このビットが初めてアクティブ化状態で受信される時に、ＷＴＲＵは、これを、非周期的ＳＲＳをアクティブ化し、ＳＲＳの送信を開始することを意味すると解釈することができる（本明細書で説明するアクティブ化／非アクティブ化の処理に関係する解決策のいずれかに従うなど）。このビットが、アクティブ化状態でもう一度受信される場合には、ＷＴＲＵは、ＳＲＳの送信を継続することができる。このビットが、非アクティブ化状態で受信される場合には、ＷＴＲＵは、ＳＲＳの送信を停止することができる。
【０４４４】
ＷＴＲＵ固有サブフレームに言及する、本明細書で説明する解決策では、これらのＷＴＲＵ固有サブフレームを、周期的ＳＲＳに関してＬＴＥ  Ｒ８について現在定義されているものと同一とすることができ、または、非周期的ＳＲＳについて特に定義され、構成されるＳＲＳ送信サブフレームとすることができる。
【０４４５】
本明細書で説明するのは、複数のコンポーネントキャリア（ＣＣ）を処理する方法である。非周期的ＳＲＳを、ＳＲＳトリガを含むＵＬグラントに関連するＣＣ上で送信することができる。しかし、将来のグラントに関するスケジューリング判断をサポートして、基地局がそれに関してＵＬグラントを提供したＣＣとは異なるＣＣに関する測定値を入手できることが、基地局にとって有利である場合がある。したがって、部分的に、ＵＬグラントに関連するＣＣのみではなくそれ以外でもＳＲＳ送信をトリガできる方法を、本明細書で説明する。さらに、ＬＴＥ  Ｒ８に関して定義される周期的ＳＲＳは、複数のＣＣに関するサポートを含まない可能性があるので、説明される方法は、部分的に、複数のＣＣの文脈で周期的ＳＲＳ送信を処理することができる。
【０４４６】
ＣＣを処理する解決策では、ＵＬグラントがトリガとして使用される時に、ＵＬグラントに関連するＣＣ以外のＣＣ上で送信するように、ＷＴＲＵを構成することができる。たとえば、すべてのアクティブＵＬ  ＣＣ上でＳＲＳを送信するように、ＷＴＲＵを構成することができる。別の例では、すべてのＵＬ  ＣＣ上でＳＲＳを送信するように、ＷＴＲＵを構成することができる。ネットワークは、ＣＣのうちのどれでＳＲＳを送信すべきかを構成するために、ＷＴＲＵにＲＲＣシグナリングを送信することができる。オプションは、ＵＬグラントに関連するＣＣ、すべてのＵＬ  ＣＣ、およびすべてのアクティブＵＬ  ＣＣを含むことができる。あるいは、トリガである（またはトリガを含む）ＤＣＩフォーマットなどの物理層シグナリングが、この構成を含むことができる。あるいは、これを、ＷＴＲＵがすべてのＵＬ  ＣまたはすべてのアクティブＵＬ  ＣＣのどちらでＳＲＳを送信すべきなのかに関して事前に定義することができる。トリガ（ＵＬグラントまたは他のＤＣＩフォーマット）またはより上のレイヤのシグナリングは、ＳＲＳの送信をＳＲＳ送信に関して構成されたＣＣを通ってサイクルさせることができることを指定することができる。その場合に、ＷＴＲＵは、定義されたトリガ対送信サブフレーム関係を満足する次のサブフレームに、ＣＣを通ってサイクルしながら、構成されたＣＣに関するＳＲＳを送信することができる。
【０４４７】
ＣＣを処理する別の解決策では、ＳＲＳを送信できるサブフレーム内にＰＵＳＣＨデータまたはＰＵＣＣＨデータがある場合に、ＷＴＲＵは、ＰＵＳＣＨ送信またはＰＵＣＣＨ送信に使用されつつあるＣＣ（１つまたは複数）と同一のＣＣ（１つまたは複数）上でＳＲＳを送信することができる。
【０４４８】
ＣＣを処理する別の解決策では、ＳＲＳを送信できるサブフレーム内にＰＵＳＣＨデータまたはＰＵＣＣＨデータがある場合に、ＷＴＲＵは、ＰＵＳＣＨ送信に最後に使用されたＣＣ（１つまたは複数）と同一のＣＣ（１つまたは複数）上でＳＲＳを送信することができる。あるいは、ＳＲＳが送信されるサブフレーム内にＰＵＳＣＨデータまたはＰＵＣＣＨデータがある場合に、ＷＴＲＵは、ＰＵＳＣＨ送信および／またはＰＵＣＣＨ送信のいずれかに最後に使用されたＣＣ（１つまたは複数）と同一のＣＣ（１つまたは複数）上でＳＲＳを送信することができる。
【０４４９】
本明細書で説明するのは、ＳＲＳ送信の帯域幅（ＢＷ）の指定の方法である。ＬＴＥ  Ｒ１０すなわちＬＴＥ−ＡでのＳＲＳ送信は、ＬＴＥ  Ｒ８周期的ＳＲＳより位置／帯域幅において柔軟とすることができる。本明細書で説明する方法は、位置／帯域幅を指定することができる。ＵＬグラントが非周期的ＳＲＳトリガに使用されている場合について、ＷＴＲＵは、ＵＬグラント内のリソース割当を、ＷＴＲＵがＳＲＳを送信しなければならない位置／帯域幅であるものと解釈することができる。たとえば、ＷＴＲＵは、ＤＣＩフォーマット内のリソース割当フィールドを使用して、その中でＳＲＳを送信しなければならないリソースブロック（ＲＢ）を入手することができる。ＷＴＲＵは、ＵＬグラントのリソース割当で割り当てられた物理リソースブロック（ＰＲＢ）内の最後のシンボル内で、サブフレーム内（トリガ対サブフレームの定義された関係による）でＳＲＳを送信することを意味すると解釈することができる。ＰＲＢ内では、送信を、それでもコムとすることができ（ＬＴＥ  Ｒ８に似て）、割り当てられた循環シフトを、各ＳＲＳ送信に使用することができる。１ＳＲＳ送信あたり、１つのコムおよび１つの循環シフトを使用することができる。複数のアンテナでの送信を、複数のＳＲＳ送信と考えることができる。ＷＴＲＵは、これらの可能性を解釈し、それ相応にＳＲＳ送信を実行することができる。
【０４５０】
本明細書で説明するのは、周期的ＳＲＳを処理する方法である。周期的ＳＲＳについて、ＷＴＲＵは、ＬＴＥ  Ｒ８について定義されているように、ＷＴＲＵ固有サブフレームでＳＲＳを送信することができる。ＷＴＲＵは、ＷＴＲＵが３つ以上のアンテナを有する場合であっても、ＬＴＥ  Ｒ８について定義されているように１つのアンテナまたは２つのアンテナでＳＲＳを送信することができる。あるいは、ＷＴＲＵは、順番にすべてのアンテナで送信する、すなわちアンテナを通ってサイクルすることができる。送信すべきアンテナを、送信が行われるＷＴＲＵ固有サブフレームのサブフレーム番号によって決定することができる。送信すべきアンテナを、ＬＴＥ  Ｒ８ルールに従うべきなのかすべてのアンテナを通ってサイクルすべきなのかに関して、ネットワークからのＲＲＣシグナリングによるなど、構成可能とすることができる。ＷＴＲＵが順番にアンテナに関するＳＲＳを送信することに対する代替案として、ＷＴＲＵがＳＲＳを送信するアンテナを、事前定義のパターンに従うものとすることができる。たとえば、このパターンを、周波数ホッピングパラメータに基づくものとすることができる（ＬＴＥ  Ｒ８におけるものなど）。
【０４５１】
周期的ＳＲＳに関する別の解決策では、ＷＴＲＵ固有サブフレーム内で、ＷＴＲＵは、すべてのアクティブＵＬ  ＣＣ上でまたはあるいはすべてのＵＬ  ＣＣ上でＳＲＳを送信することができる。これを、すべてのＵＬ  ＣＣ上またはすべてのアクティブＵＬ  ＣＣ上のどちらでＳＲＳを送信すべきかに関して、ネットワークからのＲＲＣシグナリングによるなど、構成可能とすることができる。あるいは、ＷＴＲＵがすべてのアクティブＵＬ  ＣＣ上またはあるいはすべてのＵＬ  ＣＣ上のどちらでＳＲＳを送信するのかを、事前定義のルールに基づくものとすることができる。
【０４５２】
別の解決策では、ＳＲＳが送信されるサブフレーム内にＰＵＳＣＨデータまたはＰＵＣＣＨデータがある場合について、ＷＴＲＵは、ＰＵＳＣＨ送信またはＰＵＣＣＨ送信に使用されつつあるＣＣ（１つまたは複数）と同一のＣＣ（１つまたは複数）上でＳＲＳを送信することができる。
【０４５３】
別の解決策では、ＳＲＳが送信されるサブフレーム内にＰＵＳＣＨデータまたはＰＵＣＣＨデータがない場合に、ＷＴＲＵは、ＰＵＳＣＨ送信に最後に使用されたＣＣ（１つまたは複数）と同一のＣＣ（１つまたは複数）上でＳＲＳを送信することができる。あるいは、ＳＲＳを送信できるサブフレーム内にＰＵＳＣＨデータまたはＰＵＣＣＨデータがない場合に、ＷＴＲＵは、ＰＵＳＣＨ送信および／またはＰＵＣＣＨ送信のいずれかに最後に使用されたＣＣ（１つまたは複数）と同一のＣＣ（１つまたは複数）上でＳＲＳを送信することができる。
【０４５４】
本明細書で説明するのは、トリガに応答していつＳＲＳを送信すべきかに関する解決策である。１つの解決策では、サブフレームｎにトリガ（ＵＬグラントなど）を与えられて、ＷＴＲＵは、トリガするサブフレームｎから４サブフレーム後であるサブフレーム（すなわち、サブフレームｎ＋４）がＷＴＲＵ固有サブフレームである場合に限って、そのサブフレームにＳＲＳを送信することができる。たとえば、ＦＤＤについて、サブフレーム「ｎ」でのＳＲＳトリガは、サブフレームｎ＋４がＷＴＲＵ固有ＳＲＳサブフレームオフセットおよびＳＲＳ周期性構成パラメータ（１０・ｎf＋ｋSRS−Ｔoffset）ｍｏｄ  ＴSRS＝０を満足する場合に限って、サブフレームｎ＋４でのＳＲＳ送信をもたらす。
【０４５５】
別の解決策では、サブフレームｎにトリガ（ＵＬグラントなど）を与えられて、ＷＴＲＵは、トリガするサブフレームｎから４サブフレーム後であるサブフレーム（すなわち、サブフレームｎ＋４）がアンテナ固有サブフレームである場合に限って、そのサブフレームにＳＲＳを送信することができる。
【０４５６】
本明細書で説明するのは、複数のアンテナをサポートするためにＬＴＥ  Ｒ８／９アンテナ情報要素を拡張する方法である。ＬＴＥ  Ｒ８／９  ＲＲＣシグナリングで使用できるアンテナ情報要素を、表１３に示す。
【０４５７】
【表１３】
0005514954.tif 000119
【０４５８】
ＬＴＥ  Ｒ８／９では、２つのアンテナを有するＷＴＲＵは、一時に１つのアンテナを使用して送信することだけができる。ＩＥ  ｕｅ−ＴｒａｎｓｍｉｔＡｎｔｅｎｎａＳｅｌｅｃｔｉｏｎを使用して、ＷＴＲＵがどのアンテナポートから送信すべきかを判定する形を構成することができる。ＬＴＥ  Ｒ１０の１つの解決策では、アンテナ選択パラメータを、ＬＴＥ  Ｒ８／９で使用されるものに似た形で使用することができるが、３つ以上のアンテナのサポートなど、ＬＴＥ−Ａシナリオをサポートするために拡張することができる。別の解決策では、アンテナ選択パラメータを使用して、ＷＴＲＵがＳＲＳに関して並列送信方式（１つのサブフレームで複数のアンテナ）または直列送信方式（各サブフレームに１つのアンテナ）のどちらを使用できるのかを指定することができる。たとえば、２つのＬＴＥ  Ｒ８／９値の一方を、並列を意味するように再定義し、他方を、直列を意味するように再定義することができる。
【０４５９】
本明細書で説明するのは、複数のＣＣでのＳＲＳに関する電力関連解決策である。ＣＣ  ｃ上でのサブフレームｉでのＳＲＳ送信の電力セッティング（非周期的ＳＲＳ送信および／または周期的ＳＲＳ送信での）を、
ＰSRS（ｉ，ｃ）＝ｍｉｎ｛ＰCMAX（ｃ），ＰSRS_offset（ｃ）＋１０ｌｏｇ１０（ＭSRS，ｃ）＋ＰO_PUSCH（ｊ，ｃ）＋α（ｊ，ｃ）・ＰＬ＋ｆ（ｉ，ｃ）｝    式３
と表すことができる。
【０４６０】
複数のＣＣ上でのＳＲＳ電力レベルの合計が、ＷＴＲＵの最大の構成された送信電力ＰｃｍａｘあるいはＰｐｏｗｅｒｃｌａｓｓを超える場合には、ＷＴＲＵは、次のうちの１つを行うことができ、すべての解決策で、ＰｃｍａｘをＷＴＲＵの電力クラスの最大電力Ｐｐｏｗｅｒｃｌａｓｓに置換することができる。１つの解決策では、ＷＴＲＵは、最大電力制限すなわち
【０４６１】
【数１０６】
0005514954.tif 000120
【０４６２】
に従うために、各ＣＣ上でＳＲＳ電力を等しく（またはＳＲＳ  ＢＷに比例して）減らすことができる。
【０４６３】
別の解決策では、ＷＴＲＵは、
【０４６４】
【数１０７】
0005514954.tif 000121
【０４６５】
など、各ＣＣ上のＳＲＳ電力をスケーリングすることができ、ここで、ｗcは、
【０４６６】
【数１０８】
0005514954.tif 000122
【０４６７】
を条件とする、ＣＣ  ｃ上のＳＲＳに関するスケーリング係数である。たとえば、ｗcを、より上のレイヤまたは基地局によって構成することができる。
【０４６８】
別の解決策では、ＷＴＲＵは、
【０４６９】
【数１０９】
0005514954.tif 000123
【０４７０】
になるように、ＣＣのうちのいくつかでのＳＲＳ送信を中断することができる。どのＣＣ（１つまたは複数）を中断できるのかを、構成しまたは事前に定義することができる（たとえば、ＣＣの優先順位に基づいて）。たとえば、ＷＴＲＵは、ＰＵＳＣＨおよび／またはＰＵＣＣＨがないＣＣを中断することができる。あるいは、ＷＴＲＵは、どのＣＣ（１つまたは複数）を中断する必要があるのかを自律的に判定することができる。たとえば、ＷＴＲＵは、ＰＵＳＣＨおよび／またはＰＵＣＣＨがないＣＣ（１つまたは複数）を中断することができる。
【０４７１】
別の解決策では、ＷＴＲＵは、ＵＬグラントに関連するＣＣ上でのみＳＲＳを送信することができる。すなわち、ＷＴＲＵは、ＳＲＳ送信他のすべてのＣＣを中断することができる。
【０４７２】
本明細書で説明するのは、ＣＡ（ｃａｒｒｉｅｒ  ａｇｇｒｅｇａｔｉｏｎ）でＳＲＳ送信および他のチャネル（１つまたは複数）の送信を処理するＷＴＲＵ手順である。ＬＴＥ  Ｒ８／９では、ＷＴＲＵのＳＲＳ送信および他の物理チャネル送信が、たまたま同一の（ＳＲＳ）サブフレームで同時に起こる時に、ＷＴＲＵが同一サブフレーム内の最後のＯＦＤＭシンボル内でＳＲＳおよび他のチャネル（１つまたは複数）を同時に送信するのを防ぐためのルールがある。これは、単一搬送波特性を維持し、あるＷＴＲＵのＳＲＳとＰＵＳＣＨとの両方が同一サブフレーム内で送信されるようにスケジューリングされる時に（ＳＲＳセル固有サブフレーム内で発生する可能性がある）、そのサブフレームの最後のＯＦＤＭシンボルを、ＷＴＲＵによるＰＵＳＣＨ送信に使用できなくなっている。あるＷＴＲＵのＳＲＳおよびＰＵＣＣＨフォーマット２／２ａ／２ｂ送信が、たまたま同一サブフレーム内で同時に起こる場合には、ＷＴＲＵは、ＳＲＳを中断することができる。ＳＲＳ送信とあるＷＴＲＵのＡＣＫ／ＮＡＣＫおよび／または肯定のＳＲを担持するＰＵＣＣＨ送信とがたまたま同一サブフレーム内で同時に起こり、パラメータａｃｋＮａｃｋＳＲＳ−ＳｉｍｕｌｔａｎｅｏｕｓＴｒａｎｓｍｉｓｓｉｏｎがＦＡＬＳＥである時には、ＷＴＲＵは、ＳＲＳを中断することができる。そうではない（すなわち、ａｃｋＮａｃｋＳＲＳ−ＳｉｍｕｌｔａｎｅｏｕｓＴｒａｎｓｍｉｓｓｉｏｎ＝「ＴＲＵＥ」）場合には、ＷＴＲＵは、短縮されたフォーマットを用いてＳＲＳおよびＰＵＣＣＨを送信することができる。
【０４７３】
さらに、ＷＴＲＵのＰＵＳＣＨが、ＳＲＳセル固有サブフレーム内で送信されるようにスケジューリングされ、ＳＲＳ送信が、そのＷＴＲＵに関してそのサブフレーム内でスケジューリングされない場合には、ＷＴＲＵは、それでも、ＰＵＳＣＨのＢＷがセル内で構成されたＳＲＳのＢＷに部分的にオーバーラップする場合に、サブフレームの最後のＯＦＤＭシンボル内でＰＵＳＣＨを送信しないものとすることができる（これは、セル内の別のＷＴＲＵによって送信される可能性があるＳＲＳとの干渉を避けるためである）。オーバーラップがない場合には、ＷＴＲＵは、最後のＯＦＤＭシンボル内でＰＵＳＣＨを送信することができる。
【０４７４】
ＬＴＥ  Ｒ１０では、ＰＵＣＣＨを、ＷＴＲＵによってプライマリセル（ＰＣｅｌｌ）上でのみ送信することができ、ＰＵＳＣＨを、１つまたは複数のアクティブ化されたサービングセル上でスケジューリングすることができる。さらに、ＷＴＲＵを、サービングセル（すなわち、ＣＣ）ごとの基礎でＳＲＳを送信するように構成することができる。所与のサブフレームで、ＷＴＲＵが、１つまたは複数のサービングセル上でＳＲＳを、１つまたは複数のサービングセル上でＰＵＳＣＨを、１つまたは複数のサービングセル上でＰＵＣＣＨを（現在はプライマリサービングセル上でのみ許可される）送信できる場合には、最後のＯＦＤＭシンボル内に複数の送信がある可能性があり、これは、ＷＴＲＵがそのシンボル内で最大電力を超えることをもたらす可能性がある。本明細書で説明する方法は、部分的に、最大電力条件の発生を回避するか減らし、かつ／または最大電力条件に対処する。
【０４７５】
本明細書で説明するのは、ＳＲＳ（１つまたは複数）送信およびＰＵＳＣＨ（１つまたは複数）送信の方法である。ＷＴＲＵが、あるサブフレーム内で１つまたは複数のサービングセル上でＰＵＳＣＨ（１つまたは複数）を送信するようにスケジューリングされ、そのサブフレーム内で１つまたは複数のサービングセル上でＳＲＳ（１つまたは複数）を送信するようにもスケジューリングされ、かつ／またはそのサブフレームが、ＷＴＲＵがそれに関してＳＲＳを送信するようにスケジューリングされない１つまたは複数のサービングセルに関するＳＲＳセル固有サブフレームである場合がある可能性がある。たとえば、ＷＴＲＵを、プライマリセル（またはセカンダリセル）上でＰＵＳＣＨを送信するようにスケジューリングすることができ（たとえば、ＵＬグラントを介して）、サービングセル（プライマリセルまたはセカンダリセル）上で同一のサブフレームにＳＲＳ（１つまたは複数）を送信するようにスケジューリングすることができる（たとえば、周期的スケジューリングまたは非周期的トリガを介して）。本明細書で説明する方法または解決策は、部分的に、これらのスケジューリング衝突を処理する。これらの例では、２つのセルすなわちセル１およびセル２が例示のために使用され、セル１およびセル２は、それぞれ、サービングセル（プライマリまたはセカンダリ）のいずれか１つとすることができ、解決策は、任意の個数のセルに適用することができる。
【０４７６】
ある解決策では、サービングセル（たとえば、セル１）上で１つまたは複数のサービングセルのサービングセル固有ＳＲＳサブフレームにＰＵＳＣＨを送信するためにＷＴＲＵをスケジューリングでき、そのサブフレーム内にサービングセルのうちの少なくとも１つでＳＲＳを送信するためにＷＴＲＵをスケジューリングできる時に、ＷＴＲＵは、セル１上でそのサブフレームの最後のＯＦＤＭシンボル内でＰＵＳＣＨを送信しないものとすることができる。
【０４７７】
別の解決策では、サービングセル（たとえば、セル１）上で１つまたは複数のサービングセルのサービングセル固有ＳＲＳサブフレームにＰＵＳＣＨを送信するためにＷＴＲＵをスケジューリングでき、ＷＴＲＵが、そのサブフレーム内にサービングセルのいずれでもＳＲＳを送信するためにスケジューリングされていない時に、ＰＵＳＣＨリソース割当（セル１の）が、サブフレームがＳＲＳセル固有サブフレームであるサービングセルのいずれかに関するＳＲＳ帯域幅構成と部分的にであってもオーバーラップする場合に、ＷＴＲＵは、セル１上でそのサブフレームの最後のＯＦＤＭシンボル内でＰＵＳＣＨを送信しないものとすることができる。
【０４７８】
別の解決策では、ＷＴＲＵは、この解決策について説明されるケースのうちの１つまたは複数に関する１つまたは複数のルールに従うことができる。第１のケースでは、ＰＵＳＣＨは、セル１上にあり、ＳＲＳは、セル１上にある。ＷＴＲＵが、サービングセル（たとえば、セル１）上で、その同一のセルのサービングセル固有ＳＲＳサブフレーム内にＰＵＳＣＨを送信するためにスケジューリングされ、ＷＴＲＵが、そのサブフレームにそのサービングセル（セル１）に関してＳＲＳを送信するためにもスケジューリングされる時に、次のルールのうちの１つを使用することができる。第１のルールによれば、ＬＴＥ  Ｒ８／９に対する変更がないものとすることができ、したがって、ＷＴＲＵは、セル１上でサブフレームの最後のＯＦＤＭシンボル内にＰＵＳＣＨを送信しない。
【０４７９】
第２のルールによれば、ＬＴＥ  Ｒ８ルールを、ＰＵＳＣＨリソース割当（セル１の）がセル１のＳＲＳ帯域幅構成と部分的にであってもオーバーラップする場合に、ＷＴＲＵは、セル１上のサブフレームの最後のＯＦＤＭシンボル内にＰＵＳＣＨを送信しないものすることができるという点で変更を伴って適用することができる。そうではない場合には、ＷＴＲＵは、最後のＯＦＤＭシンボルをＰＵＳＣＨ送信に使用することもできる同一のサブフレーム内でＰＵＳＣＨとＳＲＳとの両方を送信することができる。この場合に、最大電力手順が、本明細書で説明する同時のＳＲＳ送信およびＰＵＳＣＨ送信を処理するために必要になる場合がある。
【０４８０】
第２のケースでは、ＰＵＳＣＨは、セル１上にあり、ＳＲＳは、セル２上にあり、その中で送信すべきサブフレームは、セル１上のＳＲＳセル固有サブフレームではない。ＷＴＲＵが、サービングセル（たとえば、セル１）上で非ＳＲＳセル固有サブフレーム（すなわち、同一セルのサービングセル固有ＳＲＳサブフレームではない）でＰＵＳＣＨを送信するためにスケジューリングされ、ＷＴＲＵが、そのサブフレームに別のサービングセル（たとえば、セル２）に関するＳＲＳを送信するためにもスケジューリングされる時には、次のルールのうちの１つまたは複数を使用することができる。第１のルール、ルール１によれば、ＷＴＲＵは、潜在的な電力問題を避けるために、セル１上で最後のＯＦＤＭシンボルにＰＵＳＣＨを送信しないものとすることができる。ルール２によれば、ＷＴＲＵは、セル１でのＰＵＳＣＨの送信を準備することができ、ＳＲＳ（複数のＳＲＳがある場合には１つまたは複数）を発生させるか中断する場合に、最後のＯＦＤＭシンボルでの最大電力問題に対処する。ルール３によれば、ＷＴＲＵは、セル１でのＰＵＳＣＨの送信を準備することができ、最後のシンボルで最大電力問題がある場合には、ＷＴＲＵは、セル１上で最後のＯＦＤＭシンボルにＰＵＳＣＨを送信しないものとすることができる（この場合に、基地局は、たとえばブラインド検出によって、ＰＵＳＣＨに関してＷＴＲＵが何を行ったのかを判定する必要がある場合がある）。
【０４８１】
第３のケースでは、ＰＵＳＣＨは、セル１上にあり、その中で送信すべきサブフレームは、セル１に関するＳＲＳセル固有サブフレームであるが、ＳＲＳ送信は、このＷＴＲＵについてスケジューリングされない。ＷＴＲＵが、サービングセル（たとえば、セル１）上でその同一のセルのサービングセル固有ＳＲＳサブフレームでＰＵＳＣＨを送信するためにスケジューリングされるが、そのサブフレームにサービングセル（セル１）に関するＳＲＳを送信するためにスケジューリングされていない時には、次のルールのうちの１つまたは複数を使用することができる。第１のルールによれば、次のように説明されるＬＴＥ  Ｒ８／９ルールを適用することができる。ＰＵＳＣＨリソース割当（セル１の）がセル１のＳＲＳ帯域幅構成と部分的にであってもオーバーラップする場合に、ＷＴＲＵは、セル１上のサブフレームの最後のＯＦＤＭシンボル内でＰＵＳＣＨを送信しない。そうではない場合には、ＷＴＲＵは、ＬＴＥ  Ｒ８と同様に、普通にＰＵＳＣＨを送信することができる（最後のＯＦＤＭシンボル内を含む）。
【０４８２】
第４のケースでは、ＰＵＳＣＨは、セル１上にあり、その中で送信すべきサブフレームは、セル１ではなくセル２に関するＳＲＳセル固有サブフレームであり、ＳＲＳ送信は、スケジューリングされていない。ＷＴＲＵが、サービングセル（たとえば、セル１）上で非ＳＲＳセル固有サブフレーム（すなわち、同一のセルのサービングセル固有ＳＲＳサブフレームではない）でＰＵＳＣＨを送信するためにスケジューリングされ、同一のサブフレームが、別のサービングセル（たとえば、セル２）のサービングセル固有ＳＲＳサブフレームであるが、ＳＲＳ送信が、このＷＴＲＵに関してサブフレーム内で発生しない（セル２上で）時には、組み合わされたＰＵＳＣＨおよびＳＲＳに起因する最大電力問題は、このケースにはない。したがって、ＷＴＲＵは、ＰＵＳＣＨを普通に送信することができる。
【０４８３】
第５のケースでは、ＰＵＳＣＨは、セル１上にあり、サブフレームは、セル１とセル２との両方に関するＳＲＳセル固有サブフレームであり、ＳＲＳ送信は、セル２についてこのサブフレーム内でスケジューリングされるが、セル１についてはスケジューリングされない。ＷＴＲＵが、サービングセル（たとえば、セル１）上でその同一のセルのサービングセル固有ＳＲＳサブフレーム内でＰＵＳＣＨを送信するためにスケジューリングされるが、そのサブフレーム内でそのサービングセル（セル１）に関してＳＲＳを送信するためにスケジューリングされず、同一のサブフレームが、別のサービングセル（たとえば、セル２）のサービングセル固有ＳＲＳサブフレームであり、このＷＴＲＵが、そのセル（セル２）上でＳＲＳを送信する時には、次のルールのうちの１つまたは複数を使用することができる。第１のルールによれば、ＰＵＳＣＨリソース割当（セル１の）がセル１のＳＲＳ帯域幅構成と部分的にであってもオーバーラップする場合に、ＷＴＲＵは、セル１上のサブフレームの最後のＯＦＤＭシンボル内でＰＵＳＣＨを送信しないものとすることができる。そうではない場合には、ＷＴＲＵは、セル１上で普通にＰＵＳＣＨを送信することができる（最後のＯＦＤＭシンボル内を含めて）。この場合に、送信電力手順が、本明細書で説明するように同時のＳＲＳ送信（セル２上）およびＰＵＳＣＨ送信（セル１上）を処理するために必要になる可能性がある。第２のルールによれば、可能な電力問題を回避するために、ＷＴＲＵは、セル１上でサブフレームの最後のＯＦＤＭシンボル内にＰＵＳＣＨを送信しないものとすることができる。
【０４８４】
図９は、ＰＵＳＣＨ送信とＳＲＳ送信との間の潜在的な衝突を処理する、本明細書で説明する例の方法または解決策のいくつかを示す流れ図９００である。当初に、ＷＴＲＵは、サービングセル、たとえばセル１についてサブフレーム内でスケジューリングされたＰＵＳＣＨ送信を有することができる（９０５）。ＷＴＲＵは、サブフレームがセル１のＳＲＳセル固有サブフレームであるかどうかを判定する（９１０）。サブフレームがＳＲＳセル固有サブフレームである場合には、ＷＴＲＵは、ＳＲＳ送信がセル１についてこのサブフレーム内でスケジューリングされているかどうかを判定する（９１５）。ＳＲＳおよびＰＵＳＣＨがセル１の同一のサブフレーム内で送信についてスケジューリングされている場合には、ＷＴＲＵは、セル１のサブフレームの最後のＯＦＤＭシンボル内でＰＵＳＣＨを送信しない（９２０）。ＳＲＳ送信がセル１についてサブフレーム内でスケジューリングされていない場合には、ＷＴＲＵは、ＰＵＳＣＨ  ＢＷが、部分的であってもセル１の構成されたＳＲＳ  ＢＷにオーバーラップするかどうかを判定する（９２５）。ＰＵＳＣＨ  ＢＷおよびＳＲＳ  ＢＷが少なくとも部分的にオーバーラップする場合には、ＷＴＲＵは、セル１のサブフレームの最後のＯＦＤＭシンボル内でＰＵＳＣＨを送信しない（９２０）。
【０４８５】
サブフレームが、セル１のＳＲＳセル固有サブフレームであるが、ＳＲＳ送信がサブフレーム内でスケジューリングされておらず、ＰＵＳＣＨ  ＢＷとＳＲＳ  ＢＷとの間にオーバーラップがない、または、サブフレームが、セル１のＳＲＳセル固有サブフレームではない場合には、ＷＴＲＵは、サブフレームが、いずれかの他のサービングセルに関するＳＲＳセル固有サブフレームであるかどうかを判定する（９３０）。サブフレームが、セル１または任意の他のサービングセルのＳＲＳセル固有サブフレームではない場合には、ＷＴＲＵは、セル１内で普通にＰＵＳＣＨを送信することができる（９３５）。すなわち、ＰＵＳＣＨ送信は、サブフレームの最後のＯＦＤＭシンボル内で発生することができる。
【０４８６】
サブフレームが、別のサービングセルに関するＳＲＳセル固有サブフレームである場合には、ＷＴＲＵは、ＳＲＳ送信がこれらのサービングセルのいずれかでスケジューリングされているかどうかを判定する（９４０）。ＳＲＳ送信がこれらのサービングセルのいずれでもスケジューリングされていない場合には、ＷＴＲＵは、セル１内で普通にＰＵＳＣＨを送信することができる（９３５）。ＳＲＳ送信が別のサービングセルについてスケジューリングされている場合には、ＷＴＲＵは、２つの代替の手法を有することができる。第１のオプション（９４５）では、ＷＴＲＵは、セル１のサブフレームの最後のＯＦＤＭシンボル内でＰＵＳＣＨを送信しないものとすることができる（９２０）。第２のオプション（９５０）では、ＷＴＲＵは、サブフレームの最後のＯＦＤＭシンボル内を含む通常のＰＵＳＣＨの送信の準備をすることができる（９５５）。その後、ＷＴＲＵは、送信に必要な電力が、最後のＯＦＤＭシンボル内で最大送信電力を超えるかどうかを判定することができる（９６０）。電力レベルが最大電力を超えない場合には、ＷＴＲＵは、セル１内でＰＵＳＣＨを普通に送信することができる（９３５）。すなわち、ＰＵＳＣＨ送信は、サブフレームの最後のＯＦＤＭシンボル内で発生することができる。必要な電力レベルが、最後のＯＦＤＭシンボル内で最大送信電力を超える場合には、ＷＴＲＵは、最後のＯＦＤＭシンボル内で最大送信電力未満になるために電力レベルおよび／またはチャネルを調整し、その後、サブフレーム内で送信することができる（９６５）。
【０４８７】
本明細書で説明するのは、ＳＲＳ（１つまたは複数）送信およびＰＵＣＣＨ送信を処理する方法である。これらの方法では、２つのセルすなわちセル１およびセル２が例示のために使用され、セル１およびセル２は、それぞれ、サービングセル（プライマリまたはセカンダリ）のいずれか１つとすることができ、解決策は、任意の個数のセルに適用することができる。
【０４８８】
第１のケースでは、ＷＴＲＵが、プライマリセル（たとえば、セル１）上で、その同一のセルのサービングセル固有ＳＲＳサブフレーム内でＰＵＣＣＨを送信し、ＷＴＲＵが、そのサブフレームにセル１（たとえば、プライマリセル）に関するＳＲＳを送信するためにもスケジューリングされている時に、次のルールのうちの１つまたは複数を使用することができる。
【０４８９】
第１のルールによれば、ＬＴＥ  Ｒ８ルールを、送信に関して適用することができ、優先順位、短縮されたＰＵＣＣＨフォーマット１／１ａ／１ｂ、ＰＵＣＣＨフォーマット２／２ａ／２ｂ、および短縮されたＰＵＣＣＨフォーマット３を追加することができる。たとえば、ＰＵＣＣＨフォーマット２／２ａ／２ｂ送信が、同一サブフレーム内で行われる場合に、ＷＴＲＵは、ＳＲＳを中断することができる（すなわち、ＰＵＣＣＨフォーマット２／２ａ／２ｂは、ＳＲＳを超える優先順位を有する）。また、肯定応答／否定応答（ＡＣＫ／ＮＡＣＫ）および／または肯定のスケジューリング要求（ＳＲ）を担持するＰＵＣＣＨ送信（フォーマット１／１ａ／１ｂまたはフォーマット３を用いる）が、同一のサブフレーム内で発生し、パラメータａｃｋＮａｃｋＳＲＳ−ＳｉｍｕｌｔａｎｅｏｕｓＴｒａｎｓｍｉｓｓｉｏｎがＦＡＬＳＥである場合には、ＷＴＲＵは、ＳＲＳを中断することができる。そうではない（すなわち、ａｃｋＮａｃｋＳＲＳ−ＳｉｍｕｌｔａｎｅｏｕｓＴｒａｎｓｍｉｓｓｉｏｎ＝「ＴＲＵＥ」）場合には、ＷＴＲＵは、短縮されたフォーマットを用いてＳＲＳおよびＰＵＣＣＨを送信することができ、ここで、短縮されたフォーマットを用いると、サブフレームの最後のＯＦＤＭシンボル（ＳＲＳ位置に対応する）が、ＰＵＣＣＨ送信のために破壊される場合がある。
【０４９０】
第２のルールによれば、ＷＴＲＵは、同時ＡＣＫ／ＮＡＣＫおよびＳＲＳが許される時に、ＰＵＣＣＨフォーマット３に関する短縮されたフォーマットを使用して、ＳＲＳおよびＰＵＣＣＨフォーマット３を同時に送信することができる。しかし、ＰＵＣＣＨフォーマット３に関する短縮されたフォーマットの使用を、いくつかの場合に使用可能ではないものとすることができるように、少数のＡＣＫ／ＮＡＣＫビット、たとえばＮビットまで（たとえば、Ｎ＝４）に制限することができる。たとえば、送信されるＡＣＫ／ＮＡＣＫビットの個数が、Ｎ以下であり、パラメータａｃｋＮａｃｋＳＲＳ−ＳｉｍｕｌｔａｎｅｏｕｓＴｒａｎｓｍｉｓｓｉｏｎがＴＲＵＥである（サービングセル固有サブフレーム内で）場合に、ＷＴＲＵは、短縮されたＰＵＣＣＨフォーマットを使用してＡＣＫ／ＮＡＣＫ（およびＳＲ）を送信することができる。しかし、送信されるＡＣＫ／ＮＡＣＫビットの個数がＮを超えるか、パラメータａｃｋＮａｃｋＳＲＳ−ＳｉｍｕｌｔａｎｅｏｕｓＴｒａｎｓｍｉｓｓｉｏｎがＦＡＬＳＥである場合には、ＷＴＲＵは、ＳＲＳを中断し、サブフレーム内で通常のフォーマット３を用いてＰＵＣＣＨを送信することができる。あるいは、ＷＴＲＵは、ＳＲＳ送信およびＰＵＣＣＨフォーマット３送信が同一のサブフレーム内で発生する時に必ず、ＳＲＳを送信しないものとすることができる。この場合には、ノーマットＰＵＣＣＨフォーマット３が使用される。
【０４９１】
第３のルールによれば、ＷＴＲＵが、ＰＵＣＣＨ（通常のＰＵＣＣＨフォーマットを用いてすなわち短縮されたフォーマットを用いずに）およびＳＲＳをそのサブフレームの最後のシンボル内で送信することを許可することができ、潜在的な最大電力問題は、たとえば本明細書で説明するスケーリングルールを使用して処理することができる。
【０４９２】
第２のケースについて、ＷＴＲＵが、サービングセル、たとえばプライマリセル（たとえば、セル１）上で非ＳＲＳセル固有サブフレーム（すなわち、同一のセルのサービングセル固有ＳＲＳサブフレームではない）内でＰＵＣＣＨを送信でき、ＷＴＲＵを、そのサブフレーム内で別のサービングセル（たとえば、セル２）に関するＳＲＳを送信するためにスケジューリングすることもできる時に、次のルールのうちの１つまたは複数を使用することができる。第１のルールによれば、ＷＴＲＵは、潜在的な送信電力問題を回避するために、セル１上の最後のＯＦＤＭシンボル内でＰＵＣＣＨを送信しないものとすることができる（すなわち、たとえばＰＵＣＣＨフォーマット１／１ａ／１ｂおよびＰＵＣＣＨフォーマット３に関する、短縮されたＰＵＣＣＨフォーマットを使用して）。第２のルールによれば、ＷＴＲＵは、セル１内でＰＵＣＣＨの送信を準備することができ、最後のＯＦＤＭシンボルで最大電力問題が発生する場合には、たとえば本明細書で説明するスケーリングルールを使用して、その最大電力問題に対処する。
【０４９３】
第３のルールによれば、ＷＴＲＵは、セル１内でＰＵＣＣＨの送信を準備することができ、最後のシンボルで最大電力問題がある場合には（たとえば、Ｐｐｕｃｃｈ＋Ｐｓｒｓ＞Ｐｍａｘ）、ＷＴＲＵは、セル１上のサブフレームの最後のシンボルでＰＵＣＣＨを送信しないものとすることができる（たとえば、短縮されたＰＵＣＣＨフォーマットを使用して）。この場合に、基地局は、たとえばブラインド検出を使用することによって、ＷＴＲＵが何を行ったのかを判定する必要がある場合がある。
【０４９４】
第３のケースについて、ＷＴＲＵが、サービングセル、たとえばプライマリセル（たとえば、セル１）上で、その同一のセルのサービングセル固有ＳＲＳサブフレーム内でＰＵＣＣＨを送信できるが、ＷＴＲＵが、そのサービングセル、たとえばプライマリセル（たとえば、セル１）に関するＳＲＳをそのサブフレーム内で送信しない時には、次のルールを使用することができる。このルールによれば、ＷＴＲＵは、制約なしで（最大ＣＣ（セル）電力制限を除く）ＰＵＣＣＨを送信することができる。
【０４９５】
第４のケースについて、ＷＴＲＵが、サービングセル、たとえばプライマリセル（たとえば、セル１）上で、非ＳＲＳセル固有サブフレーム（すなわち、同一のセルのサービングセル固有ＳＲＳサブフレームではない）内でＰＵＣＣＨを送信でき、同一のサブフレームが、別のサービングセル（たとえば、セル２）のサービングセル固有ＳＲＳサブフレームであるが、ＷＴＲＵが、このＷＴＲＵに関するサブフレーム内でそのセル（セル２）上でＳＲＳを送信しない時には、このケースでは、組み合わされたＰＵＣＣＨおよびＳＲＳに起因する最大電力問題はなく、ＷＴＲＵは、普通にＰＵＣＣＨを送信することができる。
【０４９６】
第５のケースについて、ＷＴＲＵが、サービングセル、たとえばプライマリセル（たとえば、セル１）上で、その同一のセルのサービングセル固有ＳＲＳサブフレーム内でＰＵＣＣＨを送信できるが、ＷＴＲＵが、そのサブフレーム内でそのサービングセル（セル１）に関するＳＲＳを送信せず、同一のサブフレームが、別のサービングセル（たとえば、セル２）のサービングセル固有ＳＲＳサブフレームであり、このＷＴＲＵが、セル２上でＳＲＳを送信する時には、次のルールのうちの１つまたは複数を使用することができる。第１のルールによれば、ＷＴＲＵは、潜在的な送信電力問題を回避するために、セル１上で最後のＯＦＤＭシンボル内でＰＵＣＣＨを送信しないものとすることができる（すなわち、たとえばＰＵＣＣＨフォーマット１／１ａ／１ｂおよびＰＵＣＣＨフォーマット３に関する、短縮されたＰＵＣＣＨフォーマットを使用して）。
【０４９７】
第２のルールによれば、ＷＴＲＵは、セル１内でのＰＵＣＣＨの送信を準備することができ、最後のＯＦＤＭシンボル内で最大電力問題が発生する場合に、たとえば本明細書で説明するスケーリングルールを使用して、その最大電力問題に対処する。第３のルールによれば、ＷＴＲＵは、セル１内でＰＵＣＣＨの送信を準備することができ、最後のシンボルで最大電力問題がある（たとえば、Ｐｐｕｃｃｈ（セル１上）＋Ｐｓｒｓ（セル２上）＞Ｐｍａｘ）場合には、ＷＴＲＵは、セル１上のサブフレームの最後のシンボル内でＰＵＣＣＨを送信しないものとすることができる（たとえば、たとえばＰＵＣＣＨフォーマット１／１ａ／１ｂおよびＰＵＣＣＨフォーマット３に関する短縮されたＰＵＣＣＨフォーマットを使用して）。
【０４９８】
図１０は、ＰＵＣＣＨ送信とＳＲＳ送信との間の潜在的な衝突を処理する、本明細書で説明される例の方法または解決策のいくつかを示す流れ図１０００である。当初に、ＷＴＲＵは、サービングセル、たとえばセル１に関するサブフレーム内でスケジューリングされたＰＵＣＣＨ送信を有することができる（１００５）。ＷＴＲＵは、サブフレームがセル１に関するＳＲＳセル固有サブフレームであるかどうかを判定する（１０１０）。サブフレームがＳＲＳセル固有サブフレームである場合には、ＷＴＲＵは、ＳＲＳ送信がセル１に関してこのサブフレーム内でスケジューリングされているかどうかを判定する（１０１５）。ＳＲＳ送信がセル１についてサブフレーム内でスケジューリングされていない場合には、ＷＴＲＵは、セル１内でＰＵＣＣＨを送信することができる（１０２０）。
【０４９９】
ＳＲＳおよびＰＵＣＣＨがセル１について同一サブフレームでの送信についてスケジューリングされている場合には、ＷＴＲＵは、２つのオプションを有することができる。第１のオプション（１０２５）では、ＷＴＲＵは、ＳＲＳおよびＰＵＣＣＨの送信についてＬＴＥ  Ｒ８ルールを適用することができる（１０３０）。第２のオプション（１０３５）では、ＷＴＲＵは、本明細書で下で詳細に述べるように、すべての送信の前に電力レベルチェックを実行することができる。
【０５００】
サブフレームがセル１に関するＳＲＳセル固有サブフレームではない場合には、ＷＴＲＵは、サブフレームがいずれかの他のサービングセルに関するＳＲＳセル固有サブフレームであるかどうかを判定する（１０４０）。サブフレームがセル１またはいずれかの他のサービングセルに関するＳＲＳセル固有サブフレームではない場合には、ＷＴＲＵは、セル１内で普通にＰＵＣＣＨを送信することができる（１０４５）。
【０５０１】
サブフレームが、別のサービングセルに関するＳＲＳセル固有サブフレームである場合には、ＷＴＲＵは、ＳＲＳ送信がこれらのサービングセルのいずれかでスケジューリングされているかどうかを判定する（１０５０）。ＳＲＳ送信が他のサービングセルのいずれでもスケジューリングされていない場合には、ＷＴＲＵは、セル１内で普通にＰＵＣＣＨを送信することができる（１０４５）。ＳＲＳ送信がスケジューリングされている場合には、ＷＴＲＵは、２つのオプションを有することができる。第１のオプション（１０５５）では、ＷＴＲＵは、ＰＵＣＣＨおよびＳＲＳについてＬＴＥ  Ｒ８ルールを適用することができる（１０３０）。第２のオプション（１０６０）（上からの第２のオプション１０３５でもある）では、ＷＴＲＵは、サブフレームの最後のＯＦＤＭシンボル内を含むＰＵＣＣＨの送信を準備することができる（１０６５）。その後、ＷＴＲＵは、送信に必要な電力が最後のＯＦＤＭシンボル内で最大送信電力を超えるかどうかを判定することができる（１０７０）。電力レベルが最大送信電力を超えない場合には、ＷＴＲＵは、セル１内で普通にＰＵＣＣＨを送信することができる（１０４５）。必要な電力レベルが最後のＯＦＤＭシンボル内で最大送信電力を超える場合には、ＷＴＲＵは、最後のＯＦＤＭシンボル内で最大送信電力未満になるように電力レベルおよび／またはチャネルを調整し、その後、サブフレーム内で送信することができる（１０７５）。
【０５０２】
本明細書で説明するのは、ＳＲＳ（１つまたは複数）送信およびＰＵＳＣＨ（１つまたは複数）／ＰＵＣＣＨ送信を処理する方法である。ＷＴＲＵが、同一のセル（たとえば、プライマリセル）または異なるセル（すなわち、あるセル、たとえばプライマリセル上でＰＵＣＣＨ、別のセル、たとえばセカンダリセル上でＰＵＳＣＨ）のいずれかでＰＵＳＣＨおよびＰＵＣＣＨを同時に送信するように構成される場合には、上で説明した方法（１つまたは複数）／解決策（１つまたは複数）／代替案（１つまたは複数）／ルール（１つまたは複数）のうちの１つまたは組合せを、チャネルごとに適用することができる。次では、ＳＲＳならびに同時のＰＵＳＣＨおよびＰＵＣＣＨの送信に関するケースおよびルールをさらに示す。これらの例では、２つのセルすなわちセル１およびセル２が例示のために使用され、セル１およびセル２は、それぞれ、サービングセル（プライマリまたはセカンダリ）のいずれか１つとすることができ、解決策は、任意の個数のセルに適用することができる。
【０５０３】
第１のケースでは、ＷＴＲＵが、ＰＵＳＣＨとＰＵＣＣＨとの両方をサービングセル、たとえばプライマリセル（たとえば、セル１）上で、その同一のセルのサービングセル固有ＳＲＳサブフレーム内で送信でき、ＷＴＲＵを、そのサブフレーム内でプライマリ（セル１）に関するＳＲＳを送信するためにもスケジューリングできる時に、次のルールを使用することができる。このルールによれば、ＬＴＥ  Ｒ８ルールをＰＵＳＣＨ送信に適用することができる。ＰＵＣＣＨ送信について、上で説明したルールのうちの１つまたは組合せを適用することができる。
【０５０４】
第２のケースについて、ＷＴＲＵが、サービングセル、たとえばプライマリセル（たとえば、セル１）上で、その同一のセルのサービングセル固有ＳＲＳサブフレーム内でＰＵＣＣＨを送信でき、ＷＴＲＵを、別のサービングセル（たとえば、セル２）上で同一のサブフレーム（しかし、同一のセルすなわちセル２のサービングセル固有ＳＲＳサブフレームではない）内でＰＵＳＣＨを送信するためにスケジューリングすることができ、ＷＴＲＵを、同一サブフレーム内で（セル１）に関するＳＲＳを送信するためにもスケジューリングすることができる時に、上で説明したルールのうちの１つまたは組合せを、ＰＵＣＣＨとＰＵＳＣＨとの両方に適用することができる。
【０５０５】
第３のケースについて、ＷＴＲＵが、サービングセル、たとえばプライマリセル（たとえば、セル１）上で、非ＳＲＳセル固有サブフレーム（すなわち、同一のセルのサービングセル固有ＳＲＳサブフレームではない）内でＰＵＣＣＨを送信でき、ＷＴＲＵを、別のサービングセル（たとえば、セル２）上でそのサブフレーム（同一のセルすなわちセル２のサービングセル固有ＳＲＳサブフレームである）内でＰＵＳＣＨを送信するためにスケジューリングすることができ、ＷＴＲＵを、同一サブフレーム内でセル２に関するＳＲＳを送信するためにもスケジューリングすることができる時に、上で説明したルールのうちの１つまたは組合せを、ＰＵＣＣＨとＰＵＳＣＨとの両方に適用することができる。
【０５０６】
第４のケースについて、ＷＴＲＵが、サービングセル、たとえばプライマリセル（たとえば、セル１）上で、その同一のセルのサービングセル固有ＳＲＳサブフレーム内でＰＵＳＣＨとＰＵＣＣＨとの両方を送信でき、同一のサブフレームが、別のサービングセル（たとえば、セル２）のサービングセル固有ＳＲＳサブフレームであり、このＷＴＲＵが、セル２上でＳＲＳを送信できる時に、上で説明したルールのうちの１つまたは組合せを、ＰＵＣＣＨとＰＵＳＣＨとの両方に適用することができる。
【０５０７】
既存の電力スケーリングルールでは、サブフレーム内で送信されるようにスケジューリングされたすべてのチャネルの同時送信が、ＷＴＲＵの最大の構成された送信電力ＰCMAXあるいはＷＴＲＵ電力クラスの電力Ｐｐｏｗｅｒｃｌａｓｓを超える場合に、ＷＴＲＵは、最大値を超えないことを保証するために、送信の前にチャネル電力をスケーリングすることができる。スケーリングルールは、より高い優先順位のチャネルをスケーリングできず、より低い優先順位のチャネルをスケーリングできるように定義される。現在の優先順位は、最高から最低の優先順位順序を、ＰＵＣＣＨ、ＵＣＩを有する（すなわち、含む）ＰＵＳＣＨ、ＵＣＩを有しないＰＵＳＣＨとして規定する。現在のルールは、これらのチャネルのいずれかのＳＲＳとの同時送信に対処しない。
【０５０８】
本明細書で説明するのは、同時ＳＲＳ（１つまたは複数）送信ならびにＰＵＳＣＨ（１つまたは複数）および／またはＰＵＣＣＨ（１つまたは複数）送信と同時に送信されるＳＲＳ（１つまたは複数）の場合の最大電力スケーリングを処理する方法である。ＳＲＳを最後のＯＦＤＭシンボル内で、同一のセルおよび／または別のセル内で送信できる所与のサブフレーム内の所与のセル内で、別の信号またはチャネルすなわちＰＵＣＣＨ、ＰＵＳＣＨ、またはＳＲＳをその同一のサブフレーム内の最後のＯＦＤＭシンボル内で同時に送信できる、上記のケースのいずれにおいても、すべてのそのようなチャネルまたは信号の公称送信電力の合計が、ＷＴＲＵの構成された最大送信電力あるいはＷＴＲＵの電力クラスの電力Ｐｐｏｗｅｒｃｌａｓｓを超える場合がある。ＷＴＲＵが構成された最大送信電力あるいはＰｐｏｗｅｒｃｌａｓｓを超えて送信するのを防ぐことは、次の方法のうちの１つまたは組合せによって達成することができる。
【０５０９】
１つの例の方法では、電力スケーリングルールを、最後を除くすべてのＯＦＤＭシンボルについて別々に適用し、その後、最後のＯＦＤＭシンボルについてもう一度適用することができる。最後のＯＦＤＭシンボルについて、次の追加のまたは変更されたルールのうちの１つまたは複数を使用することができる。あるルールによれば、ＳＲＳを、たとえば表１４に示されているように、他のチャネルタイプの優先順位の中でそれ自体の独自の優先順位を有するように指定することができ、その後、既存の優先順位ベースの電力スケーリングを、ＳＲＳを含むための変更を伴って適用することができる。周期的ＳＲＳおよび非周期的ＳＲＳは、異なる優先順位を有することができる。
【０５１０】
【表１４】
0005514954.tif 000124
【０５１１】
別のルールによれば、ＳＲＳを、他のチャネルタイプのうちの１つすなわちＰＵＣＣＨ、ＵＣＩを有するＰＵＳＣＨ、またはＵＣＩを有しないＰＵＳＣＨと同一の優先順位を有するように指定することができ、これらを、同一の優先順位のチャネルタイプと同等にスケーリングすることができる。
【０５１２】
別のルールによれば、同一のサブフレーム内に異なるセルに渡る複数のＳＲＳ送信がある場合に、ＳＲＳを、同等に電力スケーリングすることができる。あるいは、周期的ＳＲＳ（１つまたは複数）および非周期的ＳＲＳ（１つまたは複数）が同一サブフレーム内で送信される（かつ、最大電力をそのサブフレームの最後のＯＦＤＭシンボル内で超える可能性がある）時に、周期的ＳＲＳ（１つまたは複数）の一部（またはすべて）を中断することができる。
【０５１３】
別の方法では、電力スケーリングルールを、最後以外のすべてのＯＦＤＭシンボルについて別々に使用し、その後に最後のＯＦＤＭシンボルについて使用して、おそらくはチャネルまたは信号ごとに２つの異なる重みを判定することができるが、２つの重みのうちの小さい方を、サブフレーム全体に適用することができる。
【０５１４】
別の方法では、サブフレーム内の任意の時に存在するすべてのチャネルまたは信号の電力レベルが、サブフレーム全体について存在すると仮定して、電力スケーリングをサブフレーム全体に１回だけ適用することができる。
【０５１５】
別の方法では、ＳＲＳがＷＴＲＵによって送信されるサブフレーム内の最後のＯＦＤＭシンボルで最大電力を超える可能性があり、ＳＲＳ以外にＷＴＲＵによってそのシンボル内で送信される他のチャネルタイプがある場合に、ＷＴＲＵは、そのサブフレーム内のＳＲＳを中断する（すなわち、送信しない）ことができる。
【０５１６】
別の方法では、周期的ＳＲＳがＷＴＲＵによって送信されるサブフレーム内の最後のＯＦＤＭシンボルで最大電力を超える可能性があり、ＳＲＳ以外にＷＴＲＵによってそのシンボル内で送信される他のチャネルタイプがある場合に、ＷＴＲＵは、そのサブフレーム内のＳＲＳを中断する（すなわち、送信しない）ことができる。
【０５１７】
一般に、複数のアンテナのＷＴＲＵ（無線送信受信ユニット）においてアップリンクＳＲＳ（サウンディング基準信号）送信を実行する方法は、ＳＲＳ送信を実行するためにＷＴＲＵ固有ＳＲＳサブフレームのＷＴＲＵ固有構成を受信するステップと、所定の個数のアンテナに関するＳＲＳを送信するトリガを基地局から受信するステップと、所定のＷＴＲＵ固有サブフレーム内で所定の個数のアンテナに関するＳＲＳを送信するステップとを含む。この方法は、トリガするサブフレームから所定の個数のＷＴＲＵ固有ＳＲＳサブフレームだけ後に始まるＷＴＲＵ固有ＳＲＳサブフレームの所定の持続時間のそれぞれにＳＲＳを送信するステップをさらに含む。所定の個数は、４とすることができる。トリガは、所定のＳＲＳ送信パラメータをＷＴＲＵに提供するマルチビットインジケータとすることができる。所定の持続時間は、ＷＴＲＵ固有構成内で受信されることができる。
【０５１８】
この方法は、循環シフト基準値を受信するステップと、少なくとも循環シフト基準値に基づいてアンテナの循環シフトを判定するステップとをさらに含む。アンテナごとに判定される循環シフトは、同一のＷＴＲＵ固有サブフレーム内でＳＲＳを送信するアンテナの循環シフトの間の最大距離を提供する。あるいは、アンテナごとに判定される循環シフトは、同一のＷＴＲＵ固有サブフレーム内でＳＲＳを送信するアンテナの循環シフトの間の均等分布を提供する。
【０５１９】
この方法は、循環シフト多重化または異なる送信コム割当のうちの少なくとも１つが、所定のＷＴＲＵ固有サブフレームでの複数のアンテナからの送信に使用されることができることを使用することができる。所定のＷＴＲＵ固有サブフレームでの複数のアンテナからのＳＲＳ送信は、並列に行うことができる。アンテナの所定の個数は、ＷＴＲＵで使用可能なアンテナの個数未満であることができる。ＷＴＲＵ固有ＳＲＳサブフレームは、周期的ＳＲＳ送信および非周期的ＳＲＳ送信について異なることができる。
【０５２０】
この方法は、物理アップリンク共有チャネル（ＰＵＳＣＨ）とＳＲＳに関するＷＴＲＵ固有構成との間のリソース割当オーバーラップを判定するステップと、部分的オーバーラップを条件としてサブフレームの最後のシンボルでＰＵＳＣＨ送信を差し控えるステップとをさらに含むことができる。
【０５２１】
実施形態
【０５２２】
１．循環シフト基準値を受信するステップを含むことを特徴とする、複数のアンテナの無線送信受信ユニット（ＷＴＲＵ）においてアップリンクサウンディング基準信号（ＳＲＳ）送信を実行する方法。
【０５２３】
２．ＳＲＳを送信するためにＷＴＲＵ固有ＳＲＳサブフレームのＷＴＲＵ固有構成を受信するステップを含むことを特徴とする、複数のアンテナの無線送信受信ユニット（ＷＴＲＵ）においてアップリンクサウンディング基準信号（ＳＲＳ）送信を実行する方法。
【０５２４】
３．無線送信受信ユニット（ＷＴＲＵ）による非周期的サウンディング基準信号（ＳＲＳ）送信の方法であって、非周期的ＳＲＳを送信するトリガとしてアップリンク（ＵＬ）グラントを使用するステップを含むことを特徴とする方法。
【０５２５】
４．無線送信受信ユニット（ＷＴＲＵ）による非周期的サウンディング基準信号（ＳＲＳ）送信の方法であって、ＳＲＳ送信を示すＤＣＩ（ダウンリンク制御情報）を受信するステップを具えたことを特徴とする方法。
【０５２６】
５．無線送信受信ユニット（ＷＴＲＵ）による非周期的サウンディング基準信号（ＳＲＳ）送信の方法であって、ＳＲＳ送信に関するアンテナ固有サブフレームおよび送信パラメータ構成を受信するステップを具えたことを特徴とする方法。
【０５２７】
６．無線送信受信ユニット（ＷＴＲＵ）による周期的サウンディング基準信号（ＳＲＳ）送信の方法であって、ＷＴＲＵ固有サブフレーム内でＳＲＳを送信するステップを具えたことを特徴とする方法。
【０５２８】
７．所定の個数のアンテナに関するＳＲＳを送信するトリガを基地局から受信するステップをさらに具えたことを特徴とする実施形態のいずれかに記載の方法。
【０５２９】
８．所定のＷＴＲＵ固有サブフレーム内で所定の個数のアンテナに関するＳＲＳを送信するステップをさらに具えたことを特徴とする実施形態のいずれかに記載の方法。
【０５３０】
９．トリガするサブフレームから所定の個数のＷＴＲＵ固有ＳＲＳサブフレームだけ後に始まるＷＴＲＵ固有ＳＲＳサブフレームの所定の持続時間のそれぞれにＳＲＳを送信するステップをさらに具えたことを特徴とする実施形態のいずれかに記載の方法。
【０５３１】
１０．所定の個数は、４であることを特徴とする実施形態のいずれかに記載の方法。
【０５３２】
１１．トリガは、所定のＳＲＳ送信パラメータをＷＴＲＵに提供するマルチビットインジケータとすることができることを特徴とする実施形態のいずれかに記載の方法。
【０５３３】
１２．循環シフト基準値を受信するステップをさらに含むことを特徴とする実施形態のいずれかに記載の方法。
【０５３４】
１３．少なくとも循環シフト基準値に基づいてアンテナの循環シフトを判定するステップをさらに含むことを特徴とする実施形態のいずれかに記載の方法。
【０５３５】
１４．アンテナごとに判定される循環シフトは、同一のＷＴＲＵ固有サブフレーム内でＳＲＳを送信するアンテナの循環シフトの間の最大距離を提供することを特徴とする実施形態のいずれかに記載の方法。
【０５３６】
１５．アンテナごとに判定される循環シフトは、同一のＷＴＲＵ固有サブフレーム内でＳＲＳを送信するアンテナの循環シフトの間の均等分布を提供することを特徴とする実施形態のいずれかに記載の方法。
【０５３７】
１６．循環シフト多重化または異なる送信コム割当のうちの少なくとも１つは、所定のＷＴＲＵ固有サブフレームでの複数のアンテナからの送信に使用されることを特徴とする実施形態のいずれかに記載の方法。
【０５３８】
１７．少なくとも循環シフト基準値に基づいてアンテナの循環シフトを判定するステップであって、アンテナごとに判定される循環シフトは、同一のＷＴＲＵ固有サブフレームでＳＲＳを送信するアンテナの循環シフトの間の最大距離を提供する、ステップをさらに具えたことを特徴とする実施形態のいずれかに記載の方法。
【０５３９】
１８．所定のＷＴＲＵ固有サブフレームでの複数のアンテナからのＳＲＳ送信は、並列に行われることを特徴とする実施形態のいずれかに記載の方法。
【０５４０】
１９．アンテナの所定の個数は、ＷＴＲＵで使用可能なアンテナの個数未満であることを特徴とする実施形態のいずれかに記載の方法。
【０５４１】
２０．ＷＴＲＵ固有ＳＲＳサブフレームは、周期的ＳＲＳ送信および非周期的ＳＲＳ送信について異なることを特徴とする実施形態のいずれかに記載の方法。
【０５４２】
２１．所定の持続時間は、ＷＴＲＵ固有構成内で受信されることができることを特徴とする実施形態のいずれかに記載の方法。
【０５４３】
２２．物理アップリンク共有チャネル（ＰＵＳＣＨ）とＳＲＳに関するＷＴＲＵ固有構成との間のリソース割当オーバーラップを判定するステップをさらに含むことを特徴とする実施形態のいずれかに記載の方法。
【０５４４】
２３．部分的オーバーラップを条件としてサブフレームの最後のシンボルでＰＵＳＣＨ送信を差し控えるステップをさらに含むことを特徴とする実施形態のいずれかに記載の方法。
【０５４５】
２４．少なくとも循環シフト基準値に基づいてアンテナの循環シフトを判定するステップをさらに含むことを特徴とする実施形態のいずれかに記載の方法。
【０５４６】
２５．アンテナごとに判定される循環シフトは、同一のＷＴＲＵ固有サブフレーム内でＳＲＳを送信するアンテナの循環シフトの間の最大距離を提供することを特徴とする実施形態のいずれかに記載の方法。
【０５４７】
２６．アンテナごとに判定される循環シフトは、同一のＷＴＲＵ固有サブフレーム内でＳＲＳを送信するアンテナの循環シフトの間の均等分布を提供することを特徴とする実施形態のいずれかに記載の方法。
【０５４８】
２７．トリガは、明示的ＵＬグラントまたは暗黙のＵＬグラントのうちのいずれか１つであることを特徴とする実施形態のいずれかに記載の方法。
【０５４９】
２８．トリガとしてどのＵＬグラントを使用すべきかは、発展型ノードＢ（ｅＮＢ：ｅｖｏｌｖｅｄ  Ｎｏｄｅ  Ｂ）から受信された構成、無線リソース制御（ＲＲＣ）メッセージ、ＲＲＣメッセージ内のフィールド、事前定義のセッティング、情報要素（ＩＥ）、またはＩＥ内のフィールドのうちのいずれか１つに基づくことを特徴とする実施形態のいずれかに記載の方法。
【０５５０】
２９．ＷＴＲＵは、少なくとも１つの符号語について送信すべき新しいデータがあることを条件として、ＵＬグラントを有する物理ダウンリンク制御チャネル（ＰＤＣＣＨ）をトリガとして解釈することを特徴とする実施形態のいずれかに記載の方法。
【０５５１】
３０．新しいデータは、新データインジケータ（ＮＤＩ：ｎｅｗ  ｄａｔａ  ｉｎｄｉｃａｔｏｒ）ビットがセットされていることを条件として示されることを特徴とする実施形態のいずれかに記載の方法。
【０５５２】
３１．ＷＴＲＵは、ＵＬグラントがすべての符号語の再送信を示すことを条件としてＵＬグラントを有するＰＤＣＣＨをトリガとして解釈することを特徴とする実施形態のいずれかに記載の方法。
【０５５３】
３２．再送信を示すＮＤＩビットを受信し、これによって非周期的ＳＲＳを送信することをＷＴＲＵに強制するステップをさらに含むことを特徴とする実施形態のいずれかに記載の方法。
【０５５４】
３３．ＷＴＲＵは、暗黙の物理ハイブリッド自動再生要求インジケータチャネル（ＰＨＩＣＨ：ｐｈｙｓｉｃａｌ  ｈｙｂｒｉｄ  ａｕｔｏｍａｔｉｃ  ｒｅｐｅａｔ  ｒｅｑｕｅｓｔ  ｉｎｄｉｃａｔｏｒ  ｃｈａｎｎｅｌ）否定応答（ＮＡＣＫ）をトリガとして解釈することを特徴とする実施形態のいずれかに記載の方法。
【０５５５】
３４．ＷＴＲＵは、半永続スケジューリング（ＳＰＳ）を使用し、方法は、暗黙のＵＬグラントを解釈するステップをさらに含むことを特徴とする実施形態のいずれかに記載の方法。
【０５５６】
３５．ＷＴＲＵは、第１の送信グラント、ＳＰＳスケジュールに基づく各後続の暗黙のＵＬグラント、または各ＰＨＩＣＨ  ＮＡＣＫのうちの少なくとも１つをトリガとして解釈することを特徴とする実施形態のいずれかに記載の方法。
【０５５７】
３６．明示的トリガが初期ＵＬグラントと共に含まれ、明示的トリガがＳＲＳを要求することを条件として、ＷＴＲＵは、後続のＵＬグラントをトリガであるものと解釈することができることを特徴とする実施形態のいずれかに記載の方法。
【０５５８】
３７．ＤＣＩは、ＵＬ  ＰＵＳＣＨ（物理アップリンク共有チャネル）グラントメッセージ内に含まれることを特徴とする実施形態のいずれかに記載の方法。
【０５５９】
３８．符号語ごとのＭＣＳ（ｍｏｄｕｌａｔｉｏｎ  ａｎｄ  ｃｏｄｉｎｇ  ｓｅｔ）インデックスは、新しい送信を示すために予約済み値にセットされることを特徴とする実施形態のいずれかに記載の方法。
【０５６０】
３９．新しい送信を示すために符号語ごとにＮＤＩをトグルするステップをさらに含むことを特徴とする実施形態のいずれかに記載の方法。
【０５６１】
４０．その上でＳＲＳを送信すべきコンポーネントキャリア（ＣＣ）を判定するステップをさらに含むことを特徴とする実施形態のいずれかに記載の方法。
【０５６２】
４１．その上でＳＲＳを送信すべきＣＣは、すべてのＵＬ  ＣＣ、すべてのアクティブＵＬ  ＣＣ、または１つもしくは複数の指定されたＵＬ  ＣＣのうちのいずれか１つであることを特徴とする実施形態のいずれかに記載の方法。
【０５６３】
４２．ＵＬグラントを受信するステップと、ＳＲＳ送信を示すトリガとしてＵＬグラントを使用するステップとを含み、ＵＬグラントは、グラントが新しいデータまたは再送信されるデータのどちらに関するのかを示すＮＤＩビットを含むことを特徴とする実施形態のいずれかに記載の方法。
【０５６４】
４３．ＳＲＳ構成インデックスをサブフレーム内の周期およびサブフレームオフセットにマッピングするテーブルを使用するステップをさらに含むことを特徴とする実施形態のいずれかに記載の方法。
【０５６５】
４４．アンテナごとにテーブルへのインデックスを受信するステップをさらに含むことを特徴とする実施形態のいずれかに記載の方法。
【０５６６】
４５．ＩＥ内でＷＴＲＵ固有パラメータを受信するステップをさらに含むことを特徴とする実施形態のいずれかに記載の方法。
【０５６７】
４６．ＩＥは、アンテナごとに各パラメータの別々の値を含むことを特徴とする実施形態のいずれかに記載の方法。
【０５６８】
４７．アンテナごとの各パラメータの値は、アンテナごとに同一またはアンテナごとに異なることを特徴とする実施形態のいずれかに記載の方法。
【０５６９】
４８．ＩＥは、ＳＲＳ送信の持続時間の表示を含むことを特徴とする実施形態のいずれかに記載の方法。
【０５７０】
４９．持続時間は、送信の時間または回数のうちのいずれか１つに関して表されることを特徴とする実施形態のいずれかに記載の方法。
【０５７１】
５０．ＩＥは、アンテナごとの異なるサブフレーム構成インデックス、異なる循環シフト、または異なる送信コムのうちの少なくとも１つを含むことを特徴とする実施形態のいずれかに記載の方法。
【０５７２】
５１．ＩＥは、他のアンテナのパラメータが第１のアンテナのパラメータとは異なることを条件として、第１のアンテナのパラメータと他のアンテナのパラメータとを含むことを特徴とする実施形態のいずれかに記載の方法。
【０５７３】
５２．ＷＴＲＵは、ＳＲＳ送信がそれに関して構成される各アンテナの次のアンテナ固有サブフレームにＳＲＳを送信することを特徴とする実施形態のいずれかに記載の方法。
【０５７４】
５３．次のアンテナ固有サブフレームは、ＳＲＳ送信がそれに関して構成される各アンテナのトリガするサブフレームから少なくとも４サブフレームであることを特徴とする実施形態のいずれかに記載の方法。
【０５７５】
５４．アンテナ固有サブフレームは、アンテナごとに同一または異なるものとすることができることを特徴とする実施形態のいずれかに記載の方法。
【０５７６】
５５．非周期的ＳＲＳ送信に使用すべきＷＴＲＵ固有サブフレームは、周期的ＳＲＳ送信に使用すべきサブフレームと同一または異なることを特徴とする実施形態のいずれかに記載の方法。
【０５７７】
５６．複数のアンテナが１サブフレーム内で同時に送信することを条件として、直交性を、循環シフト多重化または異なる送信コム割当のうちのいずれか１つによって達成できることを特徴とする実施形態のいずれかに記載の方法。
【０５７８】
５７．どのアンテナでどのサブフレームにＳＲＳを送信すべきかを判定するステップをさらに含むことを特徴とする実施形態のいずれかに記載の方法。
【０５７９】
５８．ＷＴＲＵは、次のサブフレーム、次のセル固有サブフレーム、次のＷＴＲＵ固有サブフレーム、トリガするサブフレームから少なくとも４サブフレーム後の次のセル固有サブフレーム、またはトリガするサブフレームから少なくとも４サブフレーム後の次のＷＴＲＵ固有サブフレームのうちのいずれか１つにＳＲＳを送信できることを特徴とする実施形態のいずれかに記載の方法。
【０５８０】
５９．次のセル固有サブフレームまたはトリガするサブフレームから少なくとも４サブフレーム後の次のセル固有サブフレームに送信するために、その中で送信すべきサブフレームは、セル固有ＳＲＳサブフレームオフセットおよびＳＲＳ周期性構成パラメータを満足することを特徴とする実施形態のいずれかに記載の方法。
【０５８１】
６０．次のＷＴＲＵ固有サブフレームまたはトリガするサブフレームから少なくとも４サブフレーム後の次のＷＴＲＵ固有サブフレームに送信するために、その中で送信すべきサブフレームは、ＷＴＲＵ固有ＳＲＳサブフレームオフセットおよびＳＲＳ周期性構成パラメータを満足することを特徴とする実施形態のいずれかに記載の方法。
【０５８２】
６１．ＳＲＳ送信のために構成されたアンテナのそれぞれを通ってサイクルするステップをさらに含むことを特徴とする実施形態のいずれかに記載の方法。
【０５８３】
６２．アンテナのそれぞれを通ってサイクルするステップは、次のセル固有サブフレームで第１の構成されたアンテナに関しておよび次のセル固有サブフレームのそれぞれで各追加の構成されたアンテナに関してＳＲＳを送信するステップ、次のＷＴＲＵ固有サブフレームで第１の構成されたアンテナに関しておよび次のＷＴＲＵ固有サブフレームのそれぞれで各追加の構成されたアンテナに関してＳＲＳを送信するステップ、トリガするサブフレームから少なくとも４サブフレームの次のセル固有サブフレームで第１の構成されたアンテナに関しておよび次のセル固有サブフレームのそれぞれで各追加の構成されたアンテナに関してＳＲＳを送信するステップ、またはトリガするサブフレームから少なくとも４サブフレームの次のＷＴＲＵ固有サブフレームで第１の構成されたアンテナに関しておよび次のＷＴＲＵ固有サブフレームのそれぞれで各追加の構成されたアンテナに関してＳＲＳを送信するステップのうちのいずれか１つを含むことを特徴とする実施形態のいずれかに記載の方法。
【０５８４】
６３．複数のアンテナでのＳＲＳ送信は、並列送信方式または直列送信方式のうちのいずれか１つによって実行されることを特徴とする実施形態のいずれかに記載の方法。
【０５８５】
６４．ＷＴＲＵは、どの送信方式を使用すべきかの表示をｅＮＢから受信することを特徴とする実施形態のいずれかに記載の方法。
【０５８６】
６５．受信された表示に基づいてＳＲＳ送信方式をセットするステップと、ＷＴＲＵがそこでＳＲＳを送信する次のサブフレームで受信された表示に基づいてＳＲＳを送信するステップとをさらに含むことを特徴とする実施形態のいずれかに記載の方法。
【０５８７】
６６．表示は、ＳＲＳ送信方式を変更すべき時刻を含むことを特徴とする実施形態のいずれかに記載の方法。
【０５８８】
６７．表示は、ＵＬグラントなどのＤＣＩフォーマット、非周期的ＳＲＳのトリガ、またはＲＲＣメッセージのうちのいずれか１つで受信されることを特徴とする実施形態のいずれかに記載の方法。
【０５８９】
６８．送信方式を判定するステップと、判定された送信方式の表示をネットワークに送信するステップとをさらに含むことを特徴とする実施形態のいずれかに記載の方法。
【０５９０】
６９．判定された送信方式に関する応答をｅＮＢから受信するステップをさらに含むことを特徴とする実施形態のいずれかに記載の方法。
【０５９１】
７０．応答は、判定された送信方式のオーバーライドを含むことを特徴とする実施形態のいずれかに記載の方法。
【０５９２】
７１．送信方式が使用された持続時間を判定するステップと、持続時間が所定のしきい値を超えることを条件として送信方式についてｅＮＢにシグナリングするステップとをさらに含むことを特徴とする実施形態のいずれかに記載の方法。
【０５９３】
７２．持続時間は、ＳＲＳ送信の時間の長さまたは回数のうちのいずれか１つを含むことを特徴とする実施形態のいずれかに記載の方法。
【０５９４】
７３．判定は、ＳＲＳ送信電力要件に基づくことを特徴とする実施形態のいずれかに記載の方法。
【０５９５】
７４．ＷＴＲＵが送信方式を変更しようとしていることをｅＮＢにシグナリングするステップをさらに含むことを特徴とする実施形態のいずれかに記載の方法。
【０５９６】
７５．シグナリングは、送信方式が変更される事前定義の時刻を含むことを特徴とする実施形態のいずれかに記載の方法。
【０５９７】
７６．ＷＴＲＵは、送信方式を変更する前にｅＮＢからの肯定応答を待つことを特徴とする実施形態のいずれかに記載の方法。
【０５９８】
７７．シグナリングは、ＲＲＣメッセージ、媒体アクセス制御（ＭＡＣ）制御要素、または物理層シグナリングのうちのいずれか１つを介して送信されることを特徴とする実施形態のいずれかに記載の方法。
【０５９９】
７８．並列ＳＲＳ送信について、ＷＴＲＵは、次のサブフレーム、次のセル固有サブフレーム、次のＷＴＲＵ固有サブフレーム、トリガするサブフレームから少なくとも４サブフレーム後の次のセル固有サブフレーム、またはトリガするサブフレームから少なくとも４サブフレーム後の次のＷＴＲＵ固有サブフレームのうちのいずれか１つにそのすべてのアンテナに関するＳＲＳを同時に送信することを特徴とする実施形態のいずれかに記載の方法。
【０６００】
７９．Ｎサブフレームの持続時間に関する並列ＳＲＳ送信について、ＷＴＲＵは、次のＮ個のサブフレームのそれぞれ、次のＮ個のセル固有サブフレームのそれぞれ、Ｎ個のＷＴＲＵ固有サブフレームのそれぞれ、トリガするサブフレームから少なくとも４サブフレーム後の次のＮ個のセル固有サブフレームのそれぞれ、またはトリガするサブフレームから少なくとも４サブフレーム後のＮ個のＷＴＲＵ固有サブフレームのそれぞれのうちのいずれか１つにそのすべてのアンテナに関するＳＲＳを同時に送信することを特徴とする実施形態のいずれかに記載の方法。
【０６０１】
８０．アクティブ化／非アクティブ化を使用する並列ＳＲＳ送信について、ＷＴＲＵは、非アクティブ化までの次のサブフレームのそれぞれ、非アクティブ化までの次のセル固有サブフレームのそれぞれ、非アクティブ化までの次のＷＴＲＵ固有サブフレームのそれぞれ、非アクティブ化までのトリガするサブフレームから少なくとも４サブフレーム後の次のセル固有サブフレームのそれぞれ、または非アクティブ化までのトリガするサブフレームから少なくとも４サブフレーム後の次のＷＴＲＵ固有サブフレームのそれぞれのうちのいずれか１つにそのすべてのアンテナに関するＳＲＳを同時に送信することを特徴とする実施形態のいずれかに記載の方法。
【０６０２】
８１．内で送信されるサブフレームは、ＳＲＳサブフレームオフセットおよびＳＲＳ周期性構成パラメータを満足することを特徴とする実施形態のいずれかに記載の方法。
【０６０３】
８２．直列送信方式について、ＷＴＲＵは、次のサブフレーム、次のセル固有サブフレーム、次のＷＴＲＵ固有サブフレーム、トリガするサブフレームから少なくとも４サブフレーム後の次のセル固有サブフレーム、またはトリガするサブフレームから少なくとも４サブフレーム後の次のＷＴＲＵ固有サブフレームのうちのいずれか１つにそのアンテナのうちの１つに関するＳＲＳを送信することを特徴とする実施形態のいずれかに記載の方法。
【０６０４】
８３．直列送信方式について、ＷＴＲＵは、次のＮ個のサブフレームのそれぞれ、次のＮ個のセル固有サブフレームのそれぞれ、次のＮ個のＷＴＲＵ固有サブフレームのそれぞれ、トリガするサブフレームから少なくとも４サブフレーム後の次のＮ個のセル固有サブフレームのそれぞれ、またはトリガするサブフレームから少なくとも４サブフレーム後の次のＮ個のＷＴＲＵ固有サブフレームのそれぞれのうちのいずれか１つにそのアンテナのそれぞれに関するＳＲＳを順番に送信することを特徴とする実施形態のいずれかに記載の方法。
【０６０５】
８４．アクティブ化／非アクティブ化を使用する直列送信方式について、ＷＴＲＵは、非アクティブ化までの次のサブフレームのそれぞれ、非アクティブ化までの次のセル固有サブフレームのそれぞれ、非アクティブ化までの次のＷＴＲＵ固有サブフレームのそれぞれ、非アクティブ化までのトリガするサブフレームから少なくとも４サブフレーム後の次のセル固有サブフレームのそれぞれ、または非アクティブ化までのトリガするサブフレームから少なくとも４サブフレーム後の次のＷＴＲＵ固有サブフレームのそれぞれのうちのいずれか１つにそのアンテナのうちの１つに関するＳＲＳを順番に送信することを特徴とする実施形態のいずれかに記載の方法。
【０６０６】
８５．内で送信されるサブフレームは、ＳＲＳサブフレームオフセットおよびＳＲＳ周期性構成パラメータを満足することを特徴とする実施形態のいずれかに記載の方法。
【０６０７】
８６．ＷＴＲＵの各アンテナに関するＳＲＳを順番に送信するステップをさらに含むことを特徴とする実施形態のいずれかに記載の方法。
【０６０８】
８７．シーケンスは、事前定義のパターンであることを特徴とする実施形態のいずれかに記載の方法。
【０６０９】
８８．ＷＴＲＵは、構成情報またはＳＲＳを送信するのにそのアンテナのすべてより少数を使用することの表示を受信することを特徴とする実施形態のいずれかに記載の方法。
【０６１０】
８９．ＷＴＲＵは、多アンテナポートモード（ＭＡＰＭ：ｍｕｌｔｉｐｌｅ  ａｎｔｅｎｎａ  ｐｏｒｔ  ｍｏｄｅ）または単一アンテナポートモード（ＳＡＰＭ：ｓｉｎｇｌｅ  ａｎｔｅｎｎａ  ｐｏｒｔ  ｍｏｄｅ）によってＳＲＳを送信することを特徴とする実施形態のいずれかに記載の方法。
【０６１１】
９０．ＭＡＰＭについて、ＷＴＲＵは、ｅＮＢからの信号または事前定義の値のいずれか１つによって通知されることを特徴とする実施形態のいずれかに記載の方法。
【０６１２】
９１．ＭＡＰＭについて、ＷＴＲＵは、複数のアンテナを用いてＳＲＳを送信するルールに基づくがアンテナの減らされた個数を使用してＳＲＳを送信することを特徴とする実施形態のいずれかに記載の方法。
【０６１３】
９２．ＷＴＲＵは、連続するサブフレームでＳＲＳを送信することを特徴とする実施形態のいずれかに記載の方法。
【０６１４】
９３．ＷＴＲＵは、ＳＲＳのセット数を送信することを特徴とする実施形態のいずれかに記載の方法。
【０６１５】
９４．セット数は、シグナリングされる数、システムパラメータ、セル固有パラメータ、またはＷＴＲＵ固有パラメータのうちのいずれか１つであることを特徴とする実施形態のいずれかに記載の方法。
【０６１６】
９５．ＷＴＲＵは、ＳＲＳ送信のセット数まで、次のセル固有サブフレームのそれぞれまたはＭ個おきのセル固有サブフレームにＳＲＳを送信することを特徴とする実施形態のいずれかに記載の方法。
【０６１７】
９６．内で送信されるサブフレームは、ＳＲＳサブフレームオフセットおよびＳＲＳ周期性構成パラメータを満足することを特徴とする実施形態のいずれかに記載の方法。
【０６１８】
９７．ＷＴＲＵは、非アクティブ化まで、次のセル固有サブフレームのそれぞれでＳＲＳを送信することを特徴とする実施形態のいずれかに記載の方法。
【０６１９】
９８．ＷＴＲＵは、同一のサブフレーム内でそのアンテナのすべてでＳＲＳを送信することを特徴とする実施形態のいずれかに記載の方法。
【０６２０】
９９．直交性は、循環シフト多重化または異なる送信コム割当のいずれか１つによって達成されることを特徴とする実施形態のいずれかに記載の方法。
【０６２１】
１００．ＷＴＲＵは、Ｎ個のサブフレームのそれぞれで構成されたアンテナのそれぞれを通ってサイクルすることによってＳＲＳを送信することを特徴とする実施形態のいずれかに記載の方法。
【０６２２】
１０１．ＷＴＲＵは、アンテナごとに順番にまたは事前定義のパターンに従ってのうちのいずれか１つによって各アンテナに関するＳＲＳを送信することを特徴とする実施形態のいずれかに記載の方法。
【０６２３】
１０２．ＷＴＲＵは、トリガするサブフレームから少なくとも４サブフレーム後である次のセル固有サブフレームおよびその後に次のＮ個のセル固有サブフレームのそれぞれにＳＲＳを送信することを特徴とする実施形態のいずれかに記載の方法。
【０６２４】
１０３．ＷＴＲＵは、次のＷＴＲＵ固有サブフレームおよびその後に次のＮ個のＷＴＲＵ固有サブフレームのそれぞれ、またはトリガするサブフレームから少なくとも４サブフレーム後である次のＷＴＲＵ固有サブフレームおよびその後に次のＮ個のＷＴＲＵ固有サブフレームのそれぞれのいずれか１つにＳＲＳを送信することを特徴とする実施形態のいずれかに記載の方法。
【０６２５】
１０４．ＷＴＲＵは、非アクティブ化までＳＲＳを送信することを特徴とする実施形態のいずれかに記載の方法。
【０６２６】
１０５．ＷＴＲＵは、所与のアンテナの次のアンテナ固有サブフレームおよびその後に所与のアンテナの次のＮ個のアンテナ固有サブフレームのそれぞれにＳＲＳを送信することを特徴とする実施形態のいずれかに記載の方法。
【０６２７】
１０６．サブフレームパラメータがすべてのアンテナについて同一であることを条件として、ＷＴＲＵは、すべてのアンテナに関するＳＲＳを同一サブフレームに送信することを特徴とする実施形態のいずれかに記載の方法。
【０６２８】
１０７．ＷＴＲＵは、ＵＬグラントがトリガとして使用されることを条件としてＵＬグラントに関連するもの以外のコンポーネントキャリア、すべてのアクティブＵＬコンポーネントキャリア、またはすべてのＵＬコンポーネントキャリアのうちのいずれか１つでＳＲＳを送信するように構成されることを特徴とする実施形態のいずれかに記載の方法。
【０６２９】
１０８．ＷＴＲＵは、どのコンポーネントキャリア上でＳＲＳを送信すべきかの表示を受信することを特徴とする実施形態のいずれかに記載の方法。
【０６３０】
１０９．ＷＴＲＵは、ＳＲＳ送信のために構成されたコンポーネントキャリアを通ってサイクルすることを特徴とする実施形態のいずれかに記載の方法。
【０６３１】
１１０．ＷＴＲＵは、物理アップリンク共有チャネル送信または物理アップリンク制御チャネル送信のうちのいずれか１つに使用されるものと同一のコンポーネントキャリア上でＳＲＳを送信することを特徴とする実施形態のいずれかに記載の方法。
【０６３２】
１１１．ＵＬグラント内のリソース割当を、ＷＴＲＵがＳＲＳを送信する帯域幅であるものと解釈するステップをさらに含むことを特徴とする実施形態のいずれかに記載の方法。
【０６３３】
１１２．１つのアンテナまたは複数のアンテナのうちのいずれか１つでＳＲＳを送信するステップをさらに含むことを特徴とする実施形態のいずれかに記載の方法。
【０６３４】
１１３．ＷＴＲＵが複数のアンテナでＳＲＳを送信することを条件として、ＷＴＲＵは、順番にまたは事前定義のパターンでのいずれか１つに従って複数のアンテナで送信することを特徴とする実施形態のいずれかに記載の方法。
【０６３５】
１１４．ＷＴＲＵは、すべてのアクティブＵＬコンポーネントキャリアまたはすべてのＵＬコンポーネントキャリアのうちのいずれか１つでＳＲＳを送信することを特徴とする実施形態のいずれかに記載の方法。
【０６３６】
１１５．ＷＴＲＵは、物理アップリンク共有チャネル送信または物理アップリンク制御チャネル送信のうちのいずれか１つに使用されるものと同一のコンポーネントキャリア上でＳＲＳを送信することを特徴とする実施形態のいずれかに記載の方法。
【０６３７】
１１６．ＳＲＳ送信の電力セッティングを調整するステップをさらに含むことを特徴とする実施形態のいずれかに記載の方法。
【０６３８】
１１７．複数のコンポーネントキャリア上のＳＲＳ電力レベルの合計がＷＴＲＵの最大送信電力を超えることを条件として、ＷＴＲＵは、各コンポーネントキャリア上で同等にＳＲＳ電力を減らし、各コンポーネントキャリア上でＳＲＳ電力をスケーリングし、ＳＲＳ送信に関するコンポーネントキャリアのいくつかを中断し、またはＵＬグラントに関連するコンポーネントキャリア上でのみＳＲＳを送信することを特徴とする実施形態のいずれかに記載の方法。
【０６３９】
１１８．実施形態１〜１１７のいずれか１つの方法を実行するように構成されることを特徴とする無線送信受信ユニット。
【０６４０】
１１９．実施形態１〜１１８のいずれか１つの方法を実行するように構成されることを特徴とする発展型ノードＢ（ｅｖｏｌｖｅｄ  Ｎｏｄｅ  Ｂ）。
【０６４１】
１２０．実施形態１〜１１９のいずれか１つの方法を実行するように構成されることを特徴とする集積回路。
【０６４２】
特徴および要素が、上では特定の組合せで説明されるが、当業者は、各特徴または要素を単独でまたは他の特徴および要素との任意の組合せで使用できることを了解するであろう。さらに、本明細書で説明される方法を、コンピュータまたはプロセッサによる実行のためにコンピュータ可読媒体内に組み込まれたコンピュータプログラム、ソフトウェア、またはファームウェアで実施することができる。コンピュータ可読媒体の例は、電子信号（有線または無線の接続を介して送信される）およびコンピュータ可読記憶媒体を含む。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスク（ＤＶＤ）などの光学媒体を含むが、これらに限定されない。ソフトウェアに関連するプロセッサを使用して、ＷＴＲＵ、ＵＥ、端末、基地局、ＲＮＣ、または任意のホストコンピュータ内で使用されるラジオ周波数トランシーバを実施することができる。
【図１Ａ】
0005514954.tif 000125
【図１Ｂ】
0005514954.tif 000126
【図１Ｃ】
0005514954.tif 000127
【図２】
0005514954.tif 000128
【図３】
0005514954.tif 000129
【図４】
0005514954.tif 000130
【図５】
0005514954.tif 000131
【図６】
0005514954.tif 000132
【図７】
0005514954.tif 000133
【図８】
0005514954.tif 000134
【図９】
0005514954.tif 000135
【図１０】
0005514954.tif 000136